(57)【特許請求の範囲】
【請求項１】
各々を識別可能な識別情報の変動表示を実行する変動表示手段を備え、該変動表示手段の表示結果が特定表示結果となった後、遊技媒体が打込まれる遊技領域に設けられた特定領域に遊技媒体が進入したことに基づいて、遊技状態を通常遊技状態よりも遊技者にとって有利な特定遊技状態に制御する遊技機であって、
複数の前記特定領域と、
遊技者にとって有利な第１の状態と不利な第２の状態とに変化可能な可変入賞手段と、
前記特定遊技状態において前記可変入賞手段を前記第１の状態に変化させる制御を行う可変入賞制御手段と、
前記変動表示手段の表示結果が前記特定表示結果となった後、前記複数の特定領域のいずれかに遊技媒体が進入したときに、前記可変入賞手段を前記第１の状態に変化させる期間が異なる複数種類の特定遊技状態のうち、遊技媒体が進入した特定領域に応じた特定遊技状態に制御する特定遊技制御手段と、
前記複数の特定領域の上流側に設けられ、遊技媒体の流下方向を調整可能な流下方向調整手段とを備え、
前記可変入賞手段は、前記複数の特定領域のうち少なくとも一の特定領域の下流側に配置されており、
前記複数の特定領域のうち少なくとも一の特定領域に進入した遊技媒体は、前記可変入賞手段の上流側の領域に放出され、
前記変動表示手段の表示結果が前記特定表示結果になる前と前記特定表示結果になった後とで、前記複数の特定領域のいずれかに遊技媒体が進入する割合は同一であることを特徴とする、遊技機。
【発明の詳細な説明】
【技術分野】
【０００１】
本発明は、パチンコ遊技機およびコイン遊技機等の遊技機に関し、特に、所定条件が成立した後、遊技媒体が打込まれる遊技領域に設けられた特定領域に遊技媒体が進入したことに基づいて、遊技状態を通常遊技状態よりも遊技者にとって有利な特定遊技状態に制御する遊技機に関する。
【背景技術】
【０００２】
この種の遊技機として一般的に知られているものとしては、所定条件の成立により権利発生状態となった後、遊技領域のうちの所定領域を遊技球が通過したときに大当り遊技状態に制御するものがあった（特許文献１）。
【０００３】
また、この種の遊技機においては、入賞すると確変当りに制御されることとなる確変穴と、入賞すると通常当りに制御される通常穴とを有する抽選用役物と、電動チューリップとを設け、特別図柄の変動表示結果が所定の表示結果となると電動チューリップを開放して、特定領域に遊技球が入賞すれば大当りの権利発生状態とし、その後、抽選用役物を用いて遊技球を確変穴と通常穴とに振分けることにより、大当りの種別として確変当りと通常当りとが選択されるように制御されるものがあった（特許文献２）。
【先行技術文献】
【特許文献】
【０００４】
【特許文献１】特開２００６−０３４３５７号公報（段落番号０２３４〜０２３９、図３８）
【特許文献２】特開２００３−１８０９９９号公報（段落番号００２５〜００３３、図３）
【発明の概要】
【発明が解決しようとする課題】
【０００５】
しかし、特許文献２に示されるような、役物を用いて遊技球を複数の領域に振分けることにより大当りの種別を選択する遊技機においては、役物の構造を変更しなければ大当り種別の選択割合を調整することができないという問題があった。
【０００６】
本発明は、かかる実情に鑑み考え出されたものであり、その目的は、所定条件が成立した後に遊技媒体が特定領域に進入したことに基づいて特定遊技状態に制御される構成において、大当り種別の選択割合の調整ができる遊技機を提供することである。
【課題を解決するための手段の具体例およびその効果】
【０００７】
（１）  各々を識別可能な識別情報の変動表示を実行する変動表示手段を備え、該変動表示手段の表示結果が特定表示結果となった後、遊技媒体（遊技球）が打込まれる遊技領域（遊技領域７）に設けられた特定領域（第１特定ゲート６１〜第３特定ゲート６３）に遊技媒体が進入したことに基づいて、遊技状態を通常遊技状態よりも遊技者にとって有利な特定遊技状態（大入賞口の開放制御状態としての大当り遊技状態）に制御する遊技機（
パチンコ遊技機１）であって、
複数の前記特定領域（第１特定ゲート６１、第２特定ゲート６２、第３特定ゲート６３）と、
遊技者にとって有利な第１の状態と不利な第２の状態とに変化可能な可変入賞手段と、
前記特定遊技状態において前記可変入賞手段を前記第１の状態に変化させる制御を行う可変入賞制御手段と、
前記変動表示手段の表示結果が前記特定表示結果となった後、前記複数の特定領域のいずれかに遊技媒体が進入したときに、前記可変入賞手段を前記第１の状態に変化させる期間が異なる複数種類の特定遊技状態（５Ｒ通常大当り、１０Ｒ通常大当り、１５Ｒ通常大当り、５Ｒ確変大当り、１０Ｒ確変大当り、１５Ｒ確変大当り）のうち、遊技媒体が進入した特定領域に応じた特定遊技状態に制御する特定遊技制御手段（遊技制御用マイクロコンピュータ５６０、図１５のＳ７２〜Ｓ７４、図１６のＳ１３５Ａ，Ｓ１４１、図１７のＳ４１１〜Ｓ４１５）と、
前記複数の特定領域の上流側に設けられ、遊技媒体の流下方向を調整可能な流下方向調整手段（釘８）とを備え、
前記可変入賞手段は、前記複数の特定領域のうち少なくとも一の特定領域の下流側に配置されており、
前記複数の特定領域のうち少なくとも一の特定領域に進入した遊技媒体は、前記可変入賞手段の上流側の領域に放出され、
前記変動表示手段の表示結果が前記特定表示結果になる前と前記特定表示結果になった後とで、前記複数の特定領域のいずれかに遊技媒体が進入する割合は同一である。
【０００８】
このような構成によれば、各々を識別可能な識別情報の変動表示を実行する変動表示手段を備え、該変動表示手段の表示結果が特定表示結果となった後、複数の特定領域のいずれかに遊技媒体が進入したときに、進入した特定領域に基づいて、複数種類の特定遊技状態のうちいずれかの特定遊技状態に制御されるが、これら複数の特定領域の上流側に、遊技媒体の流下方向を調整可能な流下方向調整手段が設けられるので、流下方向調整手段により遊技媒体の流下方向を調整できる。
【０００９】
（２）  前記（１）の遊技機において、前記所定条件は、複数種類あり（変動表示における複数種類の大当り表示結果の表示に基づく権利発生状態）、
前記特定遊技制御手段は、成立した前記所定条件の種類に応じて、遊技媒体が進入した前記特定領域に対応して選択する特定の種類の特定遊技状態の選択割合が異なる（第３実施形態の図３３で大当り図柄が偶数図柄の組合せか奇数図柄の組合せかによりラウンド数の選択割合が異なる）。
【００１０】
このような構成によれば、成立した所定条件の種類に応じて、遊技媒体が進入した特定領域に対応して選択する特定の種類の特定遊技状態の選択割合が異なるので、遊技場側で複数の特定領域のそれぞれに遊技球を振分ける割合を極端な割合に調整しても、成立した所定条件の種類により、選択される特定遊技状態が変化し得るので、遊技者の利益をある程度確保することができる。
【００１１】
（３）  前記（１）または（２）の遊技機において、前記所定条件は、複数種類あり（変動表示における複数種類の大当り表示結果の表示に基づく権利発生状態）、
前記特定遊技制御手段は、
一の種類の所定条件が成立した場合は、一の特定領域に遊技媒体が進入したときに制御される特定遊技状態が、他の特定領域に遊技媒体が進入したときに制御される特定遊技状態より有利な特定遊技状態となる割合が高く（第５実施形態の図３５で大当り図柄が奇数図柄の組合せのときは、第３特定ゲート６３に遊技球が進入したときに大当りのラウンド数が１５Ｒとなる割合が、第１特定ゲート６１、第２特定ゲート６２に遊技球が進入したときに大当りのラウンド数が１５Ｒとなる割合よりも高い）、
他の種類の所定条件が成立した場合は、一の特定領域に遊技媒体が進入したときに制御される特定遊技状態が、他の特定領域に遊技媒体が進入したときに制御される特定遊技状態より有利な特定遊技状態となる割合が低い（第５実施形態の図３５で大当り図柄が偶数図柄の組合せのときは、第３特定ゲート６３に遊技球が進入したときに大当りのラウンド数が１５Ｒとなる割合が、第１特定ゲート６１、第２特定ゲート６２に遊技球が進入したときに大当りのラウンド数が１５Ｒとなる割合よりも低い）。
【００１２】
このような構成によれば、一の種類の所定条件が成立した場合と、他の種類の所定条件が成立した場合とで、一の特定領域に遊技媒体が進入したときに制御される特定遊技状態が、他の特定領域に遊技媒体が進入したときに制御される特定遊技状態より遊技者にとって有利な特定遊技状態となる割合が異なるので、どのような種類の所定条件が成立するかについて遊技者が興味を持つようにすることができる。
【００１３】
（４）  前記（１）〜（３）のいずれかの遊技機において、前記複数の特定領域のそれぞれについて、遊技媒体が進入したときに得られる価値を特定可能な情報（図３０（Ｂ）でゲート別価値情報画像９６による第１特定ゲートラウンド数、第２特定ゲートラウンド数、第３特定ゲートラウンド数を示すゲート別ラウンド数の情報）を報知する報知手段（演出制御用マイクロコンピュータ１００、演出表示装置９、図２８のＳ８０３）をさらに備え、
該報知手段は、前記所定条件が成立したときに前記報知をする（図３０（Ｂ））。
【００１４】
このような構成によれば、所定条件が成立したときに、複数の特定領域のそれぞれについて、遊技媒体が進入したときに得られる価値を特定可能な情報が報知されるので、遊技者の興味を、複数の特定領域のそれぞれに向けることができる。
【００１５】
（５）  前記（１）〜（４）のいずれかの遊技機において、前記遊技領域は、遊技者の選択により遊技媒体を打込む領域が変更可能となる複数の領域（左領域７ａ、右領域７ｂ）を含み、
前記遊技領域における前記複数の領域のうちのいずれかに設けられ、遊技媒体が入賞可能な第１の状態（開状態）と該第１の状態よりも遊技媒体が入賞しにくいまたは入賞しない第２の状態（閉状態）とに変化可能であり、前記特定遊技状態に制御されたときに当該第１の状態に複数回（５回、１０回、１５回）制御される可変入賞装置（特別可変入賞球装置２０）をさらに備え、
前記特定領域は、前記遊技領域における前記複数の領域のうちの前記可変入賞装置が設けられた領域（右領域７ｂ）に設けられ、
前記遊技領域における前記複数の領域のいずれに遊技媒体を打込むべきかを特定する打込領域特定信号を作成する信号作成手段（遊技制御用マイクロコンピュータ５６０、図８のＳ３０Ａ、図２２のＳ２７１〜Ｓ２７６）をさらに備え、
前記信号作成手段は、前記所定条件が成立したことに基づいて、前記特定領域に遊技媒体が進入する前のタイミングから、前記可変入賞装置が設けられた領域に遊技媒体を打込むことを特定する前記打込領域特定信号を作成する（大当り表示結果が導出表示されて図１６のＳ１３４で権利発生状態となったときから、図２２のＳ２７１，Ｓ２７５により、右打ち信号が出力される。）。
【００１６】
このような構成によれば、特定領域に遊技媒体が進入したことに基づいて特定遊技状態に制御されることの条件となる所定条件が成立したことに基づいて、特定領域に遊技媒体が進入する前のタイミングから、可変入賞装置が設けられた領域に遊技媒体を打込むことを特定する打込領域特定信号が作成されるので、遊技の進行させ方を、簡素なものとすることができ、遊技の進行状況に対応するとともに、遊技の進行させ方を容易にすることができる。
【００１７】
（６）  前記（１）〜（５）のいずれかの遊技機において、遊技の進行を制御する遊技制御手段（遊技制御用マイクロコンピュータ５６０）と、
前記遊技機の電源断時に、前記遊技制御手段による制御状態を特定する制御データをバックアップ記憶するバックアップ記憶手段（ＲＡＭ５５のバックアップ記憶部）と、
前記遊技機の電源投入時に、前記バックアップ記憶手段に記憶された制御データに基づいて、前記遊技制御手段の制御状態を復旧する制御状態復旧手段（遊技制御用マイクロコンピュータ５６０、図７のＳ６〜Ｓ８、Ｓ４１〜Ｓ４３）と、
該制御状態復旧手段により前記遊技制御手段の制御状態が復旧されたときに、前記所定条件が成立している制御状態であるときは、前記所定条件が成立している旨を報知する条件成立報知手段（遊技制御用マイクロコンピュータ５６０、図７のＳ４４，Ｓ４５）とをさらに備えた。
【００１８】
このような構成によれば、所定条件が成立した後、特定領域に遊技媒体が進入したことに基づいて特定遊技状態に制御される遊技機において、電源断時にバックアップ記憶された制御データに基づいて、電源投入時に遊技制御手段の制御状態が復旧されたときに、所定条件が成立している制御状態であるときは、所定条件が成立している旨が報知される。これにより、電源投入時に遊技状態が復旧されたときに、特定遊技状態への移行に関連する制御状態に関して、その復旧された制御状態を正確に把握できるようにすることができる。
【図面の簡単な説明】
【００１９】
【図１】パチンコ遊技機を正面からみた正面図である。
【図２】大当り種別の制御の特徴を表形式で説明する図である。
【図３】主基板における回路構成の一例を示すブロック図である。
【図４】中継基板、演出制御基板、ランプドライバ基板および音声出力基板の回路構成例を示すブロック図である。
【図５】電源監視および電源バックアップのためのＣＰＵ周りの一構成例を示すブロック図である。
【図６】遊技機の電源基板の一構成例を示すブロック図である。
【図７】主基板における遊技制御用マイクロコンピュータが実行するメイン処理を示すフローチャートである。
【図８】タイマ割込み処理を示すフローチャートである。
【図９】各乱数を示す説明図である。
【図１０】大当り判定テーブルおよび大当り種別判定テーブルを示す説明図である。
【図１１】遊技制御用マイクロコンピュータが送信する演出制御コマンドの内容の一例を示す説明図である。
【図１２】特別図柄プロセス処理のプログラムの一例を示すフローチャートである。
【図１３】始動口スイッチ通過処理を示すフローチャートである。
【図１４】遊技制御用マイクロコンピュータにおける保留記憶バッファの構成例を示す説明図である。
【図１５】特別図柄通常処理を示すフローチャートである。
【図１６】特別図柄停止処理を示すフローチャートである。
【図１７】開放態様選択処理を示すフローチャートである。
【図１８】大入賞口開放前処理を示すフローチャートである。
【図１９】大入賞口開放中処理を示すフローチャートである。
【図２０】大当り終了処理を示すフローチャートである。
【図２１】権利発生状態中において遊技球が特定ゲートを通過してから大入賞口が開放されるときの制御状態を示すタイミングチャートである。
【図２２】試験端子処理を示すフローチャートである。
【図２３】遊技状態と左打ち信号および右打ち信号との関係を示すタイミングチャートである。
【図２４】普通図柄表示結果決定テーブルを示す説明図である。
【図２５】普通図柄プロセス処理の一例を示すフローチャートである。
【図２６】演出制御用マイクロコンピュータが用いる乱数を示す説明図である。
【図２７】演出表示装置における演出図柄（飾り図柄）の停止図柄の一例を示す説明図である。
【図２８】演出制御メイン処理を示すフローチャートである。
【図２９】演出制御プロセス処理を示すフローチャートである。
【図３０】権利発生状態において演出表示装置で行なわれる打込領域報知およびゲート別価値情報報知の表示例を示す表示画面図である。
【図３１】確変大当りの大当り遊技状態の終了後と、通常大当りの大当り遊技状態の終了後とにおいて共通に実行される潜伏演出の一例を示す演出表示装置の表示画面図である。
【図３２】第２実施形態によるラウンド数・確変選択テーブルを表形式で示す図である。
【図３３】第３実施形態によるラウンド数・確変選択テーブルを表形式で示す図である。
【図３４】第４実施形態によるラウンド数・確変選択テーブルを表形式で示す図である。
【図３５】第５実施形態によるラウンド数・確変選択テーブルを表形式で示す図である。
【図３６】第６実施形態によるパチンコ遊技機における第１特定ゲート、第２特定ゲート、および、第３特定ゲートの配置例を簡略化して示す遊技領域の正面図である。
【図３７】第６実施形態によるラウンド数・確変選択テーブルを表形式で示す図である。
【発明を実施するための形態】
【００２０】
以下、本発明の実施の形態を、図面を参照して説明する。なお、遊技機の一例としてパチンコ遊技機を示すが、本発明はパチンコ遊技機に限られず、コイン遊技機等のその他の遊技機であってもよく、所定条件が成立した後、遊技媒体が打込まれる遊技領域に設けられた特定領域に遊技媒体が進入したことに基づいて、遊技状態を通常遊技状態よりも遊技者にとって有利な特定遊技状態に制御する遊技機であれば、どのような遊技機であってもよい。
【００２１】
［第１実施形態］
まず、遊技機の一例であるパチンコ遊技機１の全体の構成について説明する。図１はパチンコ遊技機１を正面からみた正面図である。図２は、大当り種別の制御の特徴を表形式で説明する図である。
【００２２】
パチンコ遊技機１は、縦長の方形状に形成された外枠（図示せず）と、外枠の内側に開閉可能に取付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取付けられる機構板（図示せず）と、それらに取付けられる種々の部品（後述する遊技盤６を除く）とを含む構造体である。
【００２３】
ガラス扉枠２の下部表面には打球供給皿（上皿）３がある。打球供給皿３の下部には、打球供給皿３に収容しきれない遊技媒体としての遊技球を貯留する余剰球受皿４や、打球（遊技球）を発射する打球操作ハンドル（操作ノブ）５が設けられている。また、ガラス扉枠２の背面には、遊技盤６が着脱可能に取付けられている。なお、遊技盤６は、それを構成する板状体と、その板状体に取付けられた種々の部品とを含む構造体である。また、遊技盤６の前面には、打込まれた遊技球が流下可能な遊技領域７が形成されている。遊技領域７には、遊技球を誘導するための多数の釘８が植設されている。釘８は、植設角度の調整等の所謂釘調整をすることにより、遊技球の流下方向を調整可能な流下方向調整手段としての機能を有する。
【００２４】
遊技領域７の中央付近には、液晶表示装置（ＬＣＤ）で構成された演出表示装置９が設けられている。演出表示装置９は、各々を識別可能な複数種類の識別情報としての演出図柄（飾り図柄）の変動表示（可変表示、更新表示、または、巡回表示ともいう）を行なう変動表示装置に相当する。演出表示装置９では、表示画面上で演出図柄を表示する演出図柄表示領域が設けられており、当該演出図柄表示領域に、たとえば「左」，「中」，「右」の３つ（複数）の演出図柄を変動表示する表示領域としての図柄表示エリアがある。これら３つの演出図柄のそれぞれは、各々を識別可能な複数種類の識別情報としての演出図柄である。
【００２５】
演出表示装置９では、後述する第１特別図柄または第２特別図柄の変動表示に同期した演出図柄（飾り図柄）の変動表示が行なわれる。演出図柄の変動表示は、スクロール表示およびその場切替え表示等の各種の変動態様で実行される。
【００２６】
演出表示装置９は、演出制御基板に搭載されている演出制御用マイクロコンピュータによって制御される。演出制御用マイクロコンピュータが、第１特別図柄表示器８ａで第１特別図柄の変動表示が実行されているときに、その変動表示に伴って演出表示装置９で演出表示を実行させ、第２特別図柄表示器８ｂで第２特別図柄の変動表示が実行されているときに、その変動表示に伴って演出表示装置で演出表示を実行させるので、遊技の進行状況を把握しやすくすることができる。
【００２７】
遊技盤６における演出表示装置９の上部の左側には、各々を識別可能な複数種類の識別情報としての第１特別図柄を変動表示する第１特別図柄表示器（第１変動表示手段）８ａが設けられている。この実施の形態では、第１特別図柄表示器８ａは、０〜９の数字を変動表示可能な簡易で小型の表示器（たとえば７セグメントＬＥＤ）で実現されている。すなわち、第１特別図柄表示器８ａは、０〜９の数字（または、記号）を変動表示するように構成されている。遊技盤６における演出表示装置９の上部の右側には、各々を識別可能な複数種類の識別情報としての第２特別図柄を変動表示する第２特別図柄表示器（第２変動表示手段）８ｂが設けられている。第２特別図柄表示器８ｂは、０〜９の数字を変動表示可能な簡易で小型の表示器（たとえば７セグメントＬＥＤ）で実現されている。すなわち、第２特別図柄表示器８ｂは、０〜９の数字（または、記号）を変動表示するように構成されている。
【００２８】
この実施の形態では、第１特別図柄の種類と第２特別図柄の種類とは同じ（たとえば、ともに０〜９の数字）であるが、種類が異なっていてもよい。また、第１特別図柄表示器８ａおよび第２特別図柄表示器８ｂは、それぞれ、たとえば、００〜９９の数字（または、２桁の記号）を変動表示するように構成されていてもよい。
【００２９】
以下、第１特別図柄と第２特別図柄とを特別図柄と総称することがあり、第１特別図柄表示器８ａと第２特別図柄表示器８ｂとを特別図柄表示器と総称することがある。第１特別図柄は、第２特別図柄表示器８ｂで第２特別図柄の変動表示が実行されていないことを条件に変動表示が実行される。第２特別図柄は、第１特別図柄表示器８ａで第１特別図柄の変動表示が実行されていないことを条件に変動表示が実行される。つまり、第１特別図柄と第２特別図柄とは、同時に変動表示されることなく、どちらか一方が変動表示される。
【００３０】
第１特別図柄または第２特別図柄の変動表示は、変動表示の実行条件である第１始動条件または第２始動条件が成立（たとえば、遊技球が第１始動入賞口１３または第２始動入賞口１４に入賞したこと）した後、変動表示の開始条件（たとえば、保留記憶数が０でない場合であって、第１特別図柄および第２特別図柄の変動表示が実行されていない状態であり、かつ、大当り遊技が実行されていない状態）が成立したことに基づいて開始され、変動表示時間（変動時間）が経過すると表示結果（停止図柄）を導出表示する。なお、入賞とは、入賞口等の予め入賞領域として定められている領域を遊技球が通過したこと（遊技球が進入したこと）である。また、表示結果を導出表示するとは、図柄（識別情報の例）を最終的に停止表示させることである。
【００３１】
以下の説明においては、遊技球が第１始動入賞口１３に入賞したことを第１始動入賞と呼ぶ場合があり、遊技球が第２始動入賞口１４に入賞したことを第２始動入賞と呼ぶ場合がある。始動条件は成立しているが開始条件が成立していない変動表示に関するデータは、開始条件が成立するまで特別図柄の変動表示を行なう権利である保留記憶データとして保留して記憶される。具体的に、保留記憶データは、後述する遊技制御用マイクロコンピュータ５６０のＲＡＭ５５の所定領域に記憶される。第１始動入賞の保留記憶データは所定数（たとえば、４個）を上限として第１保留記憶データとして第１保留記憶バッファに記憶され、第２始動入賞の保留記憶データは所定数（たとえば、４個）を上限として第２保留記憶データとして第２保留記憶バッファに記憶される。
【００３２】
パチンコ遊技機１には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。遊技球が第１始動入賞口１３に入り第１始動口スイッチ１３ａで検出されると、第１特別図柄の変動表示を開始できる状態であれば（たとえば、特別図柄の変動表示が終了し、第１の開始条件が成立したこと）、第１特別図柄表示器８ａにおいて第１特別図柄の変動表示（変動）が開始されるとともに、演出表示装置９において演出図柄（飾り図柄）の変動表示が開始される。すなわち、第１特別図柄および演出図柄の変動表示は、第１始動入賞口１３への入賞に対応する。第１特別図柄の変動表示を開始できる状態でなければ、第１保留記憶数が上限値に達していないことを条件として、第１保留記憶数を１増やす。
【００３３】
遊技球が第２始動入賞口１４に入り第２始動口スイッチ１４ａで検出されると、第２特別図柄の変動表示を開始できる状態であれば（たとえば、特別図柄の変動表示が終了し、第２の開始条件が成立したこと）、第２特別図柄表示器８ｂにおいて第２特別図柄の変動表示（変動）が開始されるとともに、演出表示装置９において演出図柄（飾り図柄）の変動表示が開始される。すなわち、第２特別図柄および演出図柄の変動表示は、第２始動入賞口１４への入賞に対応する。第２特別図柄の変動表示を開始できる状態でなければ、第２保留記憶数が上限値に達していないことを条件として、第２保留記憶数を１増やす。
【００３４】
演出表示装置９は、遊技領域７の中央部に設けられ、第１特別図柄表示器８ａでの第１特別図柄の変動表示時間中、および第２特別図柄表示器８ｂでの第２特別図柄の変動表示時間中に、装飾用（演出用）の図柄としての演出図柄（飾り図柄）の変動表示を行なう。第１特別図柄表示器８ａにおける第１特別図柄の変動表示と、演出表示装置９における演出図柄の変動表示とは同期している。また、第２特別図柄表示器８ｂにおける第２特別図柄の変動表示と、演出表示装置９における演出図柄の変動表示とは同期している。同期とは、変動表示の開始時点および終了時点がほぼ同じ（全く同じでもよい。）であって、変動表示の期間がほぼ同じ（全く同じでもよい。）であることをいう。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組合せが大当り表示結果として停止表示される。前述した第１特別図柄表示器８ａ、第２特別図柄表示器８ｂ、および、演出表示装置９は、識別情報の変動表示を行ない表示結果を導出表示する変動表示装置であり、変動表示部として用いられる。
【００３５】
演出表示装置９では、変動表示を開始するときに、たとえば、左，中，右の演出図柄のすべてが変動表示を開始する。そして、変動表示している左，中，右の演出図柄が基本的に所定の順番（たとえば、左演出図柄、右演出図柄、中演出図柄の順番のような予め定められた順番）で停止し、変動表示の開始から予め定められた変動時間が経過したときに、左，中，右の全演出図柄が停止して表示結果が確定する。なお、左，中，右の演出図柄が停止する順番は、左，右，中の図柄の順番以外の順番であってもよい。また、左，中，右の演出図柄は、同時に停止してもよい。
【００３６】
遊技領域７は、遊技者の選択により遊技球を打込む領域が変更可能となる複数の領域を含む。本実施の形態の場合、遊技領域７は、遊技領域の左右方向の中央部を境界として左側の領域が左領域７ａと呼ばれ、右側の領域が右領域７ｂと呼ばれる。なお、遊技領域７の領域分けは、遊技領域７の中央部を境界として左右に分けるもの以外に、たとえば、遊技領域７の中央から左または右に偏在した位置を境界として左右に分けるものであってもよい。たとえば、演出表示装置９等の装置が設けられる飾り部材（所謂センター飾り部材）は、遊技領域７の中央から左または右に偏在して設けられる場合があるが、そのような場合に、遊技領域７の中央から左または右に偏在した当該飾り部材の頂点を中心として左右に領域が分けられたものであってもよい。つまり、遊技領域７の領域分けは、遊技領域７において、ある位置を中心として遊技領域が複数に分けられているものであればどのような領域分けが行なわれてもよい。また、このように、左領域７ａと右領域７ｂとの複数の領域を含む場合において、遊技球が左領域７ａへ流れるように左領域７ａを狙って遊技球を打込むことが「左打ち」と呼ばれ、遊技球が右領域７ｂへ流れるように右領域７ｂを狙って遊技球を打込むことが「右打ち」と呼ばれる。
【００３７】
パチンコ遊技機１においては、打球操作ハンドル５の操作量に応じて打球発射装置の発射強度を変更することで、右打ちまたは左打ちする等、遊技者の選択により遊技球を打込む領域を変更することができる。
【００３８】
演出表示装置９の下方には、遊技球が入賞（進入）可能な第１始動入賞口１３が設けられている。第１始動入賞口１３は、遊技領域７の左右方向の中央部に設けられている。第１始動入賞口１３に入賞した遊技球は、遊技盤６の背面に導かれ、第１始動口スイッチ１３ａによって検出される。本実施の形態の場合、第１始動入賞口１３は、「左打ち」をしたときが「右打ち」をしたときよりも入賞しやすいように、構造物および釘の配列等により遊技球の流路が形成されている。
【００３９】
また、第１始動入賞口（第１始動口）１３の右側方部における右領域７ｂには、遊技球が入賞（進入）可能な第２始動入賞口１４（第２始動口）を有する可変入賞球装置（電動チューリップ）１５が設けられている。可変入賞球装置１５は、左右一対の可動片１８を備え、可動片１８の状態により、遊技球が入賞可能な第１の状態（開状態）と遊技球が入賞しない第２の状態（開状態）とに変化可能なものである。可動片１８の上方には、上方からの遊技球の入賞を阻止するストッパ部材１７が設けられており、閉状態のときには、遊技球が第２始動入賞口１４に入賞しない構造とされている。可変入賞球装置１５に設けられた第２始動入賞口１４は、「右打ち」をしたときが「左打ち」をしたときよりも入賞しやすいように、構造物および釘の配列等により遊技球の流路が形成されている。
【００４０】
第２始動入賞口１４に入賞した遊技球は、遊技盤６の背面に導かれ、第２始動口スイッチ１４ａによって検出される。可変入賞球装置１５は、ソレノイド１６によって開状態とされる。
【００４１】
可変入賞球装置１５が開状態になることによって、遊技球が第２始動入賞口１４に入賞可能になり（始動入賞し易くなり）、遊技者にとって有利な状態になる。可変入賞球装置１５が開状態になっている状態では、第１始動入賞口１３よりも、第２始動入賞口１４に遊技球が入賞しやすい。また、可変入賞球装置１５が閉状態になっている状態では、遊技球は第２始動入賞口１４に入賞しない。なお、可変入賞球装置１５は、閉状態になっている状態において、入賞はしづらいものの、入賞することは可能である（すなわち、遊技球が入賞しにくい）ように構成されていてもよい（たとえば、ストッパ部材１７を設けない構成例）。このように、可変入賞球装置１５が閉状態になっている状態は、遊技球が第２始動入賞口１４に入賞しにくいまたは入賞しない状態であればよい。つまり、可変入賞球装置１５は、遊技球が入賞可能な第１の状態（開状態）と該第１の状態よりも遊技球が入賞しにくいまたは入賞しない第２の状態（開状態）とに変化可能なものであればよい。
【００４２】
以下、第１始動入賞口１３と第２始動入賞口１４とを総称して始動入賞口または始動口ということがある。
【００４３】
また、遊技領域７には、遊技球の入賞に基づいて予め定められた所定数の賞球の払出を行なうための入賞口（普通入賞口）２９，３０も設けられている。入賞口２９，３０に入賞した遊技球は、入賞口スイッチ２９ａ，３０ａで検出される。
【００４４】
演出表示装置９の下部には、普通図柄表示器１０が設けられている。普通図柄表示器１０は、普通図柄と呼ばれる複数種類の識別情報（たとえば、「○」および「×」）を変動表示する。
【００４５】
演出表示装置９の右側方の右領域７ｂにおいては、遊技球が進入して通過可能な普図ゲート３２が設けられ、さらに、その上方には、遊技球が進入して通過可能な特定領域を形成する特定ゲートとして、第１特定ゲート６１、第２特定ゲート６２、および、第３特定ゲート６３が横方向に並んで設けられている。このように、右領域７ｂにおいて、複数の特定ゲートが設けられている。
【００４６】
普図ゲート３２においては、進入した遊技球を検出する普図ゲートスイッチ３２ａが設けられている。第１特定ゲート６１においては、進入した遊技球を検出する第１特定ゲートスイッチ６１ａが設けられている。第２特定ゲート６２においては、進入した遊技球を検出する第２特定ゲートスイッチ６２ａが設けられている。第３特定ゲート６３においては、進入した遊技球を検出する第３特定ゲートスイッチ６３ａが設けられている。
【００４７】
第１特定ゲート６１、第２特定ゲート６２、および、第３特定ゲート６３のそれぞれにおける遊技球の流れの上流側には、第１特定ゲート６１、第２特定ゲート６２、および、第３特定ゲート６３のそれぞれへの遊技球の流下方向を調整可能な釘８が多数植設されている。第１特定ゲート６１、第２特定ゲート６２、および、第３特定ゲート６３のそれぞれついて、釘８の植設角度の調整等の所謂釘調整をすることにより、第１特定ゲート６１、第２特定ゲート６２、および、第３特定ゲート６３の上流側からそれぞれに向けて流下する遊技球の割合を調整することができるとともに、各特定ゲートの入口における遊技球の進入しやすさ（受入れやすさ）を調整することができる。
【００４８】
第１特定ゲート６１、第２特定ゲート６２、および、第３特定ゲート６３は、右領域７ｂにおいて横方向に並んで設けられており、遊技者が打球操作ハンドル５の操作量を調整して発射強度を調整することに基づいて、発射した遊技球で狙う位置を調整することにより、遊技者がいずれかの特定ゲートを狙って打球発射をすることができる。
【００４９】
本実施の形態の場合、普図ゲート３２、第１特定ゲート６１、第２特定ゲート６２、および、第３特定ゲート６３は、右領域７ｂに設けられており、「右打ち」をしたときに遊技球が進入可能であるが、「左打ち」をしたときには遊技球が進入不可能となるように、構造物および釘の配列等により遊技球の流路が形成されている。なお、普図ゲート３２、第１特定ゲート６１、第２特定ゲート６２、および、第３特定ゲート６３は、「右打ち」をしたときが「左打ち」をしたときよりも遊技球が進入しやすい（遊技球が進入不可能ではない）ように、構造物および釘の配列等により遊技球の流路が形成されてもよい。また、特定ゲートは、３つ設けられる以外に、２つ設けられる等、複数設けられればよい。
【００５０】
普図ゲート３２には、普図ゲート３２に進入（通過）した遊技球を検出する普図ゲートスイッチ３２ａが設けられている。第１特定ゲート６１には、第１特定ゲート６１に進入（通過）した遊技球を検出する第１特定ゲートスイッチ６１ａが設けられている。第２特定ゲート６２には、第２特定ゲート６２に進入（通過）した遊技球を検出する第２特定ゲートスイッチ６２ａが設けられている。第３特定ゲート６３には、第３特定ゲート６３に進入（通過）した遊技球を検出する第３特定ゲートスイッチ６３ａが設けられている。
【００５１】
遊技球が普図ゲート３２を通過し普図ゲートスイッチ３２ａで検出されると、普通図柄表示器１０の表示の変動表示が開始される。この実施の形態では、左右のランプ（点灯時に図柄が視認可能になる）が交互に点灯することによって変動表示が行なわれ、たとえば、変動表示の終了時に左側のランプが点灯すれば当りとなる。そして、普通図柄表示器１０における停止図柄が所定の図柄（当り図柄「○」）である場合に、可変入賞球装置１５が所定回数、所定時間だけ開状態になる。すなわち、可変入賞球装置１５の状態は、普通図柄の停止図柄が当り図柄である場合に、遊技者にとって不利な状態から有利な状態（第２始動入賞口１４に遊技球が入賞可能な状態）に変化する。
【００５２】
普通図柄表示器１０の近傍には、普図ゲート３２を通過した入賞球数を表示する４つの表示器（たとえば、ＬＥＤ）を有する普通図柄保留記憶表示器４１が設けられている。普図ゲート３２への遊技球の通過があるごとに、すなわち普図ゲートスイッチ３２ａによって遊技球が検出されるごとに、普通図柄保留記憶表示器４１は点灯する表示器を１増やす。そして、普通図柄表示器１０の変動表示が開始されるごとに、点灯する表示器を１減らす。普図保留記憶数の上限値は４つであり、普通図柄保留記憶表示器４１においては、この４つを上限値として表示器を点灯する。
【００５３】
第１特別図柄表示器８ａの下部には、第１始動入賞口１３に入った有効入賞球数すなわち第１保留記憶数（保留記憶を、始動記憶または始動入賞記憶ともいう。）を表示する４つの表示器（たとえば、ＬＥＤ）からなる第１特別図柄保留記憶表示器１８ａが設けられている。第１特別図柄保留記憶表示器１８ａは、有効始動入賞があるごとに、点灯する表示器の数を１増やす。そして、第１特別図柄表示器８ａでの変動表示が開始されるごとに、点灯する表示器の数を１減らす。
【００５４】
第２特別図柄表示器８ｂの下部には、第２始動入賞口１４に入った有効入賞球数すなわち第２保留記憶数を表示する４つの表示器（たとえば、ＬＥＤ）からなる第２特別図柄保留記憶表示器１８ｂが設けられている。第２特別図柄保留記憶表示器１８ｂは、有効始動入賞があるごとに、点灯する表示器の数を１増やす。そして、第２特別図柄表示器８ｂでの変動表示が開始されるごとに、点灯する表示器の数を１減らす。
【００５５】
また、演出表示装置９の表示画面には、第１保留記憶数と第２保留記憶数との合計である合計数（合算保留記憶数）を表示する領域としての合算保留記憶表示部１８ｃが設けられている。このように、合計数を表示する合算保留記憶表示部１８ｃが設けられることにより、変動表示の開始条件が成立していない実行条件の成立数の合計を把握しやすくすることができる。なお、第１保留記憶数を表示する第１保留記憶表示部と、第２保留記憶数を表示する第２保留記憶表示部とのそれぞれの表示領域が設けられるようにしてもよい。
【００５６】
第１特別図柄保留記憶表示器１８ａ、第２特別図柄保留記憶表示器１８ｂ、および、合算保留記憶表示部１８ｃで行なわれる保留記憶数等の保留記憶に関する表示は、保留記憶表示と呼ばれる。このように、第１特別図柄保留記憶表示器１８ａ、第２特別図柄保留記憶表示器１８ｂ、および、合算保留記憶表示部１８ｃでは、変動表示を行なう権利の数を視認可能な態様で各権利に対応する保留記憶表示が行なわれる。
【００５７】
なお、この実施の形態では、図１に示すように、第２始動入賞口１４に対してのみ開閉動作を行なう可変入賞球装置１５が設けられているが、第１始動入賞口１３および第２始動入賞口１４のいずれについても開閉動作を行なう可変入賞球装置が設けられている構成であってもよい。
パチンコ遊技機１においては、第１特別図柄表示器８ａまたは第２特別図柄表示器８ｂによる変動表示の表示結果が大当り表示結果となったとき、そして、このような表示結果に対応して演出表示装置９による変動表示の表示結果が大当り表示結果となったときに、遊技者にとって有利な大入賞口の開放制御状態を実行する権利が発生した権利発生状態に制御される。
【００５８】
そして、権利発生状態において、遊技球が、第１特定ゲート６１に進入して第１特定ゲートスイッチ６１ａにより検出され、第２特定ゲート６２に進入して第２特定ゲートスイッチ６２ａにより検出され、または、第３特定ゲート６３に進入して第３特定ゲートスイッチ６３ａにより検出されると、大入賞口の開放制御状態（大当り遊技状態）に制御される。つまり、権利発生状態において、遊技球が、第１特定ゲート６１、第２特定ゲート６２、および、第３特定ゲート６３のうちいずれかの特定ゲートを通過することに基づいて、大入賞口の開放制御状態（大当り遊技状態）に制御される。言い換えると、権利発生状態において、遊技球が、第１特定ゲート６１、第２特定ゲート６２、および、第３特定ゲート６３のうちいずれかの特定ゲートを通過することに基づいて、大入賞口の開放制御状態に制御される（大当り遊技状態）という価値が付与される。
【００５９】
本実施の形態では、変動表示の表示結果が大当り表示結果となることに基づいて権利発生状態となり、権利発生状態において遊技球が第１特定ゲート６１、第２特定ゲート６２、および、第３特定ゲート６３のうちいずれかに進入すると特別可変入賞球装置２０の大入賞口を開放する開放制御状態となる。遊技者にとって有利となる大当り遊技状態は、このような権利発生状態後の開放制御状態が該当する。したがって、変動表示の表示結果が大当り表示結果となったとき、および、当該大当り表示結果になったことに基づいて権利発生状態となったときに、大当り遊技状態（開放制御状態）に制御可能となる所定条件が成立することとなる。変動表示の表示結果を大当り表示結果とするか否かは、変動表示結果が表示される前に事前決定される。したがって、このような事前決定は、権利発生状態、すなわち、開放制御状態（大当り遊技状態）に制御可能な状態とするか否かの事前決定と定義することができる。また、権利発生状態は、遊技球が特定ゲート（第１特定ゲート６１、第２特定ゲート６２、第３特定ゲート６３）に進入すること以外の条件で終了することはない。
【００６０】
なお、権利発生状態とする大当り表示結果を決定することが結果的に開放制御状態に制御することに関与するので、表示結果を決定することを、大当りとするか否かを決定する大当り判定と呼ぶ場合がある。また、本実施の形態では、大入賞口が開放される開放制御状態が遊技者にとって有利な状態であるので、開放制御状態のみを「大当り」と呼ぶが、権利発生状態も開放制御状態に制御されることが保証された遊技者にとって有利な状態であるので、権利発生状態と開放制御状態とを含めて「大当り」と呼んでもよい。したがって、本実施の形態において「大当り」と呼ぶときは、基本的に開放制御状態を示すが、たとえば後述する「大当り確率」のように権利発生状態となる大当り表示結果を決定する確率等のように、「大当り」という概念で示した方が意味が分かりやすくなるときには、権利発生状態および開放制御状態の両者を含む概念として、「大当り」と呼ぶ場合がある。
【００６１】
なお、権利発生状態において遊技球が進入したときに開放制御状態（大当り遊技状態）に制御されることとなる特定領域としては、遊技球が進入可能な領域であればよく、第１特定ゲート６１、第２特定ゲート６２、および、第３特定ゲート６３のように遊技球が通過するゲート構造の領域であってもよく、遊技球がパチンコ遊技機１の内部に受入れられる入賞口（電動チューリップを備えた可変入賞球装置型の入賞口、および、電動チューリップを備えない入賞口）構造の領域であってもよい。また、特定領域としてはゲート構造の領域であって、各ゲートの入側に電動チューリップのように閉状態と開状態とに変化可能な可動部材が設けられたものであってもよい。
【００６２】
また、このような特定領域としては、第１特定ゲート６１、第２特定ゲート６２、および、第３特定ゲート６３のような特定領域専用の領域が設けられてもよく、他の制御または賞球の払出し等の他の目的でも用いられる領域を兼用するものであってもよい。
【００６３】
特定領域として他の目的で用いられる領域を兼用する例としては、次のようなものがある。たとえば、普図ゲート３２を設けずに、第１特定ゲート６１、第２特定ゲート６２、および、第３特定ゲート６３のうちの一部が普図ゲート３２を兼用できるようにしてもよい。また、第１特定ゲート６１、第２特定ゲート６２、および、第３特定ゲート６３のすべてが普図ゲート３２を兼用できるようにしてもよい。このようにする場合に、第１特定ゲート６１、第２特定ゲート６２、および、第３特定ゲート６３の一部または全部は、権利発生状態でないときには普通図柄表示器１０の変動表示制御に用いられ、権利発生状態であるときには前述した特定ゲートとして用いられるようにすればよい。
【００６４】
また、第１特定ゲート６１、第２特定ゲート６２、および、第３特定ゲート６３を設けずに、入賞口（普通入賞口）２９，３０のような入賞に応じて賞球が払出される３の３つの一般入賞口を第１特定ゲート６１、第２特定ゲート６２、および、第３特定ゲート６３のような特定領域として兼用できるようにしてもよい。このようにする場合に、対象となる３つの一般入賞口は、権利発生状態でないときには通常の入賞領域として用いられ、権利発生状態であるときには前述した特定領域として用いられるようにすればよい。また、第１特定ゲート６１、第２特定ゲート６２、および、第３特定ゲート６３を設けずに、電動チューリップを備えた可変入賞球装置、または、電動チューリップを備えない入賞口よりなる３つの始動入賞口を設け、これらの全部または一部を、第１特定ゲート６１、第２特定ゲート６２、および、第３特定ゲート６３のような特定領域として兼用できるようにしてもよい。このようにする場合に、対象となる３つの始動入賞口は、権利発生状態でないときには始動入賞口として用いられ、権利発生状態であるときには一部または全部が前述した特定領域として用いられるようにすればよい。
【００６５】
本実施の形態では、前述したように、遊技領域７における複数の領域（左領域７ａ、右領域７ｂ）のうちの特別可変入賞球装置２０が設けられた領域に、第１特定ゲート６１、第２特定ゲート６２、および、第３特定ゲート６３が設けられている。そして、打球操作ハンドル５の操作量に応じて打球発射装置の発射強度を変更することで、右打ちまたは左打ちする等、遊技者の選択により遊技球を打込む領域が変更できるので、遊技者が大入賞口の開放制御状態を開始させる意思を持ったときに開放制御状態を開始させることができるようになり、遊技者の意に反した時期に開放制御状態が開始されてしまうことを防ぐことができる。
【００６６】
演出表示装置９における演出図柄の変動表示中には、リーチ状態が生じる場合がある。ここで、リーチ状態は、演出表示装置９の表示領域において停止表示された演出図柄が大当り図柄の組合せの一部を構成しているときに未だ停止表示されていない演出図柄の変動が継続している表示状態、または、全部もしくは一部の演出図柄が大当り図柄の組合せの全部または一部を構成しながら同期して変動している表示状態である。言い換えると、リーチとは、複数の変動表示領域において識別情報が特定表示結果を構成しているが少なくとも一部の変動領域が変動表示中である状態をいう。この実施形態において、リーチ状態は、たとえば、左，右の図柄表示エリアで同じ図柄が停止し、中の図柄表示エリアで図柄が停止していない状態で形成される。リーチ状態が形成されるときの左，右の図柄表示エリアで停止された図柄は、リーチ形成図柄、または、リーチ図柄と呼ばれる。
【００６７】
そして、リーチ状態における表示演出が、リーチ演出表示（リーチ演出）である。また、リーチの際に、通常と異なる演出がランプや音で行なわれることがある。この演出をリーチ演出という。また、リーチの際に、キャラクタ（人物等を模した演出表示であり、図柄（演出図柄等）とは異なるもの）を表示させたり、演出表示装置９の背景画像の表示態様（たとえば、色等）を変化させたりすることがある。このキャラクタの表示や背景の表示態様の変化をリーチ演出表示という。また、リーチの中には、それが出現すると、通常のリーチ（ノーマルリーチ）に比べて、大当り表示結果が発生しやすいように設定され、大当り表示結果となる信頼度が高いものがある。このような特別（特定）のリーチをスーパーリーチという。
【００６８】
また、図１に示すように、遊技領域７における右領域７ｂには、可変入賞球装置１５の下方に、遊技球が入賞可能な特別可変入賞球装置２０が設けられている。特別可変入賞球装置２０は、大入賞口と呼ばれる入賞口を開閉可能な開閉板を備え、遊技球が入賞可能な開状態（第１の状態）と、遊技球が入賞しない閉状態（第２の状態）とに変化可能な可変入賞装置である。これにより、特別可変入賞球装置２０は、右領域７ｂに設けられており、「右打ち」をしたときに遊技球が進入可能であるが、「左打ち」をしたときには遊技球が進入不可能となるように、構造物および釘の配列等により遊技球の流路が形成されている。なお、特別可変入賞球装置２０は、右領域７ｂに設けられ、「右打ち」をしたときが「左打ち」をしたときよりも遊技球が進入しやすいように、構造物および釘８の配列等により遊技球の流路が形成されてもよい。また、特別可変入賞球装置２０は、左領域７ａに設けられ、「左打ち」をしたときに遊技球が進入可能であるが、「右打ち」をしたときには遊技球が進入不可能となるように、構造物および釘８の配列等により遊技球の流路が形成されてもよい。また、特別可変入賞球装置２０は、左領域７ａに設けられ、「左打ち」をしたときが「右打ち」をしたときよりも遊技球が進入しやすいように、構造物および釘の配列等により遊技球の流路が形成されてもよい。また、特別可変入賞球装置２０は、特別可変入賞球装置２０は、閉状態において、入賞はしづらいものの、入賞することは可能である（すなわち、遊技球が入賞しにくい）ように構成されていてもよい。このように、特別可変入賞球装置２０が閉状態になっている状態は、遊技球が特別可変入賞球装置２０に入賞しにくいまたは入賞しない状態であればよい。つまり、特別可変入賞球装置２０は、遊技球が入賞可能な第１の状態（開状態）と該第１の状態よりも遊技球が入賞しにくいまたは入賞しない第２の状態（開状態）とに変化可能なものであればよい。
【００６９】
特別可変入賞球装置２０は、開放制御状態となったときに、ソレノイド２１によって開閉板が開放状態に制御されることによって、入賞領域となる大入賞口が開放状態になる。大入賞口に入賞した遊技球はカウントスイッチ２３で検出される。
【００７０】
開放制御状態（大当り遊技状態）においては、特別可変入賞球装置２０が開放状態と閉鎖状態とを繰返す繰返し継続制御が行なわれる。繰返し継続制御において、特別可変入賞球装置２０が開放されている状態が、ラウンドと呼ばれる（Ｒという記号で示される場合がある）。従来のパチンコ遊技機では、権利発生状態において特定領域に遊技球が１個進入すると入賞口が１回開放するものであったので、権利発生状態が終了するまでに遊技球を複数回繰返して特定領域に遊技球を進入させる必要があり、遊技の進行させ方が煩雑なものであった。これに対し、本実施の形態のパチンコ遊技機１では、権利発生状態において第１特定ゲート６１、第２特定ゲート６２、および、第３特定ゲート６３のうちのいずれかに遊技球が一度進入すると、進入した特定ゲートに応じて決定されたラウンド数に基づいて、第１ラウンドから最終ラウンドまでのすべてのラウンドが実行される大入賞口の開放制御が行なわれる。これにより、本実施の形態のパチンコ遊技機１では、遊技の進行させ方を、簡素なものとすることができ、遊技の進行状況に対応するとともに、遊技の進行させ方を容易にすることができる。また、本実施の形態では、大当りの種別が複数設けられており、大当り表示結果とすることが決定されたときには、いずれかの大当り種別が選択される。
【００７１】
遊技盤６の遊技領域７の左右周辺には、遊技中に点滅表示されるランプ（発光体）としての装飾ＬＥＤ２５が設けられ、下部には、入賞しなかった打球が取込まれるアウト口２６がある。また、遊技領域７の外側の左右上部には、所定の音声出力として効果音や音声を発声する２つのスピーカ２７Ｒ，２７Ｌが設けられている。遊技領域７の外周上部、外周左部および外周右部には、前面枠に設けられたランプ（発光体）としての天枠ＬＥＤ２８ａ、左枠ＬＥＤ２８ｂおよび右枠ＬＥＤ２８ｃが設けられている。
【００７２】
左枠ＬＥＤ２８ｂの近傍には賞球残数があるときに点灯する賞球ＬＥＤ５１が設けられ、右枠ＬＥＤ２８ｃの近傍には補給球が切れたときに点灯する球切れＬＥＤ５２が設けられている。また、左枠ＬＥＤ２８ｂの近傍には、パチンコ遊技機１の電源投入時（起動時）において、バックアップデータに基づいて確変状態となっているときに点灯することで確変状態であることを報知する確変報知ＬＥＤ５３が設けられている。当該確変報知ＬＥＤ５３は、電源投入時以外のときは、消灯しており、電源投入時にのみ、状態に応じて点灯する。天枠ＬＥＤ２８ａ、左枠ＬＥＤ２８ｂおよび右枠ＬＥＤ２８ｃおよび装飾ＬＥＤ２５は、パチンコ遊技機１に設けられている演出用の発光体の一例である。なお、上述した演出用（装飾用）の各種ＬＥＤの他にも演出のためのＬＥＤやランプが設置されている。
【００７３】
打球供給皿３の右側の所定位置には、押圧操作により遊技者が操作可能な操作ボタン１３０が設置されている。操作ボタン１３０には、操作を検出するための操作検出スイッチ１３１が設けられている。なお、操作ボタン１３０は、押圧操作するボタンに限らず、押下可能なジョグボタン、および、回動可能なジョグダイアルといった、その他の構成の操作手段により構成されてもよい。このような操作ボタン１３０は、たとえば、変動表示中の演出に応じて、操作する等、所定の演出が行なわれるときに操作が要求される。
【００７４】
また、プリペイドカードが挿入されることによって球貸しを可能にするプリペイドカードユニット（以下、単に「カードユニット」ともいう。）が、パチンコ遊技機１に隣接して設置される（図示せず）。
【００７５】
図２においては、（Ａ）に大当り時の制御の概要が表形式で示され、（Ｂ）に特定ゲートの種別と大当り時のラウンド数（ラウンド上限値）との関係が示されている。
【００７６】
「大当り」のうち、大当り遊技状態に制御された後、特別遊技状態として、通常状態（確変状態でない通常の遊技状態）に比べて大当りとすることに決定される確率が高い状態である確変状態（確率変動状態の略語であり、高確率状態ともいう）に移行する大当りの種類（種別）は、「確変大当り」と呼ばれる。
【００７７】
「大当り」のうち、大当り遊技状態に制御された後、通常状態（確変状態でない通常の遊技状態）に移行する大当りの種類（種別）は、「通常大当り」と呼ばれる。
【００７８】
図２（Ａ）では、通常大当りと確変大当りとの大当り種別ごとに、大当り遊技状態の終了後の大当り確率、大当り遊技状態の終了後のベース、大当り遊技状態の終了後の変動時間、大当り遊技状態における開放回数（ラウンド数）、および、各ラウンドの開放時間が示されている。図２（Ａ）に示すように、本実施の形態では、通常大当りと、確変大当りとの複数種類の大当り遊技状態が設けられている。
【００７９】
具体的に、通常大当りおよび確変大当りのそれぞれの大当り遊技状態においては、特別可変入賞球装置２０が、開放状態とされた後、所定の開放状態の終了条件（開放状態において所定期間（たとえば２９秒間）が経過したこと、または、所定個数（たとえば１０個）の入賞球が発生したという開放終了条件）が成立したことに応じて閉鎖状態とされる。そして、開放終了条件が成立すると、継続権が発生し、特別可変入賞球装置２０の開放が再度行なわれる。継続権の発生は、大当り遊技状態における開放回数が、ラウンド数の上限値（最終ラウンド）に達するまで繰返される。
【００８０】
通常大当りおよび確変大当りのそれぞれの大当り遊技状態におけるラウンド数の上限値は、（Ｂ）に示されるように、第１特定ゲート６１、第２特定ゲート６２、および、第３特定ゲート６３のうち、どの特定ゲートへの遊技球の進入が、権利発生状態から開放制御状態に移行するきっかけとなったかに応じて異なるように設定されている。たとえば、第１特定ゲート６１への遊技球の進入に基づいて開放制御状態に移行したときには、ラウンド数の上限値が５ラウンドに決定される。第２特定ゲート６２への遊技球の進入に基づいて開放制御状態に移行したときには、ラウンド数の上限値が１０ラウンドに決定される。第３特定ゲート６３への遊技球の進入に基づいて開放制御状態に移行したときには、ラウンド数の上限値が１５ラウンドに決定される。
【００８１】
このように、第１特定ゲート６１、第２特定ゲート６２、および、第３特定ゲート６３のそれぞれは、遊技球が進入したときに移行する開放制御状態（大当り遊技状態）でのラウンド数の上限値が異なるように、遊技球が進入したときに移行する開放制御状態（大当り遊技状態）において付与される価値の大きさが異なる。
【００８２】
なお、特定ゲートへの遊技球の侵入により付与される価値としては、開放制御状態のラウンド数のみに限らず、各ラウンドの開放時間、確変状態に制御するか否か、確変状態の継続を変動表示回数により制限するとき（たとえば、変動表示が１００回実行されると確変状態を終了させる等）の確変回数、時短状態に制御するか否か（確変状態に伴って制御する場合と、確変状態に伴わずに制御する場合とを含む）、および、変動パターンの変動時間の長短のうち、いずれか１つ、または、複数の組合せとすることが考えられる。このような場合に、特定ゲートへ遊技球の進入に基づく開放制御状態（大当り遊技状態）において付与される価値の大きさが特定ゲートの種別により異なるようにするときには、これら価値のうち、いずれか１つ、または、複数の組合について、価値の大きさを異ならせるようにすればよい。
【００８３】
このように、大当りとなるときには、権利発生状態においていずれの特定ゲートに遊技球が進入したかに応じて、開放制御状態におけるラウンド数が異なるように制御される。
【００８４】
通常大当りと確変大当りとのそれぞれについて、ラウンド数が異なる大当りが選択され得るので、ラウンド数が異なる大当りについても種別が異なる大当りとして類別した場合、本実施の形態では、５Ｒ通常大当り、１０Ｒ通常大当り、１５Ｒ通常大当り、５Ｒ確変大当り、１０Ｒ確変大当り、および、１５Ｒ確変大当りという複数の種別の大当りが選択され得ることとなる。
【００８５】
この実施の形態では、５Ｒ通常大当り、１０Ｒ通常大当り、および、１５Ｒ通常大当りのような通常大当りについて、これらを総称して「通常大当り」として示す場合があり、５Ｒ通常大当り、１０Ｒ通常大当り、または、１５Ｒ通常大当りというように、ラウンド数を特定した通常大当りとして示す場合がある。同様に、この実施の形態では、５Ｒ確変大当り、１０Ｒ確変大当り、および、１５Ｒ確変大当りのような確変大当りについて、これらを総称して「確変大当り」として示す場合があり、５Ｒ確変大当り、１０Ｒ確変大当り、または、１５Ｒ確変大当りというように、ラウンド数を特定した確変大当りとして示す場合がある。
【００８６】
なお、本実施の形態では、通常大当りと確変大当りとについて、ラウンド数の上限値の選択対象（５Ｒ、１０Ｒ、１５Ｒ）が同じである例を説明するが、これに限らず、大当り種別により、ラウンド数の上限値の選択対象が異なる（たとえば、確変大当りのときには通常大当りのときよりも選択対象のラウンド数の上限値が大きい等）ようにしてもよい。
【００８７】
本実施の形態では、特別遊技状態としては、確変状態に付随して、特別図柄や演出図柄の変動時間（変動表示期間）が非時短状態よりも短縮される時短状態に制御される。なお、特別遊技状態としては、確変状態とは独立して時短状態に制御される場合があるようにしてもよい。また、本願実施の形態では、通常大当りで大当り遊技状態に制御された後についても、時短状態に制御される。なお、通常大当りで大当り遊技状態に制御された後は、時短状態に制御されないようにしてもよい。
【００８８】
このように、時短状態に移行することによって、特別図柄や演出図柄の変動時間が短縮されるので、時短状態となったときには、有効な始動入賞が発生しやすくなり大当り遊技が行なわれる可能性が高まる。
【００８９】
また、本実施の形態では、特別遊技状態としては、確変状態に付随して、可変入賞球装置１５が開状態になる頻度を高くすることにより可変入賞球装置１５に遊技球が進入する頻度を高くして可変入賞球装置１５への入賞を容易化（高進入化、高頻度化）する電チューサポート制御状態に制御される。なお、特別遊技状態としては、確変状態とは独立して電チューサポート制御状態に制御される場合があるようにしてもよい。また、本願実施の形態では、通常大当りで大当り遊技状態に制御された後についても、電チューサポート制御状態に制御される。なお、通常大当りで大当り遊技状態に制御された後は、電チューサポート制御状態に制御されないようにしてもよい。
【００９０】
ここで、電チューサポート制御について説明する。電チューサポート制御としては、普通図柄の変動時間（変動表示開始時から表示結果の導出表示時までの時間）を短縮して早期に表示結果を導出表示させる制御（普通図柄短縮制御）、普通図柄の停止図柄が当り図柄になる確率を高める制御（普通図柄確変制御）、可変入賞球装置１５の開放時間を長くする制御（開放時間延長制御）、および、可変入賞球装置１５の開放回数を増加させる制御（開放回数増加制御）が行なわれる。このような制御が行なわれると、当該制御が行なわれていないときと比べて、可変入賞球装置１５が開状態となっている時間比率が高くなるので、第２始動入賞口１４への入賞頻度が高まり、遊技球が始動入賞しやすくなる（特別図柄表示器８ａ，８ｂや演出表示装置９における変動表示の実行条件が成立しやすくなる）。また、このような制御によって第２始動入賞口１４への入賞頻度が高まることにより、第２始動条件の成立頻度および／または第２特別図柄の変動表示の実行頻度が高まる遊技状態となる。
【００９１】
このような電チューサポート制御により第２始動入賞口１４への入賞頻度が高められた状態（高頻度状態）は、発射球数に対して入賞に応じて賞球として払出される遊技球数の割合である「ベース」が、当該制御が行なわれないときと比べて、高い状態であるので、「高ベース状態」と呼ばれる。また、このような制御が行なわれないときは、「低ベース状態」と呼ばれる。また、このような制御は、可変入賞球装置１５、すなわち、電動チューリップにより入賞をサポートすることにより可変入賞球装置１５への入賞を容易化する制御であり、「電チューサポート制御」と呼ばれる。
【００９２】
さらに、電チューサポート制御としては、普通図柄短縮制御状態、普通図柄確変制御状態、開放時間延長制御状態、および、開放回数増加制御状態のうちのいずれか複数を組合せた状態に移行させることによって、高ベース状態に移行するようにしてもよい。また、電チューサポート制御としては、普通図柄短縮制御状態、普通図柄確変制御状態、開放時間延長制御状態、および、開放回数増加制御状態のうちのいずれか１つの状態に移行させることによって、高ベース状態に移行するようにしてもよい。このように、電チューサポート制御としては、普通図柄短縮制御状態、普通図柄確変制御状態、開放時間延長制御状態、および、開放回数増加制御状態のうち、いずれか１つの状態、いずれか複数（すべての組合せを除く）を組合せた状態、または、すべてを組合せた状態に制御するものであれば、どのような制御を行なうようにしてもよい。
【００９３】
本実施の形態では、特別遊技状態として、確変状態に付随して、時短状態および電チューサポート制御状態に制御される。なお、特別遊技状態として、確変状態とは独立して時短状態および電チューサポート制御状態に制御される場合があるようにしてもよい。その他、特別遊技状態における時短状態と電チューサポート制御状態との関係としては、時短状態に付随して電チューサポート制御状態に制御されるようにしてもよく、時短状態に独立して電チューサポート制御状態に制御されるようにしてもよい。
【００９４】
また、本実施の形態では、通常大当りの大当り遊技状態後の制御状態として、時短状態および電チューサポート制御状態に制御される。なお、通常大当りの大当り遊技状態後の制御状態として、時短状態とは独立して電チューサポート制御状態に制御される場合があるようにしてもよい。
【００９５】
この実施の形態の場合は、大当り遊技状態の終了後において、特別遊技状態として、確変状態に制御されたときに時短状態および電チューサポート制御状態に制御されるが、確変状態に制御されたときに時短状態および電チューサポート制御状態に制御されない場合があるようにしてもよい。また、大当り遊技状態の終了後において、確変状態に制御されず通常状態となるときは、変動表示回数により期間が制限されずに、次回の大当りが発生するまでの間、時短状態および電チューサポート制御状態に制御されるようにしてもよい。
【００９６】
この実施の形態においては、大当り確率の状態を示す用語として、「高確率状態（確変状態）」と、「低確率状態（非確変状態）」とを用い、ベースの状態の組合せを示す用語として、「高ベース状態（電チューサポート制御状態）」と、「低ベース状態（非電チューサポート制御状態）」とを用いる。
【００９７】
また、この実施の形態においては、大当り確率の状態およびベースの状態の組合せを示す用語として、「低確低ベース状態」、「高確高ベース状態」、および、「低確高ベース状態」を用いる。なお、「高確低ベース状態」に制御可能となるようにしてもよい。「低確低ベース状態」とは、大当り確率の状態が低確率状態で、かつ、ベースの状態が低ベース状態であることを示す状態である。「高確高ベース状態」とは、大当り確率の状態が高確率状態で、かつ、ベースの状態が高ベース状態であることを示す状態である。「高確低ベース状態」とは、大当り確率の状態が高確率状態で、かつ、ベースの状態が低ベース状態であることを示す状態である。「低確高ベース状態」とは、大当り確率の状態が低確率状態で、かつ、ベースの状態が高ベース状態であることを示す状態である。
【００９８】
以上に説明したように、本実施の形態において、確変大当りは、１５ラウンドの大当り遊技状態の終了後に、確変状態、時短状態、および、電チューサポート制御状態（高確高ベース状態）に移行する制御が行なわれる大当りである。確変大当りの場合は、確変状態、時短状態、および、電チューサポート制御状態が、変動表示回数とは関係なく、次回の大当りが発生するまでという条件が成立するまでの期間継続する。
【００９９】
また、以上に説明したように、本実施の形態において、通常大当りは、１５ラウンドの大当り遊技状態の終了後に、非確変状態、時短状態、および、電チューサポート制御状態（低確高ベース状態）に移行する制御が行なわれる大当りである。通常大当りの場合は、時短状態、および、電チューサポート制御状態が、変動表示が１００回という所定回数実行されるまでという条件と、次回の大当りが発生するまでという条件とのいずれか早い方の条件が成立するまでの期間継続する。
【０１００】
また、大当りとしては、大当り遊技状態について、ラウンド数が同じであるが、１回の開放時間が長い開放パターンの大当りと、１回の開放時間が短い開放パターンの大当りとを設ける等、ラウンド数が同じであるが開放パターンが異なるものを複数設け、第１特別図柄の変動表示で大当りとなったときと、第２特別図柄の変動表示で大当りとなったときとで異なる選択割合で選択して実行されるようにしてもよい。
【０１０１】
本実施の形態のパチンコ遊技機１は、打球操作ハンドル５の操作量を調整することにより発射強度を調整することにより、次のような態様で遊技者が遊技球を左領域７ａまたは右領域７ｂへ打分けることにより、遊技者にとって有利な状態に制御されやすくなるように構成されている。
【０１０２】
低確低ベース状態のような低ベース状態においては、時短状態に付随する高ベース状態よりと比べて可変入賞球装置１５が開状態になりにくく、第１始動入賞口１３の方が第２始動入賞口１４よりも遊技球が進入しやすい。したがって、低確低ベース状態においてより多数の始動入賞を得たい場合に、遊技者は、第１始動入賞口１３を狙って「左打ち」をすればよい。
【０１０３】
また、高確高ベース状態および低確高ベース状態のような大当り遊技状態後の時短状態に付随する高ベース状態においては、電チューサポート制御等により、低ベース状態よりと比べて可変入賞球装置１５が開状態になりやすく、第２始動入賞口１４４の方が第１始動入賞口１３よりも遊技球が進入しやすい。したがって、大当り遊技状態後の高ベース状態においてより多数の始動入賞を得たい場合に、第２始動入賞口１４が設けられた可変入賞球装置１５を開状態にするために、普図ゲート３２を狙って「右打ち」をすればよい。
【０１０４】
また、特別図柄および演出図柄の変動表示結果が大当り表示結果となって権利発生状態となったときには、遊技球が、第１特定ゲート６１、第２特定ゲート６２、および、第３特定ゲート６３のうちいずれかを通過すれば大入賞口の開放制御状態となる大当り遊技状態に制御される。したがって、権利発生状態において大入賞口の開放制御状態に移行させたい場合には、第１特定ゲート６１、第２特定ゲート６２、および、第３特定ゲート６３を狙って「右打ち」をすればよい。
【０１０５】
また、権利発生状態において遊技球が第１特定ゲート６１、第２特定ゲート６２、および、第３特定ゲート６３のうちいずれかを通過して大入賞口の開放制御状態となったときには、特別可変入賞球装置２０の大入賞口を狙って「右打ち」をすればよい。
【０１０６】
図３は、主基板（遊技制御基板）３１における回路構成の一例を示すブロック図である。なお、図３には、払出制御基板３７および演出制御基板８０等も示されている。主基板３１には、プログラムにしたがってパチンコ遊技機１を制御する遊技制御用マイクロコンピュータ（遊技制御手段に相当）５６０が搭載されている。払出制御基板３７には、プログラムにしたがって入賞に応じた賞球を払出す制御を行なう払出制御用マイクロコンピュータが搭載されている。また、演出制御基板８０には、プログラムにしたがって各種演出制御を行なう演出制御用マイクロコンピュータが搭載されている。
【０１０７】
遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムにしたがって制御動作を行なうＣＰＵ５６およびＩ／Ｏポート部５７を含む。この実施の形態では、ＲＯＭ５４およびＲＡＭ５５は遊技制御用マイクロコンピュータ５６０に内蔵されている。すなわち、遊技制御用マイクロコンピュータ５６０は、１チップマイクロコンピュータである。１チップマイクロコンピュータには、少なくともＣＰＵ５６のほかＲＡＭ５５が内蔵されていればよく、ＲＯＭ５４は外付けであっても内蔵されていてもよい。また、Ｉ／Ｏポート部５７は、外付けであってもよい。遊技制御用マイクロコンピュータ５６０には、さらに、ハードウェア乱数（ハードウェア回路が発生する乱数）を発生する乱数回路５０３が内蔵されている。
【０１０８】
なお、遊技制御用マイクロコンピュータ５６０においてＣＰＵ５６がＲＯＭ５４に格納されているプログラムにしたがって制御を実行するので、以下、遊技制御用マイクロコンピュータ５６０（またはＣＰＵ５６）が実行する（または、処理を行なう）ということは、具体的には、ＣＰＵ５６がプログラムにしたがって制御を実行することである。このことは、主基板３１以外の他の基板に搭載されているマイクロコンピュータについても同様である。
【０１０９】
乱数回路５０３は、特別図柄の変動表示の表示結果により大当りとするか否か判定するための判定用の乱数を発生するために用いられるハードウェア回路である。乱数回路５０３は、初期値（たとえば、０）と上限値（たとえば、６５５３５）とが設定された数値範囲内で、数値データを、設定された更新規則にしたがって更新し、ランダムなタイミングで発生する始動入賞時が数値データの読出（抽出）時であることに基づいて、読出される数値データが乱数値となる乱数発生機能を有する。
【０１１０】
乱数回路５０３は、数値データの更新範囲の選択設定機能（初期値の選択設定機能、および、上限値の選択設定機能）、数値データの更新規則の選択設定機能、および数値データの更新規則の選択切替え機能等の各種の機能を有する。このような機能によって、生成する乱数のランダム性を向上させることができる。
【０１１１】
また、遊技制御用マイクロコンピュータ５６０は、乱数回路５０３が更新する数値データの初期値を設定する機能を有している。たとえば、ＲＯＭ５４等の所定の記憶領域に記憶された遊技制御用マイクロコンピュータ５６０のＩＤナンバ（遊技制御用マイクロコンピュータ５６０の各製品ごとに異なる数値で付与されたＩＤナンバ）を用いて所定の演算を行なって得られた数値データを、乱数回路５０３が更新する数値データの初期値として設定する。そのような処理を行なうことによって、乱数回路５０３が発生する乱数のランダム性をより向上させることができる。
【０１１２】
遊技制御用マイクロコンピュータ５６０は、第１始動口スイッチ１３ａまたは第２始動口スイッチ１４ａへの始動入賞が生じたときに乱数回路５０３から数値データをランダムＲとして読出し、特別図柄および演出図柄の変動開始時にランダムＲに基づいて特定の表示結果としての大当り表示結果にするか否かを決定することにより、大当りとするか否かを決定する。そして、大当りとすると決定したときに、遊技状態を遊技者にとって有利な特定遊技状態としての大当り遊技状態に移行させる。
【０１１３】
また、ＲＡＭ５５は、その一部または全部が電源基板において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御用マイクロコンピュータ５６０の制御状態に応じたデータ（特別図柄プロセスフラグや各保留記憶数カウンタの値等）と未払出賞球数を示すデータは、バックアップＲＡＭに保存される。遊技制御用マイクロコンピュータ５６０の制御状態に応じたデータとは、停電等が生じた後に復旧した場合に、そのデータに基づいて、制御状態を停電等の発生前に復旧させるために必要なデータである。本実施の形態の場合、このようにバックアップＲＡＭに保存される遊技制御用マイクロコンピュータ５６０の制御状態に応じたデータ（バックアップデータ）には、権利発生状態に制御されているときにセットされる権利発生フラグ、および、確変状態に制御されているときにセットされる確変フラグに関するデータが含まれている。また、制御状態に応じたデータと未払出賞球数を示すデータとを遊技の進行状態を示すデータと定義する。なお、この実施の形態では、ＲＡＭ５５の全部が、電源バックアップされているとする。
【０１１４】
遊技制御用マイクロコンピュータ５６０のリセット端子には、電源基板からのリセット信号が入力される。電源基板には、遊技制御用マイクロコンピュータ５６０等に供給されるリセット信号を生成するリセット回路が搭載されている。なお、リセット信号がハイレベルになると遊技制御用マイクロコンピュータ５６０等は動作可能状態になり、リセット信号がローレベルになると遊技制御用マイクロコンピュータ５６０等は動作停止状態になる。したがって、リセット信号がハイレベルである期間は、遊技制御用マイクロコンピュータ５６０等の動作を許容する許容信号が出力されていることになり、リセット信号がローレベルである期間は、遊技制御用マイクロコンピュータ５６０等の動作を停止させる動作停止信号が出力されていることになる。なお、リセット回路をそれぞれの電気部品制御基板（電気部品を制御するためのマイクロコンピュータが搭載されている基板）に搭載してもよい。
【０１１５】
さらに、遊技制御用マイクロコンピュータ５６０の入力ポートには、電源基板からの電源電圧が所定値以下に低下したことを示す電源断信号が入力される。すなわち、電源基板には、遊技機において使用される所定電圧（たとえば、ＤＣ３０ＶやＤＣ５Ｖ等）の電圧値を監視して、電圧値が予め定められた所定値にまで低下すると（電源電圧の低下を検出すると）、その旨を示す電源断信号を出力する電源監視回路が搭載されている。また、遊技制御用マイクロコンピュータ５６０の入力ポートには、ＲＡＭの内容をクリアすることを指示するためのクリアスイッチが操作されたことを示すクリア信号が入力される。
【０１１６】
また、第１特定ゲートスイッチ６１ａ、第２特定ゲートスイッチ６２ａ、第３特定ゲートスイッチ６３ａ、普図ゲートスイッチ３２ａ、第１始動口スイッチ１３ａ、第２始動口スイッチ１４ａ、カウントスイッチ２３、入賞口スイッチ２９，３０からの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令にしたがって駆動する出力回路５９も主基板３１に搭載されている。
【０１１７】
また、遊技制御用マイクロコンピュータ５６０は、第１特別図柄表示器８ａ、第２特別図柄表示器８ｂ、普通図柄表示器１０、第１特別図柄保留記憶表示器１８ａ、第２特別図柄保留記憶表示器１８ｂ、普通図柄保留記憶表示器４１、および、確変報知ＬＥＤ５３の表示制御を行なう。
【０１１８】
遊技制御用マイクロコンピュータ５６０は、第１始動口スイッチ１３ａ、第２始動口スイッチ１４ａ、カウントスイッチ２３、および、入賞口スイッチ２９，３０のいずれかがオンしたことに基づく入賞検出に応じて、払出制御基板３７に搭載されている払出制御用マイクロコンピュータに、賞球個数を示す払出制御コマンドとしての賞球個数コマンド（賞球個数信号）を出力する。払出制御用マイクロコンピュータは、賞球個数コマンドが示す賞球個数に応じて駆動信号を供給することで、球払出装置９７を駆動する。球払出装置９７には、賞球を払出す払出モータが備えられている。払出制御用マイクロコンピュータにより払出モータが回転駆動制御されることにより、払出制御用マイクロコンピュータにより指定された個数の賞球が球払出装置９７から払出される。
【０１１９】
また、遊技球を打撃して発射する打球発射装置は、タッチセンサ基板９１上の回路によって制御される発射モータ９４を含み、発射モータ９４が回転することによって遊技球を遊技領域７に向けて発射する。遊技者が打球操作ハンドル５に触れていることはタッチセンサおよびタッチセンサ回路（遊技者が打球操作ハンドル５に触れているか否かを検出するための検出回路等を含む回路）で検出され、タッチセンサ回路からの信号がオフ状態を示している場合には、発射モータ９４の駆動を停止する。
【０１２０】
タッチセンサ基板９１には、間欠的に繰り返しパルス（ステッピングモータとしての発射モータ９４の各相に供給されるパルス信号）を発生するパルス発生器と、単発パルスを発生する単発パルス発生器とが設けられている。タッチセンサ回路からの信号がオン状態を示している場合に、パルス発生器が発生するパルスが発射モータ９４に供給される。さらに、打球操作ハンドル５に、または、打球操作ハンドル５の近傍に、発射停止スイッチが設けられ、発射停止スイッチが操作されているときにはパルス発生器のパルス出力が停止される。
【０１２１】
なお、パルス発生器のパルス出力は、払出制御基板３７からの発射制御信号がオフ状態になったときにも停止される。また、打球発射装置には単発発射スイッチが設けられ、単発発射スイッチが操作されると、単発パルス発生器が発生する単発パルスが発射モータ９４に供給される。
【０１２２】
なお、この実施の形態では、タッチセンサ基板９１にパルス発生器が設けられているが、発射モータ９４に供給されるパルスの発生機能を払出制御基板３７に持たせてもよい。その場合には、例えば、払出制御用マイクロコンピュータがパルスを発生し、発生されたパルスはタッチセンサ基板９１で中継されて発射モータ９４に供給される。また、発射停止スイッチの出力は払出制御用マイクロコンピュータに入力され、払出制御用マイクロコンピュータは、下皿満タンや補給球切れが生じたとき、および発射停止スイッチの出力がオフ状態になったときに、パルス出力を停止する。
【０１２３】
また、打球発射装置は、遊技球を遊技領域７に打出す打球ハンマ、打球ハンマを付勢するためのコイルばね、コイルばねで付勢された打球ハンマを付勢された位置から解放させるためのカム機構を備え、カム機構が発射モータ９４により駆動される。そして、打球操作ハンドル５の回動によりコイルばねの固定位置を変化させてばねの付勢力を調整し、その結果として、打球ハンマの遊技球を打出す力（発射強度）が調整される。
【０１２４】
打球発射装置としては、ステッピングモータによる発射モータ９４やロータリソレノイドの軸に直接打球ハンマを固定して遊技球を打出す方式のものがある。そのように構成されている場合には、打球操作ハンドル５の回動角度（位置）を可変抵抗器により検出し、検出結果に応じて駆動源としてのステッピングモータおよびロータリソレノイドの動作速度を上げることにより遊技球を打出す力（発射強度）が調整される。
【０１２５】
前述のそれぞれの構成において、打球発射装置の発射強度を調整する操作が可能な発射強度操作手段は、回動可能な打球操作ハンドル５に相当する。なお、打球発射装置による遊技球の発射を停止させる操作が可能な発射停止操作手段は、発射停止スイッチに相当する。
【０１２６】
さらに、大当り遊技状態の発生を示す大当り情報等の情報出力信号を、パチンコ遊技機１の裏面側上部に設けられたターミナル基板１６０を介して、ホールコンピュータ等の外部装置に対して出力する情報出力回路１５９も主基板３１に搭載されている。
【０１２７】
また、ＣＰＵ５６は、所定の試験信号を作成して外部に出力する。ここで、試験信号とは、パチンコ遊技機１の制御状態を遊技機外部に設けた試験装置で確認できるようにするための試験信号をいい、保安電子通信技術協会のような第三者機関による形式試験を行なうときに出力される。パチンコ遊技機１については、第三者機関による形式試験を受けることが義務付けられており、その試験の結果、所定の規格に適合する機種のみが製品として出荷することが許される。その試験内容は、たとえば、１分間に発射できる遊技球数、１回の入賞で払出される賞球数、電動役物の性能、変動表示装置の性能等、多岐にわたる。このように、パチンコ遊技機１については、量産を行なう前の段階で、試験が行なわれる。
【０１２８】
ＣＰＵ５６において作成される試験信号には、入賞検出信号、大当り情報、確率変動情報、変動表示装置（第１特別図柄表示器８ａ、第２特別図柄表示器８ｂ、演出表示装置９）の作動状態を示す情報、普通電動役物としての可変入賞球装置１５の作動状態を示す情報、普通図柄表示器１０の作動状態を示す情報、発射玉の有無を示す情報、および、右打ち，左打ちのような打込むべき領域を示す情報等の複数種類の信号が含まれている。
【０１２９】
主基板３１においては、ＣＰＵ５６で作成された試験信号を外部に出力するための試験信号コネクタ３１０を搭載するための電気部品であるコネクタ搭載部３１１が設けられている。試験信号コネクタ３１０は、外部装置としての試験装置からのプローブを接続可能な信号ピンや試験装置からのケーブルを接続可能なコネクタで構成される。このような試験信号コネクタ３１０は、たとえば、試験用片側６８ピンの２列コネクタ等のケーブルの接続態様に汎用性を持たせることが可能な構造のコネクタにより構成される。このような試験信号コネクタ３１０は、信号出力端子の各ピンに対応して、出力する試験信号が予め定められている。このため、遊技機の試験を行なう際には、前述のような複数種類の試験用信号を一括して外部出力させることができる。これにより、打玉の発射に関する適合性試験、および、賞球の払出しに関する適合性試験、可変入賞球装置１５に関する適合性試験等からなる形式試験を容易に行なうことができる。
【０１３０】
遊技制御用マイクロコンピュータ５６０からコネクタ搭載部３１１には、試験信号を伝送するための配線パターンが形成されている。試験信号コネクタ３１０は、前述のような試験に使用するパチンコ遊技機１においてのみ、コネクタ搭載部３１１に搭載され、試験信号を伝送するための配線パターンと電気的に接続される。これに対し、量産するパチンコ遊技機１においては、試験信号コネクタ３１０がコネクタ搭載部３１１に搭載されない。これにより、試験信号コネクタ３１０がコネクタ搭載部３１１に搭載された試験用のパチンコ遊技機１においてのみ、試験信号が試験信号コネクタ３１０を介してパチンコ遊技機１の外部に設けられた試験装置に出力されることとなる。
【０１３１】
また、パチンコ遊技機１が遊技場に設置されたときにおいても、遊技場に設けられた複数台のパチンコ遊技機１等の各種遊技機を管理する機能を有するホール管理コンピュータに、前述のような試験信号に該当する信号を、情報出力回路１５９からターミナル基板１６０を介して、前述のホール管理コンピュータに出力するようにしてもよい。このようにすれば、ホール管理コンピュータにおいて、パチンコ遊技機１の試験信号に該当する信号に基づいて、遊技機の制御機能の動作状態を管理することができる。
【０１３２】
この実施の形態では、演出制御基板８０に搭載されている演出制御手段（演出制御用マイクロコンピュータで構成される。）が、中継基板７７を介して遊技制御用マイクロコンピュータ５６０から演出内容を指示する演出制御コマンドを受信し、演出図柄を変動表示する演出表示装置９との表示制御を行なう。また、演出制御基板８０に搭載されている演出制御用マイクロコンピュータには、操作ボタン１３０の操作を検出するための操作検出スイッチ１３１の操作検出信号が入力される。
【０１３３】
また、演出制御基板８０に搭載されている演出制御手段が、ランプドライバ基板３５を介して、遊技盤６に設けられている装飾ＬＥＤ２５、および枠側に設けられている天枠ＬＥＤ２８ａ、左枠ＬＥＤ２８ｂ、右枠ＬＥＤ２８ｃの表示制御を行なうとともに、音声出力基板７０を介してスピーカ２７からの音出力の制御を行なう。
【０１３４】
また、遊技制御基板３１には、図５を用いて後述するように、電源電圧を監視する電源監視手段が設けられている。
【０１３５】
図４は、中継基板７７、演出制御基板８０、ランプドライバ基板３５および音声出力基板７０の回路構成例を示すブロック図である。なお、図４に示す例では、ランプドライバ基板３５および音声出力基板７０には、マイクロコンピュータは搭載されていないが、マイクロコンピュータを搭載してもよい。また、ランプドライバ基板３５および音声出力基板７０を設けずに、演出制御に関して演出制御基板８０のみを設けてもよい。
【０１３６】
演出制御基板８０は、演出制御用ＣＰＵ１０１およびＲＡＭを含む演出制御用マイクロコンピュータ１００を搭載している。なお、ＲＡＭは外付けであってもよい。演出制御基板８０において、演出制御用ＣＰＵ１０１は、内蔵または外付けのＲＯＭ（図示せず）に格納されたプログラムにしたがって動作し、中継基板７７を介して入力される主基板３１からの取込信号（演出制御ＩＮＴ信号）に応じて、入力ドライバ１０２および入力ポート１０３を介して演出制御コマンドを受信する。また、演出制御用ＣＰＵ１０１は、演出制御コマンドに基づいて、ＶＤＰ（ビデオディスプレイプロセッサ）１０９に演出表示装置９の表示制御を行なわせる。
【０１３７】
この実施の形態では、演出制御用マイクロコンピュータ１００と共動して演出表示装置９の表示制御を行なうＶＤＰ１０９が演出制御基板８０に搭載されている。ＶＤＰ１０９は、演出制御用マイクロコンピュータ１００とは独立したアドレス空間を有し、そこにＶＲＡＭをマッピングする。ＶＲＡＭは、ＶＤＰによって生成された画像データを展開するためのバッファメモリである。そして、ＶＤＰ１０９は、ＶＲＡＭ内の画像データを演出表示装置９に出力する。
【０１３８】
演出制御用ＣＰＵ１０１は、受信した演出制御コマンドにしたがってキャラクタＲＯＭ（図示せず）から必要なデータを読出す。キャラクタＲＯＭは、演出表示装置９に表示されるキャラクタ画像データ、具体的には、人物、文字、図形または記号等（演出図柄を含む）を予め格納しておくためのものである。演出制御用ＣＰＵ１０１は、キャラクタＲＯＭから読出したデータをＶＤＰ１０９に出力する。ＶＤＰ１０９は、演出制御用ＣＰＵ１０１から入力されたデータに基づいて表示制御を実行する。
【０１３９】
演出制御コマンドおよび演出制御ＩＮＴ信号は、演出制御基板８０において、まず、入力ドライバ１０２に入力する。入力ドライバ１０２は、中継基板７７から入力された信号を演出制御基板８０の内部に向かう方向にしか通過させない（演出制御基板８０の内部から中継基板７７への方向には信号を通過させない）信号方向規制手段としての単方向性回路でもある。
【０１４０】
中継基板７７には、主基板３１から入力された信号を演出制御基板８０に向かう方向にしか通過させない（演出制御基板８０から中継基板７７への方向には信号を通過させない）信号方向規制手段としての単方向性回路７４が搭載されている。単方向性回路として、たとえばダイオードやトランジスタが使用される。図４には、ダイオードが例示されている。また、単方向性回路は、各信号ごとに設けられる。さらに、単方向性回路である出力ポート５７１を介して主基板３１から演出制御コマンドおよび演出制御ＩＮＴ信号が出力されるので、中継基板７７から主基板３１の内部に向かう信号が規制される。すなわち、中継基板７７からの信号は主基板３１の内部（遊技制御用マイクロコンピュータ５６０側）に入り込まない。なお、出力ポート５７１は、図３に示されたＩ／Ｏポート部５７の一部である。また、出力ポート５７１の外側（中継基板７７側）に、さらに、単方向性回路である信号ドライバ回路が設けられていてもよい。
【０１４１】
さらに、演出制御用ＣＰＵ１０１は、出力ポート１０５を介してランプドライバ基板３５に対してＬＥＤを駆動する信号を出力する。また、演出制御用ＣＰＵ１０１は、出力ポート１０４を介して音声出力基板７０に対して音番号データを出力する。
【０１４２】
さらに、演出制御用ＣＰＵ１０１は、操作検出スイッチ１３１から入力ドライバ１０６および入力ポート１０７を介して、操作検出信号の入力を受ける。
【０１４３】
ランプドライバ基板３５において、ＬＥＤを駆動する信号は、入力ドライバ３５１を介してＬＥＤドライバ３５２に入力される。ＬＥＤドライバ３５２は、駆動信号を天枠ＬＥＤ２８ａ、左枠ＬＥＤ２８ｂ、右枠ＬＥＤ２８ｃ等の枠側に設けられている各ＬＥＤに供給する。また、遊技盤側に設けられている装飾ＬＥＤ２５に駆動信号を供給する。なお、ＬＥＤ以外の発光体が設けられている場合には、それを駆動する駆動回路（ドライバ）がランプドライバ基板３５に搭載される。
【０１４４】
音声出力基板７０において、音番号データは、入力ドライバ７０２を介して音声合成用ＩＣ７０３に入力される。音声合成用ＩＣ７０３は、音番号データに応じた音声や効果音を発生し増幅回路７０５に出力する。増幅回路７０５は、音声合成用ＩＣ７０３の出力レベルを、ボリューム７０６で設定されている音量に応じたレベルに増幅した音声信号をスピーカ２７Ｒ，２７Ｌに出力する。音声データＲＯＭ７０４には、音番号データに応じた制御データが格納されている。音番号データに応じた制御データは、所定期間（たとえば演出図柄の変動期間）における効果音または音声の出力態様を時系列的に示すデータの集まりである。
【０１４５】
図５は、電源監視および電源バックアップのためのＣＰＵ５６周りの一構成例を示すブロック図である。図５に示すように、第１の電源監視回路（電源監視手段、または、第１の電源監視手段）からの電圧低下信号が、ＣＰＵ５６のマスク不能割込端子（ＮＭＩ端子）に接続されている。第１の電源監視回路は、遊技機が使用する各種直流電流のうちいずれかの電源の電圧を監視して電源電圧低下を検出する回路である。この実施の形態では、第１の電源監視回路は、ＶSLの電源電圧を監視して、その電圧値が所定値以下になるとローレベルの電圧低下信号を発生する。電源電圧ＶSLは、遊技機で使用される直流電圧のうちで最大のものであってこの例では、＋３０Ｖである。したがって、ＣＰＵ５６は、割込処理によって電源断、または、電源低下の発生を確認することができる。なお、この実施の形態では、第１の電源監視回路は、後述する電源基板に搭載されている。
【０１４６】
図５には、システムリセット回路６５も示されているが、この実施の形態では、システムリセット回路６５は、第２の電源監視回路（第２の電源監視手段）も兼ねている。すなわち、リセットＩＣ６５１は、電源投入時に、外付けのコンデンサと容量で決まる所定時間だけ出力をローレベルとし、所定時間が経過すると出力をハイレベルにする。すなわち、リセット信号をハイレベルに立上げてＣＰＵ５６を動作可能状態にする。また、リセットＩＣ６５１は、第１の電源監視回路が監視する電源電圧と等しい電源電圧である電源電圧ＶSLを監視して、電圧値が所定値（第１の電源監視回路が電圧低下信号を出力する電源電圧値よりも低い値）以下になるとローレベルの電圧低下信号を発生する。したがって、ＣＰＵ５６は、第１の電源監視回路からの電圧低下信号に応じて所定の電力供給停止時処理を行なった後、システムリセットされる。なお、この実施の形態では、リセット信号と第２の電源監視回路からの電圧低下信号とは同一の信号である。
【０１４７】
図５に示すように、リセットＩＣ６５１からのリセット信号は、ＮＡＮＤ回路９４７（論理積回路）に入力されるとともに、反転回路（ＮＯＴ回路）９４４を介してカウンタＩＣ９４１のクリア端子に入力される。カウンタＩＣ９４１は、クリア端子への入力がローレベルになると、発振器９４３からのクロック信号をカウントする。そして、カウンタＩＣ９４１のＱ５出力がＮＯＴ回路９４５，９４６を介してＮＡＮＤ回路９４７に入力される。また、カウンタＩＣ９４１のＱ６出力は、フリップフロップ（ＦＦ）９４２のクロック端子に入力される。フリップフロップ９４２のＤ入力はハイレベルに固定され、Ｑ出力は論理和回路（ＯＲ回路）９４９に入力される。ＯＲ回路９４９の他方の入力には、ＮＡＮＤ回路９４７の出力がＮＯＴ回路９４８を介して導入される。そして、ＯＲ回路９４９の出力がＣＰＵ５６のリセット端子に接続されている。このような構成によれば、電源投入時に、ＣＰＵ５６のリセット端子に２回のリセット信号（ローレベル信号）が与えられるので、ＣＰＵ５６は、確実に動作を開始する。
【０１４８】
そして、たとえば、第１の電源監視回路の検出電圧（電圧低下信号を出力することになる電圧）を＋２２Ｖとし、第２の電源監視回路の検出電圧を＋９Ｖとする。そのように構成した場合には、第１の電源監視回路と第２の電源監視回路とは、同一の電源の電圧ＶSLを監視するので、第１の電源監視回路が電圧低下信号を出力するタイミングと第２の電圧監視回路が電圧低下信号を出力するタイミングとの差を所望の所定時間に確実に設定することができる。所望の所定時間とは、第１の電源監視回路から発せられた電圧低下信号に応じて電力供給停止時処理を開始してから電力供給停止時処理が確実に完了するまでの期間である。
【０１４９】
この例では、第１の電源監視手段が検出信号を出力することになる第１検出条件は＋３０Ｖ電源電圧が＋２２Ｖにまで低下したことであり、第２の電源監視手段が検出信号を出力することになる第２検出条件は＋３０Ｖ電源電圧が＋９Ｖにまで低下したことにである。ただし、ここで用いられている電圧値は一例であって、他の値を用いてもよい。
【０１５０】
ただし、監視範囲が狭まるが、第１の電圧監視回路および第２の電圧監視回路の監視電圧として＋５Ｖ電源電圧を用いることも可能である。その場合にも、第１の電圧監視回路の検出電圧は、第２の電圧監視回路の検出電圧よりも高く設定される。
【０１５１】
ＣＰＵ５６等の駆動電源である＋５Ｖ電源から電力が供給されていない間、ＲＡＭの少なくとも一部は、電源基板から供給されるバックアップ電源によってバックアップされ、遊技機に対する電源が遮断しても内容は保存される。そして、＋５Ｖ電源が復旧すると、システムリセット回路６５からリセット信号が発せられるので、ＣＰＵ５６は、通常の動作状態に復帰する。そのとき、必要なバックアップ記憶情報が保存されているため、停電等からの復旧時に停電が発生した時点の遊技状態に復帰することができる。
【０１５２】
なお、図５では、電源投入時にＣＰＵ５６のリセット端子に２回のリセット信号（ローレベル信号）が与えられる構成が示されたが、リセット信号の立上がりタイミングが１回しかなくても確実にリセット解除されるＣＰＵを使用する場合には、符号９４１〜９４９で示された回路素子は不要である。その場合、リセットＩＣ６５１の出力がそのままＣＰＵ５６のリセット端子に接続される。
【０１５３】
図６は、遊技機の電源基板９１０の一構成例を示すブロック図である。電源基板９１０は、主基板３１、演出制御基板８０、音声出力基板７０、ランプドライバ基板３５および払出制御基板３７等の電気部品基板と独立して設置され、遊技機内の各電気部品基板および機構部品が使用する電圧を生成する。この例では、ＡＣ２４Ｖ、ＤＣ＋３０Ｖ（ＶSL）、ＤＣ＋２１Ｖ、ＤＣ＋１２Ｖ（ＶDD）およびＤＣ＋５Ｖ（Ｖcc）を生成する。また、バックアップ電源となるコンデンサ９１６は、ＤＣ＋５Ｖ（ＶBB）すなわち各基板上のＩＣ等を駆動する電源のラインから充電される。
【０１５４】
トランス９１１は、交流電源からの交流電圧を２４Ｖに変換する。ＡＣ２４Ｖ電圧は、コネクタ９１５に出力される。また、整流回路９１２は、ＡＣ２４Ｖから＋３０Ｖの直流電圧を生成し、ＤＣ−ＤＣコンバータ９１３およびコネクタ９１５に出力する。ＤＣ−ＤＣコンバータ９１３は、＋２１Ｖ、＋１２Ｖおよび＋５Ｖを生成してコネクタ９１５に出力する。コネクタ９１５はたとえば中継基板に接続されて中継基板から各電気部品基板および機構部品に必要な電圧の電力が供給される。なお、トランス９１１の入力側には、遊技機に対する電源供給を停止したり開始したりするための電源スイッチが設置されている。
【０１５５】
ＤＣ−ＤＣコンバータ９１３からの＋５Ｖラインは分岐してバックアップ＋５Ｖラインを形成する。バックアップ＋５Ｖラインとグランドレベルとの間には大容量のコンデンサ９１６が接続されている。コンデンサ９１６は、遊技機に対する電力供給が遮断されたときの電気部品基板のバックアップＲＡＭ（電源バックアップされているＲＡＭすなわち記憶内容保持状態となり得る記憶手段）に対して記憶状態を保持できるように電力を供給するバックアップ電源となる。また、＋５Ｖラインとバックアップ＋５Ｖラインとの間に、逆流防止用のダイオード９１７が挿入される。
【０１５６】
なお、バックアップ電源として、＋５Ｖ電源から充電可能な電池を用いてもよい。電池を用いる場合には、＋５Ｖ電源から電力供給されない状態が所定時間継続すると容量がなくなるような充電池が用いられる。
【０１５７】
また、電源基板９１０には、上述した第１の電源監視回路を構成する電源監視用ＩＣ９０２が搭載されている。電源監視用ＩＣ９０２は、電源電圧ＶSLを導入し、電源電圧ＶSLを監視することによって電源断の発生を検出する。具体的には、電源電圧ＶSLが所定値（この例では＋２２Ｖ）以下になると、電源断または電圧低下が生ずるとして電圧低下信号を出力する。なお、監視対象の電源電圧は、各電気部品基板に搭載されている回路素子の電源電圧（この例では＋５Ｖ）よりも高い電圧であることが好ましい。この例では、交流から直流に変換された直後の電圧ＶSL（＋３０Ｖ）が用いられている。電源監視用ＩＣ９０２からの電圧低下信号は、主基板３１や払出制御基板３７等の各種制御基板に供給される。
【０１５８】
電源監視用ＩＣ９０２が電源断または電圧低下を検知するための所定値は、通常時の電圧より低いが、各電気部品制御基板上のＣＰＵがしばらくの間動作し得る程度の電圧である。また、電源監視用ＩＣ９０２が、ＣＰＵ等の回路素子を駆動するための電圧（この例では＋５Ｖ）よりも高く、また、交流から直流に変換された直後の電圧を監視するように構成されているので、ＣＰＵが必要とする電圧に対して監視範囲を広げることができる。したがってより精密な監視を行なうことができる。さらに、監視電圧としてＶSL（＋３０Ｖ）を用いる場合には、遊技機の各種スイッチに供給される電圧が＋１２Ｖであることから、電源断時のスイッチオン誤検出の防止も期待できる。すなわち、＋３０Ｖ電源の電圧を監視すると、＋３０Ｖ作成の以降に作られる＋１２Ｖが落ち始める以前の段階でそれの低下を検出できる。よって、＋１２Ｖ電源の電圧が低下するとスイッチ出力がオン状態を呈するようになるが、＋１２Ｖより速く低下する＋３０Ｖ電源電圧を監視して電源断を認識すれば、スイッチ出力がオン状態を呈する前に電源復旧待ちの状態に入ってスイッチ出力を検出しない状態となることができる。
【０１５９】
また、電源監視用ＩＣ９０２は、電気部品部品基板とは別個の電源基板９１０に搭載されているので、第１の電源監視回路から複数の電気部品制御基板に電圧低下信号を供給することができる。電圧低下信号を必要とする電気部品制御基板がいくつあっても、第１の電源監視手段は１つ設けられればよいので、各電気部品基板における各種制御基板等の各電気部品制御手段が後述する復帰制御を行なっても、遊技機のコストはさほど向上しない。
【０１６０】
なお、図６に示された構成では、電源監視用ＩＣ９０２の検出出力（電圧低下信号）は、バッファ回路９１８，９１９を介してそれぞれ電気部品基板（たとえば主基板３１と払出制御基板３７）に伝達されるが、たとえば、１つの検出出力を中継基板に伝達し、中継基板から各電気部品基板に同じ信号を分配する構成でもよい。また、電圧低下信号を必要とする基板数に応じたバッファ回路を設けてもよい。
【０１６１】
なお、バックアップ電源として、＋５Ｖ電源から充電可能な電池を用いてもよい。電池を用いる場合には、＋５Ｖ電源から電力供給されない状態が所定時間継続すると容量がなくなるような充電池が用いられる。
【０１６２】
次に、パチンコ遊技機１の動作について説明する。図７は、主基板３１における遊技制御用マイクロコンピュータ５６０が実行するメイン処理を示すフローチャートである。遊技機に対して電源が投入され電力供給が開始されると、リセット信号が入力されるリセット端子の入力レベルがハイレベルになり、遊技制御用マイクロコンピュータ５６０（具体的には、ＣＰＵ５６）は、プログラムの内容が正当か否か確認するための処理であるセキュリティチェック処理を実行した後、ステップＳ（以下、単にＳという）１以降のメイン処理を開始する。メイン処理において、ＣＰＵ５６は、まず、必要な初期設定を行なう。
【０１６３】
初期設定処理において、ＣＰＵ５６は、まず、割込禁止に設定する（Ｓ１）。次に、割込モードを割込モード２に設定し（Ｓ２）、スタックポインタにスタックポインタ指定アドレスを設定する（Ｓ３）。そして、内蔵デバイスの初期化（内蔵デバイス（内蔵周辺回路）であるＣＴＣ（カウンタ／タイマ）およびＰＩＯ（パラレル入出力ポート）の初期化等）を行なった後（Ｓ４）、ＲＡＭをアクセス可能状態に設定する（Ｓ５）。なお、割込モード２は、ＣＰＵ５６が内蔵する特定レジスタ（Ｉレジスタ）の値（１バイト）と内蔵デバイスが出力する割込ベクタ（１バイト：最下位ビット０）とから合成されるアドレスが、割込番地を示すモードである。
【０１６４】
次いで、ＣＰＵ５６は、入力ポートを介して入力されるクリアスイッチ（たとえば、電源基板に搭載されている。）の出力信号（クリア信号）の状態を確認する（Ｓ６）。その確認においてオンを検出した場合には、ＣＰＵ５６は、通常の初期化処理（Ｓ１０〜Ｓ１５）を実行する。
【０１６５】
クリアスイッチがオンの状態でない場合には、遊技機への電力供給が停止したときにバックアップＲＡＭ領域のデータ保護処理（たとえばパリティデータの付加等の電力供給停止時処理）が行なわれたか否か確認する（Ｓ７）。電力供給停止時処理は、後述するＳ２０の電源断検出処理において実行される。そのような保護処理が行なわれていないことを確認したら、ＣＰＵ５６は初期化処理を実行する。バックアップＲＡＭ領域にバックアップデータがあるか否かは、たとえば、電力供給停止時処理においてバックアップＲＡＭ領域に設定されるバックアップフラグの状態によって確認される。
【０１６６】
電力供給停止時処理が行なわれたことを確認したら、ＣＰＵ５６は、バックアップＲＡＭ領域のデータチェックを行なう（Ｓ８）。この実施の形態では、データチェックとしてパリティチェックを行なう。よって、Ｓ８では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、電力供給の停止からの復旧時でない電源投入時に実行される初期化処理を実行する。
【０１６７】
チェック結果が正常であれば、ＣＰＵ５６は、遊技制御手段の内部状態と演出制御手段等の電気部品制御手段の制御状態を電力供給停止時の状態に戻すための遊技状態復旧処理（Ｓ４１〜Ｓ４５の処理）を行なう。具体的には、ＲＯＭ５４に格納されているバックアップ時設定テーブルの先頭アドレスをポインタに設定し（Ｓ４１）、バックアップ時設定テーブルの内容を順次作業領域（ＲＡＭ５５内の領域）に設定する（Ｓ４２）。作業領域はバックアップ電源によって電源バックアップされている。バックアップ時設定テーブルには、作業領域のうち初期化してもよい領域についての初期化データが設定されている。Ｓ４１およびＳ４２の処理によって、作業領域のうち初期化してはならない部分については、保存されていた内容がそのまま残る。初期化してはならない部分とは、たとえば、電力供給停止前の遊技状態を示すデータ（特別図柄プロセスフラグ、確変フラグ、時短フラグ等）、出力ポートの出力状態が保存されている領域（出力ポートバッファ）、未払出賞球数を示すデータが設定されている部分等である。
【０１６８】
また、ＣＰＵ５６は、電力供給復旧時の初期化コマンドとしての停電復旧指定コマンドを送信する（Ｓ４３）。
【０１６９】
次に、電力供給停止前の遊技状態を示すバックアップデータとして、権利発生フラグがセットされた状態であることを示すデータが記憶されているか否かを判定する（Ｓ４４）。権利発生フラグがセットされた状態であることを示すデータが記憶されているときには、電力供給停止前に権利発生状態であったことを報知する権利発生報知が実行され（Ｓ４５）、Ｓ４６に進む。権利発生報知は、たとえば第１特別図柄表示器８ａで特定の番号を点滅表示する等、特定の報知態様で実行される。これにより、電力供給停止前に権利発生状態であったときには、パチンコ遊技機１の起動時において権利発生報知が行なわれるので、当該報知に基づいて、電力供給停止前に権利発生状態であったことを知ることができる。これにより、電源投入時に遊技状態が復旧されたときに、大入賞口の開放制御状態への移行に関連する制御状態に関して、その復旧された制御状態を正確に把握できるようにすることができる。
【０１７０】
特に、後述するように、遊技において権利発生状態となったことの報知は、演出制御用マイクロコンピュータ１００の制御に基づいて実行されるものであり、そのような権利発生状態となったことを報知するための制御データは、基本的に、演出制御用マイクロコンピュータ１００においてバックアップ記憶されない。そして、遊技において権利発生状態となったことの報知が行なわれていることを示す制御データを遊技制御用マイクロコンピュータ５６０の側でバックアップ記憶することは、遊技制御用マイクロコンピュータ５６０の制御負担を増大させるため、行なうことが困難である。したがって、本実施の形態のように、権利発生フラグがセットされた状態であることを示すデータがバックアップ記憶されているときに、権利発生報知が実行されるので、遊技制御用マイクロコンピュータ５６０の制御負担をあまり増大させることなく、大入賞口の開放制御状態への移行に関連する制御状態を正確に把握することができる。
【０１７１】
なお、権利発生報知は、演出表示装置９で特定のメッセージを表示すること、スピーカ２７Ｌ，２７Ｒから特定の音声を出力すること、または、ＬＥＤ等の各種発光手段を特定の発光用で発光させることにより行なわれてもよい。一方、権利発生フラグがセットされた状態であることを示すデータが記憶されていないときには、Ｓ４４からＳ４６に進む。なお、Ｓ４４で権利発生フラグがセットされた状態であることを示すデータが記憶されているときには、電力供給停止前に権利発生状態であったことを得する信号を、情報出力回路１５９からターミナル基板１６０を介して、前述のホール管理コンピュータに出力するようにしてもよい。このようにすれば、ホール管理コンピュータにおいて、遊技場に設置された各パチンコ遊技機について、電力供給停止前に権利発生状態であったか否かを管理することができる。
【０１７２】
また、権利発生状態において、「右打ち」を報知するというような打込むべき領域を特定する打込領域報知（後述する）を行なうときには、権利発生報知として、権利発生状態において行われる打込領域報知と同様の打込領域報知を実行するようにしてもよい。
【０１７３】
また、電力供給停止前に権利発生状態であったときに、起動時において権利発生報知を行なう構成としたことにより、次のような課題も解決することができる。その課題は、従来では、電力供給停止前に権利発生状態であったときに、起動時において権利発生報知が行なわれなかったので、遊技場の閉店後、権利発生状態中において電源断状態にしておけば、翌日の遊技場の開店時に電源投入すると、外部から見た動作状態は、権利発生状態であると認識できない状態であるにも関わらず、内部制御状態は、第１特定ゲート６１、第２特定ゲート６２、および、第３特定ゲート６３のような特定ゲートに遊技球が進入するだけで大入賞口の開放制御状態に移行するというように、簡単な操作により大量の賞球を得ることができる不正なサービスとしての所謂モーニングサービス状態を設定することが可能となっていた。
【０１７４】
これに対し、電力供給停止前に権利発生状態であったときに、起動時において権利発生報知を行なう構成としたことにより、前述のような不正なサービスをしても、権利発生報知がなされることで、不正なサービスであることが容易に認識できるようにすることができる。
【０１７５】
Ｓ４６では、電力供給停止前の遊技状態を示すバックアップデータとして、確変フラグがセットされた状態であることを示すデータが記憶されているか否かを判定する（Ｓ４６）。確変フラグがセットされた状態であることを示すデータが記憶されているときには、電力供給停止前に確変状態（高確高ベース状態）であったことを報知する高確率報知が実行され（Ｓ４７）、Ｓ１４に進む。具体的に、Ｓ４７の高確率報知としては、確変報知ＬＥＤ５３を点灯させる制御が行なわれる。確変報知ＬＥＤ５３は、電源投入時において確変状態であるときに点灯される制御が行なわれ、電源投入時以外の状態では消灯される。これにより、電力供給停止前に確変状態（高確高ベース状態）であったときには、パチンコ遊技機１の起動時において高確率報知が行なわれるので、当該報知に基づいて、電力供給停止前に確変状態（高確高ベース状態）であったことを知ることができる。したがって、電源投入時に遊技状態が復旧されたときに、その復旧された制御状態をより一層正確に把握できるようにすることができる。なお、高確率報知は、たとえば第２特別図柄表示器８ｂで所定の番号を点滅表示する等、高確率報知専用の報知手段ではなく兼用の報知手段を用いる等、その他の報知態様で実行されるようにしてもよい。
【０１７６】
なお、高確率報知は、演出表示装置９で所定のメッセージを表示すること、スピーカ２７Ｌ，２７Ｒから所定の音声を出力すること、または、ＬＥＤ等の各種発光手段を所定の発光態様で発光させることにより行なわれてもよい。一方、確変フラグがセットされた状態であることを示すデータが記憶されていないときには、Ｓ４６からＳ１４に進む。なお、Ｓ４６で確変フラグがセットされた状態であることを示すデータが記憶されているときには、電力供給停止前に確変状態であったことを得する信号を、情報出力回路１５９からターミナル基板１６０を介して、前述のホール管理コンピュータに出力するようにしてもよい。このようにすれば、ホール管理コンピュータにおいて、遊技場に設置された各パチンコ遊技機について、電力供給停止前に確変状態であったか否かを管理することができる。
【０１７７】
また、Ｓ４５による権利発生報知は、Ｓ４７による高確率報知に優先して報知を行なうようにしてもよい。また、Ｓ４５による権利発生報知と、Ｓ４７による高確率報知とは、それぞれ報知を行なうようにしてもよい。
【０１７８】
なお、この実施の形態では、バックアップフラグとチェックデータとの双方を用いてバックアップＲＡＭ領域のデータが保存されているか否か確認しているが、いずれか一方のみを用いてもよい。すなわち、バックアップフラグとチェックデータとのいずれかを、遊技状態復旧処理を実行するための契機としてもよい。
【０１７９】
初期化処理では、ＣＰＵ５６は、まず、ＲＡＭクリア処理を行なう（Ｓ１０）。なお、ＲＡＭクリア処理によって、所定のデータ（たとえば、普通図柄当り判定用乱数を生成するためのカウンタのカウント値のデータ）は０に初期化されるが、任意の値または予め決められている値に初期化するようにしてもよい。また、ＲＡＭ５５の全領域を初期化せず、所定のデータ（たとえば、普通図柄当り判定用乱数を生成するためのカウンタのカウント値のデータ）をそのままにしてもよい。また、ＲＯＭ５４に格納されている初期化時設定テーブルの先頭アドレスをポインタに設定し（Ｓ１１）、初期化時設定テーブルの内容を順次作業領域に設定する（Ｓ１２）。
【０１８０】
Ｓ１１およびＳ１２の処理によって、たとえば、普通図柄当り判定用乱数カウンタ、特別図柄バッファ、総賞球数格納バッファ、特別図柄プロセスフラグ等制御状態に応じて選択的に処理を行なうためのフラグに初期値が設定される。
【０１８１】
また、ＣＰＵ５６は、サブ基板（主基板３１以外のマイクロコンピュータが搭載された基板。）を初期化するための初期化指定コマンド（遊技制御用マイクロコンピュータ５６０が初期化処理を実行したことを示すコマンドでもある。）をサブ基板に送信する（Ｓ１３）。たとえば、演出制御用マイクロコンピュータ１００は、初期化指定コマンドを受信すると、演出表示装置９において、遊技機の制御の初期化がなされたことを報知するための画面表示、すなわち初期化報知を行なう。
【０１８２】
また、ＣＰＵ５６は、乱数回路５０３を初期設定する乱数回路設定処理を実行する（Ｓ１４）。ＣＰＵ５６は、たとえば、乱数回路設定プログラムにしたがって処理を実行することによって、乱数回路５０３にランダムＲの値を更新させるための設定を行なう。
【０１８３】
そして、Ｓ１５において、ＣＰＵ５６は、所定時間（たとえば２ｍｓ）ごとに定期的にタイマ割込がかかるように遊技制御用マイクロコンピュータ５６０に内蔵されているＣＴＣのレジスタの設定を行なう。すなわち、初期値としてたとえば２ｍｓに相当する値が所定のレジスタ（時間定数レジスタ）に設定される。この実施の形態では、２ｍｓごとに定期的にタイマ割込がかかるとする。
【０１８４】
初期化処理の実行（Ｓ１０〜Ｓ１５）が完了すると、ＣＰＵ５６は、メイン処理で、表示用乱数更新処理（Ｓ１７）および初期値用乱数更新処理（Ｓ１８）を繰返し実行する。表示用乱数更新処理および初期値用乱数更新処理を実行するときには割込禁止状態に設定し（Ｓ１６）、表示用乱数更新処理および初期値用乱数更新処理の実行が終了すると割込許可状態に設定する（Ｓ１９）。この実施の形態では、表示用乱数とは、大当りとしない場合の特別図柄の停止図柄を決定するための乱数や大当りとしない場合にリーチとするか否かを決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。この実施の形態では、初期値用乱数とは、普通図柄に関して当りとするか否か決定するための乱数を発生するためのカウンタ（普通図柄当り判定用乱数発生カウンタ）のカウント値の初期値を決定するための乱数である。後述する遊技の進行を制御する遊技制御処理（遊技制御用マイクロコンピュータ５６０が、遊技機に設けられている演出表示装置、可変入賞球装置、球払出装置等の遊技用の装置を、自身で制御する処理、または他のマイクロコンピュータに制御させるために指令信号を送信する処理、遊技装置制御処理ともいう）において、普通図柄当り判定用乱数のカウント値が１周（普通図柄当り判定用乱数の取りうる値の最小値から最大値までの間の数値の個数分歩進したこと）すると、そのカウンタに初期値が設定される。
【０１８５】
なお、この実施の形態では、リーチ演出は、演出表示装置９において変動表示される演出図柄（飾り図柄）を用いて実行される。また、特別図柄の表示結果を大当り図柄にする場合には、リーチ演出は常に実行される。特別図柄の表示結果を大当り図柄にしない場合には、遊技制御用マイクロコンピュータ５６０は、乱数を用いた抽選によって、リーチ演出を実行するか否か決定する。ただし、実際にリーチ演出の制御を実行するのは、演出制御用マイクロコンピュータ１００である。
【０１８６】
タイマ割込が発生すると、ＣＰＵ５６は、図７に示すＳ２０〜Ｓ３４のタイマ割込処理を実行する。図８は、タイマ割込み処理を示すフローチャートである。
【０１８７】
タイマ割込処理においては、まず、電源断信号が出力されたか否か（オン状態になったか否か）を検出する電源断検出処理を実行する（Ｓ２０）。電源断信号は、たとえば電源基板９１０に搭載されている電源監視回路が、遊技機に供給される電源の電圧の低下を検出した場合に出力する。そして、電源断検出処理において、ＣＰＵ５６は、電源断信号が出力されたことを検出したら、必要なデータを前述のようなバックアップデータとしてバックアップＲＡＭ領域に保存する電力供給停止時処理を実行する。バックアップＲＡＭ領域に保存するバックアップデータとしては、前述した権利発生フラグおよび確変フラグに関するデータが含まれている。さらに、電力供給停止時処理においては、バックアップＲＡＭ領域にバックアップデータがあるか否かを示すバックアップフラグが、所定のアドレス領域に記憶（設定）される。さらに、バックアップデータのデータチェックを行なうためのデータ（チェックサムのデータ）が、バックアップデータに応じて作成されて特定のアドレス領域に記憶される。次いで、入力ドライバ回路５８を介して、普図ゲートスイッチ３２ａ、第１始動口スイッチ１３ａ、第２始動口スイッチ１４ａおよびカウントスイッチ２３の検出信号を入力し、それらの状態判定を行なう（スイッチ処理：Ｓ２１）。
【０１８８】
次に、ＣＰＵ５６は、第１特別図柄表示器８ａ、第２特別図柄表示器８ｂ、普通図柄表示器１０、第１特別図柄保留記憶表示器１８ａ、第２特別図柄保留記憶表示器１８ｂ、普通図柄保留記憶表示器４１の表示制御を行なう表示制御処理を実行する（Ｓ２２）。第１特別図柄表示器８ａ、第２特別図柄表示器８ｂおよび普通図柄表示器１０については、Ｓ３２，Ｓ３３で設定される出力バッファの内容に応じて各表示器に対して駆動信号を出力する制御を実行する。
【０１８９】
また、遊技制御に用いられる普通図柄当り判定用乱数等の各判定用乱数を生成するための各カウンタのカウント値を更新する処理を行なう（判定用乱数更新処理：Ｓ２３）。ＣＰＵ５６は、さらに、初期値用乱数および表示用乱数を生成するためのカウンタのカウント値を更新する処理を行なう（初期値用乱数更新処理，表示用乱数更新処理：Ｓ２４，Ｓ２５）。
【０１９０】
さらに、ＣＰＵ５６は、特別図柄プロセス処理を行なう（Ｓ２６）。特別図柄プロセス処理では、第１特別図柄表示器８ａ、第２特別図柄表示器８ｂおよび大入賞口を所定の順序で制御するための特別図柄プロセスフラグにしたがって該当する処理を実行する。ＣＰＵ５６は、特別図柄プロセスフラグの値を、遊技状態に応じて更新する。
【０１９１】
次いで、普通図柄プロセス処理を行なう（Ｓ２７）。普通図柄プロセス処理では、ＣＰＵ５６は、普通図柄表示器１０の表示状態を所定の順序で制御するための普通図柄プロセスフラグにしたがって該当する処理を実行する。ＣＰＵ５６は、普通図柄プロセスフラグの値を、遊技状態に応じて更新する。
【０１９２】
また、ＣＰＵ５６は、演出制御用マイクロコンピュータ１００に演出制御コマンドを送出する処理を行なう（演出制御コマンド制御処理：Ｓ２８）。
【０１９３】
さらに、ＣＰＵ５６は、たとえばホール管理コンピュータに供給される大当り情報、始動情報、確率変動情報等のデータを出力する情報出力処理を行なう（Ｓ２９）。本実施の形態では、大当り情報は、開放制御状態（大当り遊技状態）に制御されたときに出力が開始される。なお、大当り情報は、権利発生状態となったとき（大当り表示結果が導出表示されたとき）に第１の大当り情報の出力を開始し、さらに、開放制御状態（大当り遊技状態）に制御されたときに第２の大当り情報の出力を開始するようにしてもよい。
【０１９４】
また、前述のような試験信号コネクタ３１０をコネクタ搭載部３１１に搭載した試験用のパチンコ遊技機１については、前述の試験信号に加えて、前述の大当り情報、始動情報、確率変動情報等のホール管理コンピュータに供給されるデータに該当する信号を試験信号として出力するようにしてもよい。
【０１９５】
また、ＣＰＵ５６は、第１始動口スイッチ１３ａ、第２始動口スイッチ１４ａおよびカウントスイッチ２３の検出信号に基づく賞球個数の設定等を行なう賞球処理を実行する（Ｓ３０）。具体的には、第１始動口スイッチ１３ａ、第２始動口スイッチ１４ａ、カウントスイッチ２３、および、入賞口スイッチ２９，３０のいずれかがオンしたことに基づく入賞検出に応じて、払出制御基板３７に搭載されている払出制御用マイクロコンピュータに賞球個数を示す払出制御コマンドとしての賞球個数コマンド（賞球個数信号）を出力する。払出制御用マイクロコンピュータは、賞球個数を示す払出制御コマンドに応じて球払出装置９７を駆動する。
【０１９６】
この実施の形態では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（Ｓ３１：出力処理）。
【０１９７】
また、ＣＰＵ５６は、特別図柄プロセスフラグの値に応じて特別図柄の演出表示を行なうための特別図柄表示制御データを特別図柄表示制御データ設定用の出力バッファに設定する特別図柄表示制御処理を行なう（Ｓ３２）。ＣＰＵ５６は、たとえば、特別図柄プロセス処理でセットされる開始フラグがセットされると終了フラグがセットされるまで、変動速度が１コマ／０．２秒であれば、０．２秒が経過するごとに、出力バッファに設定される表示制御データの値を＋１する。また、ＣＰＵ５６は、出力バッファに設定された表示制御データに応じて、Ｓ２２において駆動信号を出力することによって、第１特別図柄表示器８ａおよび第２特別図柄表示器８ｂにおける第１特別図柄および第２特別図柄の変動表示を実行する。
【０１９８】
さらに、ＣＰＵ５６は、普通図柄プロセスフラグの値に応じて普通図柄の演出表示を行なうための普通図柄表示制御データを普通図柄表示制御データ設定用の出力バッファに設定する普通図柄表示制御処理を行なう（Ｓ３３）。ＣＰＵ５６は、たとえば、普通図柄の変動に関する開始フラグがセットされると終了フラグがセットされるまで、普通図柄の変動速度が０．２秒ごとに表示状態（「○」および「×」）を切替えるような速度であれば、０．２秒が経過するごとに、出力バッファに設定される表示制御データの値（たとえば、「○」を示す１と「×」を示す０）を切替える。また、ＣＰＵ５６は、出力バッファに設定された表示制御データに応じて、Ｓ２２において駆動信号を出力することによって、普通図柄表示器１０における普通図柄の演出表示を実行する。
【０１９９】
その後、割込許可状態に設定し（Ｓ３４）、処理を終了する。
以上の制御によって、この実施の形態では、遊技制御処理は２ｍｓごとに起動されることになる。なお、遊技制御処理は、タイマ割込処理におけるＳ２１〜Ｓ３３（Ｓ２９を除く。）の処理に相当する。また、この実施の形態では、タイマ割込処理で遊技制御処理が実行されているが、タイマ割込処理ではたとえば割込が発生したことを示すフラグのセットのみがなされ、遊技制御処理はメイン処理において実行されるようにしてもよい。
【０２００】
第１特別図柄表示器８ａまたは第２特別図柄表示器８ｂおよび演出表示装置９にはずれ図柄が停止表示される場合には、演出図柄の変動表示が開始されてから、演出図柄の変動表示状態がリーチ状態にならずに、リーチにならない所定の演出図柄の組合せが停止表示されることがある。このような演出図柄の変動表示態様を、変動表示結果がはずれ図柄になる場合における「非リーチ」（「通常はずれ」ともいう）の変動表示態様という。
【０２０１】
第１特別図柄表示器８ａまたは第２特別図柄表示器８ｂおよび演出表示装置９にはずれ図柄が停止表示される場合には、演出図柄の変動表示が開始されてから、演出図柄の変動表示状態がリーチ状態となった後にリーチ演出が実行され、最終的に大当り図柄とはならない所定の演出図柄の組合せが停止表示されることがある。このような演出図柄の変動表示結果を、変動表示結果が「はずれ」となる場合における「リーチ」（「リーチはずれ」ともいう）の変動表示態様という。
【０２０２】
この実施の形態では、第１特別図柄表示器８ａまたは第２特別図柄表示器８ｂに大当り図柄が停止表示される場合には、演出図柄の変動表示状態がリーチ状態になった後にリーチ演出が実行され、最終的に演出表示装置９における「左」、「中」、「右」の各図柄表示エリアに、演出図柄が揃って停止表示される。
【０２０３】
図９は、各乱数を示す説明図である。各乱数は、以下のように使用される。
（１）ランダムＲ：大当りにするか否かを判定する当り判定用のランダムカウンタである。ランダムＲは、１０ＭＨｚで１ずつ更新され、０から加算更新されてその上限である６５５３５まで加算更新された後再度０から加算更新される。
【０２０４】
（２）ランダム１（ＭＲ１）：大当りの種類（種別、通常大当り、確変大当りのいずれかの種別）および大当り図柄を決定する（大当り種別判定用、大当り図柄決定用）。
【０２０５】
（３）ランダム２（ＭＲ２）：変動パターンの種類（種別）を決定する（変動パターン種別判定用）。
【０２０６】
（４）ランダム３（ＭＲ３）：変動パターン（変動時間）を決定する（変動パターン判定用）。
【０２０７】
（５）ランダム４（ＭＲ４）：普通図柄に基づく当りを発生させるか否か決定する（普通図柄当り判定用）。
【０２０８】
（６）ランダム５（ＭＲ５）：ランダム４の初期値を決定する（ランダム４初期値決定用）。
【０２０９】
この実施の形態では、前述したように、特定遊技状態である大当りとして、通常大当りおよび確変大当りという複数の種別が含まれている。したがって、大当りとする決定がされたときには、大当り種別判定用乱数（ランダム１）の値に基づいて、大当りの種別が、これらいずれかの大当り種別に決定される。さらに、大当りの種別が決定されるときに、同時に大当り種別判定用乱数（ランダム１）の値に基づいて、大当り図柄も決定される。したがって、ランダム１は、大当り図柄決定用乱数でもある。
【０２１０】
また、この実施の形態では、変動パターンは、まず、変動パターン種別判定用乱数（ランダム２）を用いて変動パターン種別を決定し、変動パターン判定用乱数（ランダム３）を用いて、決定した変動パターン種別に含まれるいずれかの変動パターンに決定する。そのように、この実施の形態では、２段階の抽選処理によって変動パターンが決定される。
【０２１１】
変動パターン種別とは、複数の変動パターンをその変動態様の特徴にしたがってグループ化したものである。変動パターン種別には、１または複数の変動パターンが属している。変動パターンを決定するときには、まず、変動パターン種別判定用乱数（ランダム２）を用いて変動パターン種別を決定する。そして、決定した変動パターン種別に属する変動パターンから、１つの変動パターンを変動パターン判定用乱数（ランダム３）を用いて決定する。
【０２１２】
この実施の形態では、通常大当り、および、確変大当りである場合には、ノーマルリーチを伴う変動パターン種別であるノーマルリーチ変動パターン種別と、スーパーリーチを伴う変動パターン種別とに種別分けされている。このような変動パターン種別は、予め定められた割合で選択される。
【０２１３】
また、はずれである場合には、リーチを伴わない変動パターン種別である通常変動パターン種別と、ノーマルリーチを伴う変動パターン種別であるノーマルリーチ変動パターン種別と、スーパーリーチを伴う変動パターン種別であるスーパーリーチ変動パターン種別とに種別分けされている。
【０２１４】
このような変動パターン種別は、表示結果がはずれとなる場合に、時短状態であるときと、時短状態でないときとで、変動パターン種別の選択割合が異なる（時短状態では、時短状態でないときと比べて、通常変動パターン種別のような変動時間が短い変動パターン種別が選択される割合が高く設定されている）ように設定されていることにより、時短状態であるときには、時短状態でないときと比べて、変動時間が短縮される。また、このような変動パターン種別は、第１特別図柄と第２特別図柄との合算記憶数が所定数以上であるときと、所定数未満であるときとで選択割合が異なるように設定されていることにより、変動表示をする各特別図柄の保留記憶数が所定数以上であるときには、各特別図柄の保留記憶数が所定数未満であるときと比べて、変動時間が短縮される場合がある。このように変動表示時間を短縮する制御は、保留数短縮制御と呼ばれる。
【０２１５】
図６に示されたタイマ割込処理におけるＳ２３では、遊技制御用マイクロコンピュータ５６０は、大当り種別判定用乱数（ランダム１）、および、普通図柄当り判定用乱数（ランダム４）を生成するためのカウンタのカウントアップ（１加算更新）を行なう。すなわち、それらが判定用乱数であり、それら以外の乱数が表示用乱数（ランダム２、ランダム３）または初期値用乱数（ランダム５）である。なお、遊技効果を高めるために、上記の乱数以外の乱数も用いてもよい。また、この実施の形態では、大当り判定用乱数として、遊技制御用マイクロコンピュータ５６０に内蔵されたハードウェア（遊技制御用マイクロコンピュータ５６０の外部のハードウェアでもよい。）が生成する乱数を用いる例を示すが、大当り判定用乱数としては、ランダム１〜５のようなソフトウェアにより生成される乱数を用いてもよい。
【０２１６】
図１０は、大当り判定テーブルおよび大当り種別判定テーブルを示す説明図である。図１０（Ａ）は、大当り判定テーブルを示す説明図である。大当り判定テーブルとは、ＲＯＭ５４に記憶されているデータの集まりであって、ランダムＲと比較される大当り判定値が設定されているテーブルである。大当り判定テーブルには、通常状態（確変状態でない遊技状態、すなわち非確変状態）において用いられる通常時（非確変時）大当り判定テーブルと、確変状態において用いられる確変時大当り判定テーブルとがある。
【０２１７】
通常時大当り判定テーブルには、図１０（Ａ）の左欄に記載されている各数値が大当り判定値として設定され、確変時大当り判定テーブルには、図１０（Ａ）の右欄に記載されている各数値が大当り判定値として設定されている。確変時大当り判定テーブルに設定された大当り判定値は、通常時大当り判定テーブルに設定された大当り判定値と共通の大当り判定値（第１大当り判定値ともいう）に、確変時固有の大当り判定値が加えられたことにより、確変時大当り判定テーブルよりも多い個数（１０倍の個数）の大当り判定値が設定されている。これにより、確変状態には、通常状態よりも高い確率で大当りとする判定がなされる。
【０２１８】
この実施の形態の場合、通常時大当り判定テーブルでは、ランダムＲの総数に対する大当り判定値の割合が１／１００である。これにより、通常時（非確変時）において大当りに決定する判定がされる割合は１／１００である。また、この実施の形態の場合、確変時大当り判定テーブルでは、ランダムＲの総数に対する大当り判定値の割合が１／１０である。これにより、確変時において大当りに決定する判定がされる割合は１／１０である。
【０２１９】
以下の説明において、通常時大当り判定テーブルおよび確変時大当り判定テーブルに設定された大当り判定値のうち、通常時大当り判定テーブルに設定された通常時（非確変時）用の大当り判定値は、確変時大当り判定テーブルにおいても共通の大当り判定値として用いられるものであり、通常時大当り判定値（第１大当り判定値ともいう）という。また、確変時大当り判定テーブルに設定された大当り判定値のうち、通常時大当り判定値以外の確変時固有の大当り判定値（第２大当り判定値ともいう）は、確変時において前述の通常時大当り判定値に加えて固有の大当り判定値として用いられるものであり、確変時大当り判定値という。
【０２２０】
ＣＰＵ５６は、所定の時期に、乱数回路５０３のカウント値を抽出して抽出値を大当り判定用乱数（ランダムＲ）の値と比較するのであるが、大当り判定用乱数値が図１０（Ａ）に示すいずれかの大当り判定値に一致すると、特別図柄に関して大当り（確変大当り、または、通常大当り）にすることに決定する。また、大当り判定用乱数値が図１０（Ａ）に示すいずれかの大当り判定値に一致しないときは、はずれにすることに決定する。なお、図１０（Ａ）に示す「確率」は、大当りになる確率（割合）を示す。また、大当りにするか否か決定するということは、大当り遊技状態に移行させるか否か決定するということであるが、第１特別図柄表示器８ａまたは第２特別図柄表示器８ｂにおける停止図柄を大当り図柄にするか否か決定するということでもある。
【０２２１】
図１０（Ｂ），（Ｃ）は、ＲＯＭ５４に記憶されている大当り種別判定テーブルを示す説明図である。このうち、図１０（Ｂ）は、遊技球が第１始動入賞口１３に入賞したことに基づく保留記憶（第１保留記憶ともいう）を用いて（すなわち、第１特別図柄の変動表示が行なわれるとき）大当り種別を決定する場合に用いる第１特別図柄大当り種別判定テーブル（第１特別図柄用）である。
【０２２２】
また、図１０（Ｃ）は、遊技球が第２始動入賞口１４に入賞したことに基づく保留記憶（第２保留記憶ともいう）を用いて（すなわち、第２特別図柄の変動表示が行なわれるとき）大当り種別を決定する場合に用いる第２特別図柄大当り種別判定テーブルである。
【０２２３】
図１０（Ｂ）の第１特別図柄大当り種別判定テーブル、および、図１０（Ｃ）の第２特別図柄大当り種別判定テーブルのそれぞれは、変動表示結果を大当り図柄にする旨の判定がなされたときに、大当り種別判定用の乱数（ランダム１）に基づいて、大当りの種別を「通常大当り」と「確変大当り」とのうちのいずれかに決定するとともに、大当り図柄を決定するために参照されるテーブルである。
【０２２４】
図１０（Ｂ）の第１特別図柄大当り種別判定テーブルには、ランダム１の値と比較される数値であって、「確変大当り」と「通常大当り」とのそれぞれに対応した判定値（大当り種別判定値）が設定されている。
【０２２５】
図８（Ｃ）の第２特別図柄大当り種別判定テーブルには、ランダム１の値と比較される数値であって、「確変大当り」と「通常大当り」とのそれぞれに対応した判定値（大当り種別判定値）が設定されている。この実施の形態では、第１特別図柄大当り種別判定テーブルと、第２特別図柄大当り種別判定テーブルとで、「確変大当り」に対応した判定値の数が同じとなるように設定され、「通常大当り」に対応した判定値の数も同じとなるように設定されている。したがって、第１特別図柄と第２特別図柄とで、確変大当りに決定される割合が同じとなり、通常大当りに決定される割合が同じとなるように設定されている。なお、第２特別図柄大当り種別判定テーブルにおいては、第１特別図柄大当り種別判定テーブルと比べて、「確変大当り」に対応した判定値が多くなるように設定する等、第１特別図柄大当り種別判定テーブルと、第２特別図柄大当り種別判定テーブルとで、「確変大当り」に対応した判定値の数が異なるように設定されてもよく、「通常大当り」に対応した判定値の数が異なるように設定されてもよい。また、ラウンド数が異なる複数種類の大当りの中から大当りの種類を選択可能とする場合には、第１特別図柄大当り種別判定テーブルと、第２特別図柄大当り種別判定テーブルとで、「確変大当り」となる割合が同じとなるように設定されるときでも、ラウンド数が多い大当り種別（ラウンド数が遊技者にとって有利な大当り種別）を選択する割合が異なるようにデータを設定してもよい。
【０２２６】
また、図１０（Ｂ），（Ｃ）に示すように、大当り種別判定値は、第１特別図柄および第２特別図柄の大当り図柄を決定する判定値（大当り図柄判定値）としても用いられる。「確変大当り」に対応した判定値は、第１特別図柄および第２特別図柄の大当り図柄の「７」に対応した判定値としても設定されている。「通常大当り」に対応した判定値は、大当り図柄の第１特別図柄および第２特別図柄の「５」に対応した判定値としても設定されている。
【０２２７】
このように、図１０（Ｂ）の第１特別図柄大当り種別判定テーブル、および、図１０（Ｃ）の第２特別図柄大当り種別判定テーブルのそれぞれにおいては、１つの大当り図柄に複数の判定値が対応付けられている場合がある。しかし、これに限らず、すべての大当り図柄について、１つの大当り図柄に１つの判定値が対応付けられるようにしてもよい。たとえば、大当り図柄が「００」〜「９９」までの１００図柄ある場合に、たとえば、大当り図柄「００」に対して大当り種別判定値「００」が対応し、大当り図柄「９９」に対して大当り種別判定値「９９」が対応するというように、「００」〜「９９」という１００個の大当り種別判定値が、「００」〜「９９」という１００図柄の大当り図柄に１対１で対応するようにしてもよい。
【０２２８】
このような大当り種別判定テーブルを用いて、ＣＰＵ５６は、大当り種別として、ランダム１の値が一致した大当り種別判定値に対応する種別を決定するともに、大当り図柄として、ランダム１の値が一致した大当り図柄を決定する。これにより、大当り種別と、大当り種別に対応する大当り図柄とが同時に決定される。
【０２２９】
図１１は、遊技制御用マイクロコンピュータ５６０が送信する演出制御コマンドの内容の一例を示す説明図である。図１０に示す例において、コマンド８０ＸＸ（Ｈ）は、特別図柄の変動表示に対応して演出表示装置９において変動表示される演出図柄の変動パターンを指定する演出制御コマンド（変動パターンコマンド）である（それぞれ変動パターンＸＸに対応）。つまり、使用されうる変動パターンのそれぞれに対して一意な番号を付した場合に、その番号で特定される変動パターンのそれぞれに対応する変動パターンコマンドがある。なお、「（Ｈ）」は１６進数であることを示す。また、変動パターンを指定する演出制御コマンドは、変動開始を指定するためのコマンドでもある。したがって、演出制御用マイクロコンピュータ１００は、コマンド８０ＸＸ（Ｈ）を受信すると、演出表示装置９において演出図柄の変動表示を開始するように制御する。
【０２３０】
コマンド８Ｃ０１（Ｈ）〜８Ｃ０３（Ｈ）は、大当りとするか否か、および、大当り種別を示す演出制御コマンドである。コマンド８Ｃ０１（Ｈ）は、はずれに決定されていることを指定する演出制御コマンドである。コマンド８Ｃ０２（Ｈ）は、確変大当りに決定されていることを指定する演出制御コマンドである。コマンド８Ｃ０３（Ｈ）は、通常大当りに決定されていることを指定する演出制御コマンドである。
【０２３１】
コマンド８Ｄ０１（Ｈ）は、第１特別図柄の変動表示（変動）を開始することを示す演出制御コマンド（第１図柄変動指定コマンド）である。コマンド８Ｄ０２（Ｈ）は、第２特別図柄の変動表示（変動）を開始することを示す演出制御コマンド（第２図柄変動指定コマンド）である。第１図柄変動指定コマンドと第２図柄変動指定コマンドとを特別図柄特定コマンド（または図柄変動指定コマンド）と総称することがある。なお、第１特別図柄の変動表示を開始するのか第２特別図柄の変動表示を開始するのかを示す情報を、変動パターンコマンドに含めるようにしてもよい。
【０２３２】
コマンド８Ｆ００（Ｈ）は、演出図柄の変動表示（変動）を終了して表示結果（停止図柄）を導出表示することを示す演出制御コマンド（図柄確定指定コマンド）である。演出制御用マイクロコンピュータ１００は、図柄確定指定コマンドを受信すると、演出図柄の変動表示（変動）を終了して表示結果を導出表示する。
【０２３３】
コマンド９０００（Ｈ）は、遊技機に対する電力供給が開始されたときに送信される演出制御コマンド（初期化指定コマンド：電源投入指定コマンド）である。コマンド９２００（Ｈ）は、遊技機に対する電力供給が再開されたときに送信される演出制御コマンド（停電復旧指定コマンド）である。遊技制御用マイクロコンピュータ５６０は、遊技機に対する電力供給が開始されたときに、バックアップＲＡＭにデータが保存されている場合には、停電復旧指定コマンドを送信し、そうでない場合には、初期化指定コマンドを送信する。
【０２３４】
コマンド９Ｆ００（Ｈ）は、客待ちデモンストレーションを指定する演出制御コマンド（客待ちデモ指定コマンド）である。
【０２３５】
コマンドＡ００１〜Ａ００６（Ｈ）は、大当り遊技の開始を指定する演出制御コマンド（大当り開始指定コマンド）である。大当り開始指定コマンドには、５Ｒ確変大当りの大当り遊技状態の開始を指定する場合に送信される５Ｒ確変大当り開始指定コマンド（コマンドＡ００１）、１０Ｒ確変大当りの大当り遊技状態の開始を指定する場合に送信される１０Ｒ確変大当り開始指定コマンド（コマンドＡ００２）、１５Ｒ確変大当りの大当り遊技状態の開始を指定する場合に送信される１５Ｒ確変大当り指定コマンド（コマンドＡ００３）、５Ｒ通常大当りの大当り遊技状態の開始を指定する場合に送信される５Ｒ通常大当り開始指定コマンド（コマンドＡ００４）、１０Ｒ通常大当りの大当り遊技状態の開始を指定する場合に送信される１０Ｒ通常大当り開始指定コマンド（コマンドＡ００５）、１５Ｒ通常大当りの大当り遊技状態の開始を指定する場合に送信される１５Ｒ通常大当り指定コマンド（コマンドＡ００５）が含まれる。
【０２３６】
コマンドＡ１ＸＸ（Ｈ）は、ＸＸで示す回数目（ラウンド）の大入賞口開放中の表示を示す演出制御コマンド（大入賞口開放中指定コマンド）である。Ａ２ＸＸ（Ｈ）は、ＸＸで示す回数目（ラウンド）の大入賞口閉鎖を示す演出制御コマンド（大入賞口開放後指定コマンド）である。
【０２３７】
コマンドＡ３０１（Ｈ）は、確変大当りの大当り遊技状態の終了を指定する演出制御コマンド（大当り終了指定コマンド）である。コマンドＡ３０２（Ｈ）は、通常大当りの大当り遊技状態の終了を指定する演出制御コマンド（通常大当り終了指定コマンド）である。大当り終了指定コマンドおよび通常大当り終了指定コマンドとは、当り終了指定コマンドとも呼ばれる。
【０２３８】
コマンドＢ０００（Ｈ）は、遊技状態が通常状態（低確低ベース状態）であることを指定する演出制御コマンド（通常状態指定コマンド）である。コマンドＢ００１（Ｈ）は、遊技状態が時短状態であることを指定する演出制御コマンド（時短状態指定コマンド）である。コマンドＢ００２（Ｈ）は、遊技状態が確変状態であることを指定する演出制御コマンド（確変状態指定コマンド）である。
【０２３９】
このような演出制御コマンドにより、遊技状態が、通常状態、時短状態、および、確変状態のうちのどの状態またはどの状態の組合せになっているかを演出制御用マイクロコンピュータ１００に知らせることができる。これにより、演出制御用マイクロコンピュータ１００においては、遊技状態が、通常状態、時短状態、および、確変状態のうちのどの状態またはどの状態の組合せになっているかを認識することができるので、通常状態、時短状態、および、確変状態のそれぞれの状態に応じた画像表示等の各種演出を行なうことが可能となる。
【０２４０】
コマンドＣ００１（Ｈ）は、第１始動入賞口１３について第１特別図柄の変動表示が行なわれる始動入賞、すなわち、第１始動入賞があったことを指定する演出制御コマンド（第１始動入賞指定コマンド）である。コマンドＣ００２（Ｈ）は、第２始動入賞口１４について第２特別図柄の変動表示が行なわれる始動入賞、すなわち、第２始動入賞があったことを指定する演出制御コマンド（第２始動入賞指定コマンド）である。コマンドＣ００３（Ｈ）は、保留記憶数を減算させることを指定する演出制御コマンド（保留記憶減算指定コマンド）である。
【０２４１】
演出制御基板８０に搭載されている演出制御用マイクロコンピュータ１００（具体的には、演出制御用ＣＰＵ１０１）は、主基板３１に搭載されている遊技制御用マイクロコンピュータ５６０から上述した演出制御コマンドを受信すると、図１１に示された内容に応じて演出表示装置９の表示状態を変更したり、ランプの表示状態を変更したり、音声出力基板７０に対して音番号データを出力したりする。
【０２４２】
たとえば、遊技制御用マイクロコンピュータ５６０は、始動入賞があり第１特別図柄表示器８ａまたは第２特別図柄表示器８ｂにおいて特別図柄の変動表示が開始される度に、演出図柄の変動パターンを指定する変動パターンコマンドおよび表示結果指定コマンドを演出制御用マイクロコンピュータ１００に送信する。
【０２４３】
この実施の形態では、演出制御コマンドは２バイト構成であり、１バイト目はＭＯＤＥ（コマンドの分類）を表し、２バイト目はＥＸＴ（コマンドの種類）を表す。ＭＯＤＥデータの先頭ビット（ビット７）は必ず「１」に設定され、ＥＸＴデータの先頭ビット（ビット７）は必ず「０」に設定される。なお、そのようなコマンド形態は一例であって他のコマンド形態を用いてもよい。たとえば、１バイトや３バイト以上で構成される制御コマンドを用いてもよい。
【０２４４】
なお、演出制御コマンドの送出方式として、演出制御信号ＣＤ０〜ＣＤ７の８本のパラレル信号線で１バイトずつ主基板３１から中継基板７７を介して演出制御基板８０に演出制御コマンドデータを出力し、演出制御コマンドデータの他に、演出制御コマンドデータの取込を指示するパルス状（矩形波状）の取込信号（演出制御ＩＮＴ信号）を出力する方式を用いる。演出制御コマンドの８ビットの演出制御コマンドデータは、演出制御ＩＮＴ信号に同期して出力される。演出制御基板８０に搭載されている演出制御用マイクロコンピュータ１００は、演出制御ＩＮＴ信号が立上がったことを検知して、割込処理によって１バイトのデータの取込み処理を開始する。
【０２４５】
図１１に示す例では、変動パターンコマンドおよび表示結果指定コマンドを、第１特別図柄表示器８ａでの第１特別図柄の変動に対応した演出図柄の変動表示（変動）と、第２特別図柄表示器８ｂでの第２特別図柄の変動に対応した演出図柄の変動表示（変動）とで共通に使用でき、第１特別図柄および第２特別図柄の変動表示に伴って演出を行なう演出表示装置９等の演出用部品を制御する際に、遊技制御用マイクロコンピュータ５６０から演出制御用マイクロコンピュータ１００に送信されるコマンドの種類を増大させないようにすることができる。
【０２４６】
次に、ＲＯＭ５４に記憶されている開放パターンデータテーブルについて説明する。開放パターンデータテーブルにおいては、各種別の大当りのそれぞれについて、開放回数（ラウンド上限数）、開放時間（各ラウンド中の開放時間）、および、インターバル時間（各ラウンド間時間）を含む特別可変入賞球装置２０の開放パターンを示すテータが設定されている。
【０２４７】
たとえば、確変大当りは、開放回数が１５回、開放時間が２９秒、インターバル時間が５秒というデータが開放パターンデータテーブルに設定されている。同様に、通常大当りは、確変大当りと同様に、開放回数が１５回、開放時間が２９秒、インターバル時間が５秒というデータが開放パターンデータテーブルに設定されている。
【０２４８】
図１２は、主基板３１に搭載される遊技制御用マイクロコンピュータ５６０（具体的には、ＣＰＵ５６）が実行する特別図柄プロセス処理（Ｓ２６）のプログラムの一例を示すフローチャートである。
【０２４９】
上述したように、特別図柄プロセス処理では第１特別図柄表示器８ａまたは第２特別図柄表示器８ｂおよび大入賞口を制御するための処理が実行される。特別図柄プロセス処理において、ＣＰＵ５６は、第１始動入賞口１３に遊技球が入賞したことを検出するための第１始動口スイッチ１３ａがオンして第１始動入賞口１３への始動入賞（第１始動入賞）が発生していたとき、または、第２始動入賞口１４に遊技球が入賞したことを検出するための第２始動口スイッチ１４ａがオンして第２始動入賞口１４への始動入賞（第２始動入賞）が発生していたときには（Ｓ３１１）、始動口スイッチ通過処理を実行する（Ｓ３１２）。そして、内部状態に応じて、Ｓ３００〜Ｓ３０７のうちのいずれかの処理を行なう。第１始動口スイッチ１３ａまたは第２始動口スイッチ１４ａがオンしていなければ、始動口スイッチ通過処理を実行せずに、内部状態に応じて、Ｓ３００〜Ｓ３０７のうちのいずれかの処理を行なう。
【０２５０】
Ｓ３００〜Ｓ３０７の処理は、以下のような処理である。
特別図柄通常処理（Ｓ３００）：特別図柄プロセスフラグの値が０であるときに実行される。遊技制御用マイクロコンピュータ５６０は、特別図柄の変動表示が開始できる状態になると、保留記憶バッファに記憶される数値データの記憶数（合算保留記憶数）を確認する。保留記憶バッファに記憶される数値データの記憶数は合算保留記憶数カウンタのカウント値により確認できる。また、合算保留記憶数カウンタのカウント値が０でなければ、第１特別図柄または第２特別図柄の変動表示の表示結果を大当りとするか否かを決定する。大当りとする場合には大当りフラグをセットする。そして、内部状態（特別図柄プロセスフラグ）をＳ３０１に応じた値（この例では１）に更新する。なお、大当りフラグは、大当り遊技が終了するときにリセットされる。
【０２５１】
変動パターン設定処理（Ｓ３０１）：特別図柄プロセスフラグの値が１であるときに実行される。また、変動パターンを決定し、その変動パターンにおける変動時間（変動表示時間：変動表示を開始してから表示結果を導出表示（停止表示）するまでの時間）を特別図柄の変動表示の変動時間とすることに決定する。また、特別図柄の変動時間を計測する変動時間タイマをスタートさせる。そして、内部状態（特別図柄プロセスフラグ）をＳ３０２に対応した値（この例では２）に更新する。
【０２５２】
表示結果指定コマンド送信処理（Ｓ３０２）：特別図柄プロセスフラグの値が２であるときに実行される。演出制御用マイクロコンピュータ１００に、表示結果指定コマンドを送信する制御を行なう。そして、内部状態（特別図柄プロセスフラグ）をＳ３０３に対応した値（この例では３）に更新する。
【０２５３】
特別図柄変動中処理（Ｓ３０３）：特別図柄プロセスフラグの値が３であるときに実行される。変動パターン設定処理で選択された変動パターンの変動時間が経過（Ｓ３０１でセットされる変動時間タイマがタイムアウトすなわち変動時間タイマの値が０になる）すると、内部状態（特別図柄プロセスフラグ）をＳ３０４に対応した値（この例では４）に更新する。
【０２５４】
特別図柄停止処理（Ｓ３０４）：特別図柄プロセスフラグの値が４であるときに実行される。第１特別図柄表示器８ａまたは第２特別図柄表示器８ｂにおける変動表示を停止して停止図柄を導出表示させる。また、演出制御用マイクロコンピュータ１００に、図柄確定指定コマンドを送信する制御を行なう。そして、大当りフラグがセットされている場合には、権利発生状態となるように制御し、当該権利発生状態において第１特定ゲート６１、第２特定ゲート６２、および、第３特定ゲート６３のうちいずれかの特定ゲートへの遊技球の進入が検出されたときに開放制御状態に移行させるために、内部状態（特別図柄プロセスフラグ）をＳ３０５に対応した値（この例では５）に更新する。大当りフラグがセットされていない場合には、内部状態（特別図柄プロセスフラグ）をＳ３００に対応した値（この例では０）に更新する。演出制御用マイクロコンピュータ１００は、遊技制御用マイクロコンピュータ５６０が送信する図柄確定指定コマンドを受信すると演出表示装置９において演出図柄および飾り図柄が停止されるように制御する。また、大当り遊技状態となったときの状態が確変状態であり、確変フラグがセットされていたときには、確変フラグがリセットされる（当該大当りが確変となる大当りであるか否かに関わらずリセットされる）。また、大当り遊技状態となる場合において時短フラグがセットされていたとき、または、変動表示回数により時短状態の終了条件が成立したときには、時短フラグがリセットされる。ここで、確変フラグは、確変状態であるときにセットされ、非確変状態であるときにリセットされるフラグである。また、時短フラグは、時短状態であるときにセットされ、非時短状態であるときにリセットされるフラグである。
【０２５５】
大入賞口開放前処理（Ｓ３０５）：特別図柄プロセスフラグの値が５であるときに実行される。大入賞口開放前処理では、大当りの種別に応じて、前述のような開放パターンにしたがって、特別可変入賞球装置２０において大入賞口を開放する制御を行なう。具体的には、カウンタ（たとえば、大入賞口に入った遊技球数をカウントするカウンタ）等を初期化するとともに、ソレノイド２１を駆動して大入賞口を開放状態にする。また、タイマによって大入賞口開放中処理の実行時間を設定し、内部状態（特別図柄プロセスフラグ）をＳ３０６に対応した値（この例では６）に更新する。なお、大入賞口開放前処理は各ラウンドごとに実行されるが、第１ラウンドを開始する場合には、大入賞口開放前処理は大当り遊技状態を開始する処理でもある。
【０２５６】
大入賞口開放中処理（Ｓ３０６）：特別図柄プロセスフラグの値が６であるときに実行される。大当り遊技状態中のラウンド表示の演出制御コマンドを演出制御用マイクロコンピュータ１００に送信する制御や大入賞口の閉成条件の成立を確認する処理等を行なう。大入賞口の閉成条件が成立し、かつ、まだ残りラウンドがある場合には、内部状態（特別図柄プロセスフラグ）をＳ３０５に対応した値（この例では５）に更新する。また、全てのラウンドを終えた場合には、内部状態（特別図柄プロセスフラグ）をＳ３０７に対応した値（この例では７）に更新する。
【０２５７】
大当り終了処理（Ｓ３０７）：特別図柄プロセスフラグの値が７であるときに実行される。大当り遊技状態が終了したことを遊技者に報知する表示制御を演出制御用マイクロコンピュータ１００に行なわせるための制御を行なう。また、遊技状態を示すフラグ（たとえば、確変フラグ、時短フラグ等）をセットする処理を行なう。そして、内部状態（特別図柄プロセスフラグ）をＳ３００に対応した値（この例では０）に更新する。
【０２５８】
図１３は、Ｓ３１２の始動口スイッチ通過処理を示すフローチャートである。図１４は、遊技制御用マイクロコンピュータ５６０における保留記憶バッファの構成例を示す説明図である。第１始動口スイッチ１３ａと第２始動口スイッチ１４ａとのうちの少なくとも一方がオン状態の場合に実行される始動口スイッチ通過処理において、ＣＰＵ５６は、オンしたのが第１始動口スイッチ１３ａであるか否かを確認する（Ｓ２１１）。第１始動口スイッチ１３ａがオンしていれば、ＣＰＵ５６は、第１保留記憶数が上限値に達しているか否か（具体的には、第１保留記憶数をカウントするための第１保留記憶数カウンタの値が４であるか否か）を確認する（Ｓ２１２）。第１保留記憶数が上限値に達していれば、Ｓ２２１に移行する。
【０２５９】
第１保留記憶数が上限値に達していなければ、ＣＰＵ５６は、第１保留記憶数カウンタの値を１増やす（Ｓ２１３）。また、ＣＰＵ５６は、第１保留記憶数と第２保留記憶数との合計である合計保留記憶数を示す合算保留記憶数カウンタの値を１増やす（Ｓ２１４）。合算保留記憶数カウンタは、初期値が「０」であり、有効な第１始動入賞または第２始動入賞が発生したときに、「１」加算更新され、変動表示が開始されるときに、「１」減算更新される。また、ＣＰＵ５６は、第１始動入賞口１３および第２始動入賞口１４への入賞順を記憶するための保留記憶特定情報記憶領域（保留特定領域）において、合計保留記憶数カウンタの値に対応した領域に、「第１」を示すデータをセットする（Ｓ２１５）。保留記憶特定情報記憶領域については、図１４を用いて説明する。
【０２６０】
保留記憶特定情報記憶領域においては、第１始動口スイッチ１３ａがオン状態となった場合（すなわち、第１始動入賞口１３に遊技球が始動入賞した場合）には「第１」を示すデータをセットし、第２始動口スイッチ１４ａがオン状態となった場合（すなわち、第２始動入賞口１４に遊技球が始動入賞した場合）には「第２」を示すデータをセットする。例えば、ＣＰＵ５６は、保留記憶特定情報記憶領域（保留特定領域）において、第１始動口スイッチ１３ａがオン状態となった場合には「第１」を示すデータとして０１（Ｈ）をセットし、第２始動口スイッチ１４ａがオン状態となった場合には「第２」を示すデータとして０２（Ｈ）をセットする。なお、この場合、対応する保留記憶がない場合には、保留記憶特定情報記憶領域（保留特定領域）には、００（Ｈ）がセットされている。
【０２６１】
ここで、図１３を参照して、図１４（Ａ）は、保留記憶特定情報記憶領域（保留特定領域）の構成例を示す説明図である。図１４（Ａ）に示すように、保留特定領域には、合計保留記憶数カウンタの値の最大値（この例では８）に対応した領域が確保されている。なお、図１４（Ａ）には、合計保留記憶数カウンタの値が５である場合の例が示されている。図１４（Ａ）に示すように、保留特定領域には、合計保留記憶数カウンタの値の最大値（この例では８）に対応した領域が確保され、第１始動入賞口１３または第２始動入賞口１４への入賞に基づいて入賞順に「第１」または「第２」であることを示すデータがセットされる。したがって、保留記憶特定情報記憶領域（保留特定領域）には、第１始動入賞口１３および第２始動入賞口１４への入賞順が記憶される。なお、保留特定領域は、ＲＡＭ５５に形成されている。「ＲＡＭに形成されている」とは、ＲＡＭ内の領域であることを意味する。
【０２６２】
図１４（Ｂ）は、保留記憶に対応する乱数等を保存する保存領域（保留記憶バッファ）の構成例を示す説明図である。図１４（Ｂ）に示すように、第１保留記憶バッファには、第１保留記憶数の上限値（この例では４）に対応した保存領域が確保されている。また、第２保留記憶バッファには、第２保留記憶数の上限値（この例では４）に対応した保存領域が確保されている。第１保留記憶バッファおよび第２保留記憶バッファは、ＲＡＭ５５に形成されている。第１保留記憶バッファおよび第２保留記憶バッファには、ハードウェア乱数であるランダムＲ（大当り判定用乱数）や、ソフトウェア乱数である大当り種別判定用乱数（ランダム１）、変動パターン種別判定用乱数（ランダム２）および変動パターン判定用乱数（ランダム３）が記憶される。
【０２６３】
次に、ＣＰＵ５６は、乱数回路５０３やソフトウェア乱数を生成するためのカウンタから値を抽出し、それらを、第１保留記憶バッファにおける保存領域に保存（格納）する処理を実行する（Ｓ２１６）。具体的に、Ｓ２１６の処理では、大当り判定用乱数（ランダムＲ）、大当り種別判定用乱数（ランダム１）、変動パターン種別判定用乱数（ランダム２）、および、変動パターン判定用乱数（ランダム３）が保存（格納）される。以下の保留記憶に関する説明に関しては、このように第１保留記憶バッファまたは第２保留記憶バッファに前述のような始動入賞に関する情報が記憶されることを「保留記憶される」と示す場合がある。なお、変動パターン判定用乱数（ランダム３）を始動口スイッチ通過処理（始動入賞時）において抽出して保存領域に予め格納しておくのではなく、第１特別図柄の変動開始時に抽出するようにしてもよい。たとえば、遊技制御用マイクロコンピュータ５６０は、後述する変動パターン設定処理において、変動パターン判定用乱数（ランダム３）を生成するための変動パターン判定用乱数カウンタから値を直接抽出するようにしてもよい。
【０２６４】
次いで、ＣＰＵ５６は、第１始動入賞指定コマンドを送信する制御を行なう（Ｓ２１７）。
【０２６５】
また、演出制御用マイクロコンピュータ１００に演出制御コマンドを送信する場合には、ＣＰＵ５６は、演出制御コマンドに応じたコマンド送信テーブル（予めＲＯＭにコマンド毎に設定されている）のアドレスをポインタにセットする。そして、演出制御コマンドに応じたコマンド送信テーブルのアドレスをポインタにセットして、演出制御コマンド制御処理（Ｓ２９）において演出制御コマンドを送信する。
【０２６６】
Ｓ２１１で第１始動口スイッチがオン状態でないと判定された場合、Ｓ２１２で第１保留記憶数が上限値に達していると判定された場合、または、Ｓ２１９が実行された後に、ＣＰＵ５６は、第２始動口スイッチ１４ａがオンしたか否かを確認する（Ｓ２２１）。第２始動口スイッチ１４ａがオンしていれば、ＣＰＵ５６は、第２保留記憶数が上限値に達しているか否か（具体的には、第２保留記憶数をカウントするための第２保留記憶数カウンタの値が４であるか否か）を確認する（Ｓ２２２）。第２保留記憶数カウンタの値が４であれば、処理を終了する。なお、ＣＰＵ５６は、第２保留記憶数カウンタの値が４であれば、再度第１始動口スイッチ１３ａがオンしているか否かを確認する（Ｓ２１１参照）処理を行なうようにしてもよい。
【０２６７】
第２保留記憶数が上限値に達していなければ、ＣＰＵ５６は、第２保留記憶数カウンタの値を１増やす（Ｓ２２３）。また、ＣＰＵ５６は、合算保留記憶数カウンタの値を１増やす（Ｓ２２４）。また、ＣＰＵ５６は、保留記憶特定情報記憶領域（保留特定領域）において、合計保留記憶数カウンタの値に対応した領域に、「第２」を示すデータをセットする（Ｓ２２５）。
【０２６８】
次いで、ＣＰＵ５６は、乱数回路５０３やソフトウェア乱数を生成するためのカウンタから値を抽出し、それらを、第２保留記憶バッファにおける保存領域に保存（格納）する処理を実行する（Ｓ２２６）。
【０２６９】
次いで、ＣＰＵ５６は、第２始動入賞指定コマンドを送信する制御を行なう（Ｓ２２７）。
【０２７０】
なお、Ｓ２１３〜２１６の処理とＳ２２３〜２２６の処理とを、１つの共通ルーチンで実現してもよい。その場合、ＣＰＵ５６は、まず、第１始動口スイッチ１３ａがオン状態になったことを検出した場合に「第１」を示すデータをセットし、第２始動口スイッチ１４ａがオン状態になったことを検出した場合に「第２」を示すデータをセットし、共通ルーチンで、セットされているデータに応じて、保留記憶バッファ（第１保留記憶バッファまたは第２保留記憶バッファ）を選択したり始動入賞指定コマンド（第１始動入賞指定コマンドまたは第２始動入賞指定コマンド）を選択する。
【０２７１】
図１５は、特別図柄プロセス処理における特別図柄通常処理（Ｓ３００）を示すフローチャートである。特別図柄通常処理において、ＣＰＵ５６は、合算保留記憶数の値を確認する（Ｓ５１）。具体的には、合算保留記憶数カウンタのカウント値を確認する。合算保留記憶数が０であれば処理を終了する。
【０２７２】
合算保留記憶数が０でなければ、ＣＰＵ５６は、保留特定領域（図１４（Ａ）参照）に設定されているデータのうち１番目のデータが「第１」を示すデータであるか否か確認する（ステップＳ５２）。「第１」を示すデータであれば、特別図柄ポインタ（第１特別図柄について特別図柄プロセス処理を行なっているのか第２特別図柄について特別図柄プロセス処理を行なっているのかを示すフラグ）に「第１」を示すデータを設定する（ステップＳ５４）。「第１」を示すデータでなければ、すなわち「第２」を示すデータであれば、特別図柄ポインタに「第２」を示すデータを設定する（ステップＳ５３）。
【０２７３】
この実施の形態では、Ｓ５２〜Ｓ５４の処理が実行されることによって、第１特別図柄の変動表示と、第２特別図柄の変動表示とのうち、先に保留記憶されたデータに基づく変動表示から順番に実行される。このように、この実施の形態では、第１特別図柄の変動表示および第２特別図柄の変動表示は、保留記憶情報が入賞した順番にしたがって処理されることにより、入賞した順番にしたがって変動表示が実行されることとなる。
【０２７４】
次いで、ＣＰＵ５６は、ＲＡＭ５５において、特別図柄ポインタが示す方の保留記憶数＝１に対応する保存領域に格納されている各乱数値を読出してＲＡＭ５５の乱数バッファ領域に格納する（Ｓ５５）。具体的に、ＣＰＵ５６は、特別図柄ポインタが「第１」を示している場合には、第１保留記憶バッファにおける第１保留記憶数＝１に対応する保存領域に格納されている各乱数値を読出してＲＡＭ５５の乱数バッファ領域に格納する。また、ＣＰＵ５６は、特別図柄ポインタが「第２」を示している場合には、第２保留記憶バッファにおける第２保留記憶数＝１に対応する保存領域に格納されている各乱数値を読出してＲＡＭ５５の乱数バッファ領域に格納する。
【０２７５】
そして、ＣＰＵ５６は、特別図柄ポインタが示す方の保留記憶数カウンタのカウント値を１減算し、かつ、各保存領域の内容をシフトする（Ｓ５６）。具体的には、ＣＰＵ５６は、特別図柄ポインタが「第１」を示している場合には、第１保留記憶数カウンタのカウント値を１減算し、かつ、第１保留記憶バッファにおける各保存領域の内容をシフトする。また、特別図柄ポインタが「第２」を示している場合に、第２保留記憶数カウンタのカウント値を１減算し、かつ、第２保留記憶バッファにおける各保存領域の内容をシフトする。
【０２７６】
すなわち、ＣＰＵ５６は、特別図柄ポインタが「第１」を示している場合に、ＲＡＭ５５の第１保留記憶バッファにおいて第１保留記憶数＝ｎ（ｎ＝２，３，４）に対応する保存領域に格納されている各乱数値を、第１保留記憶数＝ｎ−１に対応する保存領域に格納する。また、特別図柄ポインタが「第２」を示す場合に、ＲＡＭ５５の第２保留記憶バッファにおいて第２保留記憶数＝ｎ（ｎ＝２，３，４）に対応する保存領域に格納されている各乱数値を、第２保留記憶数＝ｎ−１に対応する保存領域に格納する。
【０２７７】
よって、各第１保留記憶数（または、各第２保留記憶数）に対応するそれぞれの保存領域に格納されている各乱数値が抽出された順番は、常に、第１保留記憶数（または、第２保留記憶数）＝１，２，３，４の順番と一致するようになっている。
【０２７８】
そして、ＣＰＵ５６は、合算保留記憶数カウンタのカウント値を変動パターン決定用の合算保留記憶数データとしてＲＡＭ５５の所定の領域に保存した後（Ｓ５７）、合算保留記憶数の値を１減らす。すなわち、合算保留記憶数カウンタのカウント値を１減算する（Ｓ５８）。このようにＳ５７で、カウント値が１減算される前の合算保留記憶数カウンタの値を保存することにより、変動パターンの決定時に用いられる合算保留記憶数のデータは、特別図柄通常処理の実行に伴ってＳ５８でカウントが１減算される前の合算保留記憶数、すなわち、変動表示の実行条件が成立したときの合算保留記憶数が用いられることとなる。
【０２７９】
特別図柄通常処理では、最初に、第１始動入賞口１３を対象として処理を実行することを示す「第１」を示すデータすなわち第１特別図柄を対象として処理を実行することを示す「第１」を示すデータ、または第２始動入賞口１４を対象として処理を実行することを示す「第２」を示すデータすなわち第２特別図柄を対象として処理を実行することを示す「第２」を示すデータが、特別図柄ポインタに設定される。そして、特別図柄プロセス処理における以降の処理では、特別図柄ポインタに設定されているデータに応じた処理が実行される。よって、Ｓ３００〜Ｓ３０７の処理を、第１特別図柄を対象とする場合と第２特別図柄を対象とする場合とで共通化することができる。
【０２８０】
次いで、ＣＰＵ５６は、乱数バッファ領域からランダムＲ（大当り判定用乱数）を読出し、大当り判定モジュールを実行することにより、大当り判定を行なう（Ｓ６０）。ここでの大当り判定は、特別図柄の変動表示結果を大当り表示結果とするか否かを判定することであり、別の言い方をすれば、大当り遊技状態としての開放制御状態に制御可能とするか否かを判定するものであり、さらに、別の言い方をすれば、大当り遊技状態としての開放制御状態に制御可能とする権利発生状態に制御するか否かを判定することであり、Ｓ６０で実行される大当り判定モジュールは、ＣＰＵ５６は、始動口スイッチ通過処理のＳ２１６またはＳ２２６で抽出し第１保留記憶バッファまたは第２保留記憶バッファに予め格納したランダムＲと、予め決められている大当り判定値（図９参照）とを比較し、それらが一致したら大当りとすることに決定する処理を実行するプログラムである。すなわち、大当り判定モジュールは、大当りを判定する処理を実行するプログラムである。
【０２８１】
大当り判定の処理では、遊技状態が確変状態（高確率状態）の場合は、遊技状態が非確変状態（通常遊技状態および時短状態）の場合よりも、大当りと判定される確率が高くなるように構成されている。具体的には、予め大当り判定値の数が多く設定されている確変時大当り判定テーブル（ＲＯＭ５４における図１０（Ａ）の右側の数値が設定されているテーブル）と、大当り判定値の数が確変時大当り判定テーブルよりも少なく設定されている通常時大当り判定テーブル（ＲＯＭ５４における図１０（Ａ）の左側の数値が設定されているテーブル）とが設けられている。そして、ＣＰＵ５６は、遊技状態が確変状態であるか否かを確認し、遊技状態が確変状態であるときは、確変時大当り判定テーブルを使用して大当りの判定の処理を行ない、遊技状態が非確変状態であるときは、通常時大当り判定テーブルを使用して大当りの判定の処理を行なう。すなわち、ＣＰＵ５６は、大当り判定用乱数（ランダムＲ）の値が図１０（Ａ）に示すいずれかの大当り判定値に一致すると、特別図柄に関して大当りとすることに決定する。Ｓ６０で大当りとすることに決定した場合には、Ｓ７１に移行する。
【０２８２】
なお、現在の遊技状態が確変状態であるか否かの確認は、確変フラグがセットされているか否かにより行なわれる。確変フラグは、遊技状態を確変状態に移行するときにセットされ、確変状態を終了するときにリセットされる。具体的には、確変大当りまたは通常大当りとすることに決定され、大当り遊技を終了する処理においてセットされ、大当りと決定されたときに特別図柄の変動表示を終了して停止図柄を停止表示するタイミングでリセットされる。
【０２８３】
大当り判定用乱数（ランダムＲ）の値がいずれの大当り判定値にも一致しなければ（Ｓ６０のＮ）、後述するＳ７５に進む。すなわち、はずれである場合には、そのままＳ７５に移行する。
【０２８４】
大当り判定用乱数（ランダムＲ）の値がいずれかの大当り判定値に一致すればＣＰＵ５６は、大当りであることを示す大当りフラグをセットする（Ｓ７１）。そして、大当り種別を複数種類のうちのいずれかに決定するために使用するテーブルとして、特別図柄ポインタが示す方の大当り種別判定テーブルを選択する（Ｓ７２）。具体的には、ＣＰＵ５６は、特別図柄ポインタが「第１」を示している場合には、図１０（Ｂ）に示す第１特別図柄用の大当り種別判定用テーブルを選択する。また、ＣＰＵ５６は、特別図柄ポインタが「第２」を示している場合には、図１０（Ｃ）に示す第２特別図柄用の大当り種別判定用テーブルを選択する。
【０２８５】
次いで、ＣＰＵ５６は、選択した大当り種別判定テーブルを用いて、乱数バッファ領域に格納された大当り種別判定用の乱数（ランダム１）の値と一致する値に対応した種別（「確変大当り」、または、「通常大当り」）を大当りの種別に決定する（Ｓ７３）。なお、この場合、ＣＰＵ５６は、始動口スイッチ通過処理のＳ２１６またはＳ２２６で抽出し第１保留記憶バッファや第２保留記憶バッファに格納した大当り種別判定用乱数（ランダム１）を読出し、選択した大当り種別判定テーブルを用いて大当り種別の決定を行なう。
【０２８６】
また、ＣＰＵ５６は、決定した大当りの種別を示すデータをＲＡＭ５５における大当り種別バッファに設定する（Ｓ７４）。たとえば、大当り種別が「確変大当り」の場合には、大当り種別を示すデータとして「０１」が設定される。大当り種別が「通常大当り」の場合には、大当り種別を示すデータとして「０２」が設定される。
【０２８７】
次いで、ＣＰＵ５６は、Ｓ７２で選択した大当り種別判定テーブルを用いて、特別図柄の停止図柄を決定する（Ｓ７５）。具体的には、大当りフラグがセットされていない場合には、はずれ図柄となる「−」を特別図柄の停止図柄に決定する。大当りフラグがセットされている場合には、大当り種別の決定結果に応じて、大当り図柄となる「５」、「７」のいずれかを特別図柄の停止図柄に決定する。すなわち、大当り種別を「確変大当り」に決定した場合には「７」を特別図柄の停止図柄に決定する。大当り種別を「通常大当り」に決定した場合には「５」を特別図柄の停止図柄に決定する。
【０２８８】
大当り情報として、前述したように大当り表示結果が導出表示されたときに第１の大当り情報の出力を開始する場合には、Ｓ７５により特別図柄の停止図柄が決定されたときに、図８のＳ２９による情報出力処理により第１の大当り情報を外部に出力できるように、情報出力信号をセットする。このような情報出力信号は、情報出力回路１５９からパチンコ遊技機１の裏面側上部に設けられたターミナル基板１６０を介して、ホールコンピュータ等の外部装置に対して出力される。
【０２８９】
そして、特別図柄プロセスフラグの値を変動パターン設定処理（Ｓ３０１）に対応した値に更新する（Ｓ７６）。
【０２９０】
なお、前述したような大当り判定を行なう処理は、変動表示の実行開始前に行なう場合に限らず、少なくとも、特別図柄の変動表示の表示結果が導出されるまでのタイミングであればよい。また、第２保留記憶バッファ内に第２保留記憶のデータが１つでも存在すれば、その第２保留記憶のデータに基づいた第２特別図柄表示器８ｂの変動表示が、第１保留記憶のデータに基づいた第１特別図柄表示器８ａの変動表示に優先して実行されるように制御してもよい。このような優先制御を行なうときには、第２特別図柄の方が第１特別図柄よりも、ラウンド数の多い大当り種別の選択割合が高く設定されている場合に、遊技者にとって有利な大当りとなる割合が高い変動表示を行なう保留記憶データを効率的に消化することができるので、遊技者の興趣を向上させることができる。そして、右打ち状態のまま大当りを効率的に消化できるので、大当りを消化する速度を早くすることができる。
【０２９１】
図１６は、特別図柄プロセス処理における特別図柄停止処理（Ｓ３０４）を示すフローチャートである。図１７は、特別図柄停止処理のサブルーチンとして実行される開放態様選択処理を示すフローチャートである。
【０２９２】
特別図柄停止処理において、ＣＰＵ５６は、停止フラグがセットされているか否かを判断する（Ｓ１３０）。停止フラグとは、権利発生状態となる変動表示が停止して表示結果が導出表示されたときにセットされるフラグをいう。
【０２９３】
停止フラグがセットされているときには、後述するＳ１３５に進む。一方、停止フラグがセットされていないときは、Ｓ３２の特別図柄表示制御処理で参照される終了フラグをセットして特別図柄の変動を終了させ、第１特別図柄表示器８ａまたは第２特別図柄表示器８ｂに停止図柄を導出表示する制御を行なう（Ｓ１３１）。なお、特別図柄ポインタに「第１」を示すデータが設定されている場合には第１特別図柄表示器８ａでの第１特別図柄の変動を終了させ、特別図柄ポインタに「第２」を示すデータが設定されている場合には第２特別図柄表示器８ｂでの第２特別図柄の変動を終了させる。また、演出制御用マイクロコンピュータ１００に図柄確定指定コマンドを送信する制御を行なう（Ｓ１３２）。そして、大当りフラグがセットされていない場合には（Ｓ１３３Ｎ）、Ｓ１４３に移行する。
【０２９４】
大当りフラグがセットされている場合には（Ｓ１３３Ｙ）、ＣＰＵ５６は、停止フラグおよび権利発生フラグをセットし（Ｓ１３４）、Ｓ１３５に進む。権利発生フラグとは、大当り遊技状態としての大入賞口の開放制御状態に制御するための権利が発生していることを示すフラグである。この大当り遊技状態に制御するための権利は、大当り判定により大当りとすることが決定され、かつ、当該決定に基づく変動表示が終了したときに発生する。なお、大入賞口の開放制御状態に制御するための権利は、大当り判定により大当りとすることが決定されたときに発生するようにしてもよい。
【０２９５】
Ｓ１３５に進んだときは、第１特定ゲートスイッチ６１ａ、第２特定ゲートスイッチ６２ａ、および、第３特定ゲートスイッチ６３ａのいずれかがオン状態となったか否かを判断する。第１特定ゲートスイッチ６１ａ、第２特定ゲートスイッチ６２ａ、および、第３特定ゲートスイッチ６３ａのいずれもがオン状態となっていないときには、大当り遊技状態に制御する条件が満たされていないので、処理を終了する。一方、第１特定ゲートスイッチ６１ａ、第２特定ゲートスイッチ６２ａ、および、第３特定ゲートスイッチ６３ａのいずれかがオン状態となっているときには、大入賞口の開放制御状態に制御する条件が満たされているので、Ｓ１３５Ａ〜Ｓ１４２の処理を実行する。
【０２９６】
Ｓ１３５Ａでは、大入賞口の開放制御態様（開放回数（ラウンド数）等の態様）を選択決定する開放態様選択処理を実行する（Ｓ１３５Ａ）。ここで、図１７を参照して、開放態様選択処理を具体的に説明する。
【０２９７】
開放態様選択処理において、ＣＰＵ５６は、第１特定ゲートスイッチ６１ａがオン状態となったか否かを判断する（Ｓ４１１）。第１特定ゲートスイッチ６１ａがオン状態となったときは、大当りのラウンド数の上限値として、第１特定ゲート６１への遊技球の進入に対応したラウンド数である５ラウンドを選択決定し、ラウンド数が５ラウンドであることを示すデータをＲＡＭ５５のラウンド数記憶領域に記憶し（Ｓ４１２）、処理を終了する。一方、第１特定ゲートスイッチ６１ａがオン状態となっていないときは、第２特定ゲートスイッチ６２ａがオン状態となった否かを判断する（Ｓ４１３）。
【０２９８】
第２特定ゲートスイッチ６２ａがオン状態となったときは、大当りのラウンド数の上限値として、第２特定ゲート６２への遊技球の進入に対応したラウンド数である１０ラウンドを選択決定し、ラウンド数が１０ラウンドであることを示すデータをＲＡＭ５５のラウンド数記憶領域に記憶し（Ｓ４１４）、処理を終了する。一方、第２特定ゲートスイッチ６２ａがオン状態となっていないときは、Ｓ１３５でオン状態となったと判断されたのが、消去法的に第３特定ゲートスイッチ６３ａであるので、大当りのラウンド数の上限値として、第３特定ゲート６３への遊技球の進入に対応したラウンド数である１５ラウンドを選択決定し、ラウンド数が１５ラウンドであることを示すデータをＲＡＭ５５のラウンド数記憶領域に記憶し（Ｓ４１５）、処理を終了する。なお、Ｓ４１４により第２特定ゲートスイッチ６２ａがオン状態となっていないときは、第３特定ゲートスイッチ６３ａがオン状態となったときであるか否かを判断して、オン状態となったときであることが確認されたことを条件としてＳ４１５に進むようにしてもよい。
【０２９９】
以上に説明したように、開放態様選択処理においては、第１特定ゲート６１、第２特定ゲート６２、および、第３特定ゲート６３のうちいずれの特定ゲートに遊技球が進入したかに応じて、異なる大当りのラウンド数が選択決定される。これにより、パチンコ遊技機１においては、複数の特定ゲートのいずれかに遊技球が進入したときに、進入した特定ゲートに基づいて、５Ｒ通常大当り、１０Ｒ通常大当り、１５Ｒ通常大当り、５Ｒ確変大当り、１０Ｒ確変大当り、１５Ｒ確変大当りというような複数種類の大当りのうちいずれかの大当りの大当り遊技状態（開放制御状態）に制御される。そして、図１に示すように、これら第１特定ゲート６１、第２特定ゲート６２、および、第３特定ゲート６３の上流側に、遊技球の流下方向を調整可能な流下方向調整手段としての釘８が設けられるので、釘調整により流下方向を調整することで、これら特定ゲートのそれぞれに遊技球を振分ける割合を容易に調整することが可能となり、大当り種別の選択割合の調整を容易に行なうことができる。
【０３００】
前述したように開放制御状態（大当り遊技状態）に制御されたときに大当り情報（前述した第２の大当り情報を出力する場合を含む）の出力を開始する場合には、Ｓ４１１，Ｓ４１３により遊技球がどの特定ゲートに進入したか、または、Ｓ４１２，Ｓ４１４，Ｓ４１５により大当りのラウンド数が何ラウンドに決定されたか、を特定可能な大当り情報を外部に出力できるように、情報出力信号をセットする。このような情報出力信号は、情報出力回路１５９からパチンコ遊技機１の裏面側上部に設けられたターミナル基板１６０を介して、ホールコンピュータ等の外部装置に対して出力される。このように、第１特定ゲート６１、第２特定ゲート６２、および、第３特定ゲート６３のような特定ゲートに遊技球が進入したことに基づいて出力する大当り情報は、権利発生状態において遊技球の進入が検出されたときにのみ出力され、それ以外の状態では出力されない。このように外部出力される大当り情報により遊技球がどの特定ゲートに進入したかが特定されることにより、当該情報を、これら特定ゲートの上流側からそれぞれに向けて流下する遊技球の割合を釘調整により調整するためのデータとして用いることができるとともに、各特定ゲートの入口における遊技球の進入しやすさ（受入れやすさ）を釘調整により調整するためのデータとして用いることができる。
【０３０１】
前述した図１７の開放態様選択処理によれば、１回の割込み処理中において、第１特定ゲート６１、第２特定ゲート６２、および、第３特定ゲート６３のうち複数の特定ゲートについてゲートスイッチがオン状態となったときには、Ｓ４１１〜Ｓ４１５の処理の流れに示されるように、第１特定ゲート６１、第２特定ゲート６２、第３特定ゲート６３の順番で、ゲートスイッチのオンを確認する処理の実行順番が早い方を優先してラウンド数が決定される。なお、第１特定ゲート６１、第２特定ゲート６２、および、第３特定ゲート６３については、どのような順番で、ゲートスイッチのオンを確認してラウンド数が決定されるようにしてもよい。
【０３０２】
また、１回の割込み処理中において、複数の特定ゲートについてゲートスイッチがオン状態となったときには、遊技者にとって有利となる特定ゲート（たとえば、ゲートスイッチがオン状態となった特定ゲートのうち選択ラウンド数が最も多い特定ゲート）を優先してラウンド数を決定するようにしてもよく、その逆でもよい。また、１回の割込み処理中において、複数の特定ゲートについてゲートスイッチがオン状態となったときには、たとえば、第１特定ゲート６１および第２特定ゲート６２についてゲートスイッチのオン状態が確認されたときに、第３特定ゲート６３についてゲートスイッチのオン状態が確認されたときと同じラウンド数が選択される等、個別の特定ゲート対応する遊技球の検出では選択されないようなラウンド数が選択されるようにしてもよい。
【０３０３】
次に、図１６を参照して、特別図柄停止処理の続きを説明する。Ｓ１３５Ａによる開放態様選択処理の後、Ｓ１３６では、停止フラグおよび権利発生フラグのそれぞれをリセットする。そして、確変フラグおよび時短フラグのそれぞれをリセットし（Ｓ１３７）、演出制御用マイクロコンピュータ１００に大当り開始指定コマンドまたは通常大当り開始指定コマンドを送信する制御を行なう（Ｓ１３８）。具体的には、大当りの種別が５Ｒ確変大当りである場合には５Ｒ確変大当り開始指定コマンドを送信する。大当りの種別が１０Ｒ確変大当りである場合には１０Ｒ確変大当り開始指定コマンドを送信する。大当りの種別が１５Ｒ確変大当りである場合には１５Ｒ確変大当り開始指定コマンドを送信する。大当りの種別が５Ｒ通常大当りである場合には５Ｒ通常大当り開始指定コマンドを送信する。大当りの種別が１０Ｒ通常大当りである場合には１０Ｒ通常大当り開始指定コマンドを送信する。大当りの種別が１５Ｒ通常大当りである場合には１５Ｒ通常大当り開始指定コマンドを送信する。
【０３０４】
Ｓ１３８において、大当りの種別が、確変大当り、または、通常大当りのいずれであるかは、ＲＡＭ５５に記憶されている大当り種別を示すデータ（大当り種別バッファに記憶されているデータ）に基づいて確認され、大当りのラウンド数の種別が５Ｒ、１０Ｒ、１５Ｒのいずれであるかは、開放態様選択処理（Ｓ１３５Ａ）で選択され、ＲＡＭ５５に記憶されている大当りのラウンド数に基づいて確認される。
【０３０５】
また、ＣＰＵ５６は、大当り発生時には制御状態を一旦通常状態に戻すために、演出制御用マイクロコンピュータ１００に通常状態指定コマンドを送信する制御を行なう（Ｓ１３９）。
【０３０６】
また、大入賞口制御タイマに開放開始前時間Ｔ（たとえば、２秒）に相当する値を設定する（Ｓ１４０）。開放開始前時間Ｔは、大当り遊技状態（開放制御状態）において特別可変入賞球装置２０を開放状態にするまでの待ち時間として設定される時間である。以降、大入賞口開放前処理において、大入賞口制御タイマが１減算されて、０になると大入賞口が開放されてラウンドが開始される。つまり、開放開始前時間Ｔが経過すると、特別可変入賞球装置２０が開放状態に制御される。このような開放開始前時間中においては、演出制御用マイクロコンピュータ１００により、権利発生状態となったことを演出表示装置９において報知（権利発生状態表示）すること、および、装飾ＬＥＤ２５等の所定の発光手段を予め定められた態様で発光させる等、所定の大当り報知が実行される。開放開始前時間Ｔは、大当り種別に関わらず、同じ時間が設定される。したがって、確変大当りと通常大当りとで同じ時間で開放開始前時間Ｔが設定される。このように、大当りの種類によらず、権利発生状態において第１特定ゲート６１、第２特定ゲート６２、および、第３特定ゲート６３のいずれかに遊技球が進入してから一定時間経過後に大入賞口の開放（開放制御状態）が開始されるので、大入賞口の開放開始契機が明確になるため、遊技内容に関する知識に差がある遊技者間での公平性を担保することができる。なお、たとえば突確大当りのような開放時間およびラウンド数等が異なるその他の種別の大当りを実行可能とするときにも、大当り種別に関わらず、同じ時間で開放開始前時間Ｔが設定される。
【０３０７】
このように、大当りの種類によらず、権利発生状態において第１特定ゲート６１、第２特定ゲート６２、および、第３特定ゲート６３のいずれかに遊技球が進入してから一定時間経過後に大入賞口の開放制御が開始されるようにした理由は、次のとおりである。一般的なパチンコ遊技機においては、大当りの種別が複数設けられた場合に、大当り発生時の演出等の都合により演出実行時間が大当り種別ごとに異なるように設定されている場合があり、そのような場合には、変動表示の停止時から大入賞口の開放制御（大当り遊技制御）の開始時までの期間が大当り種別により変化するので統一できていなかった。このため、大入賞口の開放制御（大当り遊技制御）の開始契機が明確でないという問題があり、このような大入賞口の開放制御（大当り遊技制御）の開始契機を明確化するために、大当りの種類によらず、権利発生状態において第１特定ゲート６１、第２特定ゲート６２、および、第３特定ゲート６３のいずれかに遊技球が進入してから一定時間経過後に大入賞口の開放（開放制御状態）が開始されるようにしたのである。
【０３０８】
また、ＲＡＭ５５に記憶されている大当り種別を示すデータ、および、ラウンド数を示すデータにより特定される大当りの種別に応じて、前述したＲＯＭ５４に記憶されている開放パターンデータを参照し、開放回数（この実施の形態では、確変大当りおよび通常大当りのそれぞれが１５回、１０回、５回のいずれか。）、開放時間（この実施の形態では、確変大当りおよび通常大当りのそれぞれが２９秒。）、ラウンド間のインターバル時間（この実施の形態では、確変大当りおよび通常大当りのそれぞれが０．５秒。）等の開放態様を示すデータを所定の記憶領域にセットする（Ｓ１４１）。このようなデータのうち、開放回数のデータは、開放回数を計数するための開放回数カウンタにセットされる。そして、特別図柄プロセスフラグの値を大入賞口開放前処理（Ｓ３０５）に対応した値に更新する（Ｓ１４２）。
【０３０９】
なお、本実施の形態のように、確変大当りと通常大当りとで、開放時間およびインターバル時間を同じとする場合には、Ｓ１４１においてセットする開放態様のデータの一部を固定値として用いれば、大当り遊技状態の開放態様を設定するための処理を簡素化することができる。
【０３１０】
Ｓ１４３に進んだ場合、ＣＰＵ５６は、確変状態であることを示す確変フラグがセットされているか否か確認する（Ｓ１４３）。確変フラグがセットされているときには、後述するＳ１４９に進み、特別図柄プロセスフラグの値を特別図柄通常処理（ステップＳ３００）に対応した値に更新する（ステップＳ１５１）。これにより、確変状態であるときには、はずれとなる変動表示が終了したときに、確変状態および時短状態が維持される。
【０３１１】
一方、Ｓ１４３で確変フラグがセットされていないときには、時短状態であることを示す時短フラグがセットされているか否か確認する（Ｓ１４４）。時短フラグがセットされていない場合には、Ｓ１４９に進む。これにより、確変状態でなく、かつ、時短状態でもない低確低ベース状態において、はずれとなる変動表示が終了したときには、低確低ベース状態が維持される。一方、時短フラグがセットされている場合には、通常大当りの終了後の時短状態（低確高ベース状態）における特別図柄の変動可能回数を示す時短回数カウンタの値を−１する（Ｓ１４５）。なお、減算後の時短回数カウンタの値に基づいて時短回数指定コマンドを演出制御用マイクロコンピュータ１００に送信する制御を行ない、演出制御用マイクロコンピュータ１００側で、時短回数の残数を演出表示装置９で表示するようにしてもよい。
【０３１２】
次いで、ＣＰＵ５６は、時短回数カウンタの値が０になったか否かを確認する（Ｓ１４５）、時短回数カウンタの値が０になっていないときには、後述するＳ１４９に進む。これにより、通常大当りの終了後の時短状態において、はずれとなる変動表示が所定回数（１００回）終了するまでは、低確高ベース状態による時短状態が維持される。一方、時短回数カウンタの値が０になったときには時短フラグをリセットする（Ｓ１４７）。そして、ＣＰＵ５６は、演出制御用マイクロコンピュータ１００に対して通常状態指定コマンドを送信する制御を行ない（Ｓ１４８）、Ｓ１４９に進む。これにより、通常大当りの終了後の時短状態において、はずれとなる変動表示が所定回数（１００回）終了したときには、低確高ベース状態による時短状態が終了し、低確低ベース状態に移行する。
【０３１３】
図１８は、特別図柄プロセス処理における大入賞口開放前処理（Ｓ３０５）を示すフローチャートである。大入賞口開放前処理において、ＣＰＵ５６は、大入賞口制御タイマの値を−１する（Ｓ４０１）。そして、大入賞口制御タイマの値が０であるか否かを確認し（Ｓ４０２）、大入賞口制御タイマの値が０になっていなければ、処理を終了する。これにより、大当り遊技状態（開放制御状態）の開始時においては、大入賞口制御タイマの値が０になるまで、前述したように設定された開放開始前時間となるので、大当りが発生したことを報知する制御が行なわれる。また、大当り遊技状態中のラウンド間においては、大入賞口制御タイマの値が０になるまで、後述するＳ４４０により設定されたインターバル時間となるので、インターバル時間について予め定められた演出をする制御が行なわれる。
【０３１４】
大入賞口制御タイマの値が０になっている場合には、ＣＰＵ５６は、大入賞口の開放中（ラウンド中）におけるラウンド数に応じた表示状態を指定する大入賞口開放中指定コマンド（Ａ１ＸＸ（Ｈ））を演出制御用マイクロコンピュータ１００に送信する制御を行なう（Ｓ４０３）。ＣＰＵ５６は、ラウンド数を、大当り遊技中のラウンド数をカウントするための開放回数カウンタの値を確認することにより認識する。そして、ＣＰＵ５６は、ソレノイド２１を駆動して大入賞口（特別可変入賞球装置２０）を開放する制御を行なうとともに（Ｓ４０４）、開放回数カウンタの値を−１する（Ｓ４０５）。このように、大当り遊技状態（開放制御状態）の開始時においては、大当り種別に関わらず、同じ開放開始前時間が経過したときに、大入賞口が開放される。そして、その後のラウンドにおいては、各ラウンド終了時に設定されたインターバル時間が経過したときに、大入賞口が開放される。
【０３１５】
また、大入賞口制御タイマに、各ラウンドにおいて大入賞口が開放可能な最大時間に応じた値として、大当りの種別に応じた開放パターンデータに基づく、当該ラウンドの開放時間に相当する値を設定する（Ｓ４０６）。ラウンドの開放時間としては、Ｓ１４１によりセットされた開放時間のデータが設定される。たとえば、確変大当りおよび通常大当りのそれぞれの場合において、開放時間が２９秒に設定される。そして、特別図柄プロセスフラグの値を大入賞口開放中処理（Ｓ３０６）に応じた値に更新する（Ｓ４０７）。
【０３１６】
図１９は、特別図柄プロセス処理における大入賞口開放中処理（Ｓ３０６）を示すフローチャートである。大入賞口開放中処理において、ＣＰＵ５６は、大入賞口制御タイマの値を−１する（Ｓ４２０）。
【０３１７】
そして、ＣＰＵ５６は、大入賞口制御タイマの値が０になったか否か確認する（Ｓ４２１）。大入賞口制御タイマの値が０になっていないときは、カウントスイッチ２３がオンしたか否か確認し（Ｓ４３２）、カウントスイッチ２３がオンしていなければ、処理を終了する。カウントスイッチ２３がオンした場合には、大入賞口への遊技球の入賞個数をカウントするための入賞個数カウンタの値を＋１する（Ｓ４３３）。そして、ＣＰＵ５６は、入賞個数カウンタの値が所定数（たとえば１０）になっているか否か確認する（Ｓ４３４）。入賞個数カウンタの値が所定数になっていなければ、処理を終了する。なお、Ｓ４２１とＳ４３２との判定順は逆でもよい。
【０３１８】
大入賞口制御タイマの値が０になっているとき、または入賞個数カウンタの値が所定数になっているときには、ＣＰＵ５６は、ソレノイド２１を駆動して大入賞口を閉鎖する制御を行なう（Ｓ４３５）。そして、入賞個数カウンタの値をクリアする（０にする）（Ｓ４３６）。
【０３１９】
次いで、ＣＰＵ５６は、開放回数カウンタの値を確認する（Ｓ４３８）。開放回数カウンタの値が０でない場合には、ＣＰＵ５６は、大入賞口の開放後（ラウンドの終了後）におけるラウンド数に応じた表示状態を指定する大入賞口開放後指定コマンド（Ａ２ＸＸ（Ｈ））を演出制御用マイクロコンピュータ１００に送信する制御を行なう（Ｓ４３９）。そして、大入賞口制御タイマに、ラウンドが終了してから次のラウンドが開始するまでのインターバル時間に相当する値を設定する（Ｓ４４０）。具体的に、インターバル時間としては、Ｓ１４１によりセットされたインターバル時間のデータが設定される。そして、特別図柄プロセスフラグの値を大入賞口開放前処理（Ｓ３０５）に応じた値に更新する（Ｓ４４１）。
【０３２０】
また、開放回数カウンタの値が０である場合に、ＣＰＵ５６は、大当り種別に応じた大当り終了指定コマンドを演出制御用マイクロコンピュータ１００に送信するための制御を行なう（Ｓ４４２）。具体的に、Ｓ４４２では、ＲＡＭ５５における大当り種別バッファに設定した大当り種別を示すデータに基づいて、大当り種別を確認する。そして、ＣＰＵ５６は、大入賞口制御タイマに大当り終了時間（大当り遊技が終了したことをたとえば、演出表示装置９において報知する演出を行なう時間）に相当する値を設定し（Ｓ４４３）、特別図柄プロセスフラグの値を大当り終了処理（Ｓ３０７）に応じた値に更新し（Ｓ４４４）、処理を終了する。
【０３２１】
図２０は、特別図柄プロセス処理における大当り終了処理（Ｓ３０７）を示すフローチャートである。大当り終了処理において、ＣＰＵ５６は、大当り終了時間が設定された大入賞口制御タイマの値を１減算する（Ｓ１５４）。そして、ＣＰＵ５６は、大入賞口制御タイマの値が０になっているか否（大当り終了時間が経過したか否か）確認する（Ｓ１５５）。大入賞口制御タイマの値が０になっていなければ処理を終了する。大入賞口制御タイマの値が０になっていれば、大当りフラグをリセットする（Ｓ１５６）。
【０３２２】
次に、ＲＡＭ５５に記憶されている大当り種別を示すデータにより特定される大当りの種別に応じて、現在の大当り遊技状態（開放制御状態）の大当りの大当り種別が、確変大当りであるか否かを判断する（Ｓ１５７）。
【０３２３】
確変大当りであるときには、確変フラグをセットし（Ｓ１５８）、時短フラグをセットする（Ｓ１５９）。これにより、大当り遊技状態（開放制御状態）の終了後に、遊技状態が確変状態および時短状態に制御される。これにより、確変大当り（５Ｒ確変大当り、１０Ｒ確変大当り、１５Ｒ確変大当り）の大当り遊技状態の終了後には、次に大当りが発生するまでの期間継続して確変状態および時短状態に制御されることとなる。本実施の形態では、時短フラグがセットされて時短状態に制御されたときに、普通図柄プロセス処理において電チューサポート状態であると判断され、高ベース状態に制御されることとなる。
【０３２４】
次に、ＣＰＵ５６は、確変状態指定コマンドを演出制御用マイクロコンピュータ１００に送信するための処理を行ない（Ｓ１６０）、時短状態指定コマンドを演出制御用マイクロコンピュータ１００に送信するための処理を行なう（Ｓ１６１）。これにより、確変状態指定コマンドおよび時短状態指定コマンドがそれぞれ演出制御用マイクロコンピュータ１００に送信される。次いで、ＣＰＵ５６は、特別図柄プロセスフラグの値を特別図柄通常処理（Ｓ３００）に対応した値に更新し（Ｓ１６２）、処理を終了する。
【０３２５】
一方、Ｓ１５７で確変大当りではないと判断されたとき、すなわち、通常大当りであるときには、時短フラグをセットする（Ｓ１６３）。これにより、通常大当り（５Ｒ通常大当り、１０Ｒ通常大当り、１５Ｒ通常大当り）の大当り遊技状態の終了後に、遊技状態が時短状態に移行する。そして、時短回数カウンタに「１００」をセットする（Ｓ１６４）。これにより、通常大当りの大当り遊技状態の終了後には、次回の大当りが発生しなければ変動表示が１００回実行されるまでの期間継続して時短状態に制御されることとなる。前述したように、本実施の形態では、時短フラグがセットされて時短状態に制御されたときに、普通図柄プロセス処理において電チューサポート状態であると判断され、高ベース状態に制御されることとなる。
【０３２６】
次に、ＣＰＵ５６は、時短状態指定コマンドを演出制御用マイクロコンピュータ１００に送信するための処理を行なう（Ｓ１６５）。これにより、時短状態指定コマンドがそれぞれ演出制御用マイクロコンピュータ１００に送信される。次いで、ＣＰＵ５６は、特別図柄プロセスフラグの値を特別図柄通常処理（Ｓ３００）に対応した値に更新し（Ｓ１６２）、処理を終了する。
【０３２７】
次に、権利発生状態中において遊技球が第１特定ゲート６１、第２特定ゲート６２、および、第３特定ゲート６３のうちいずれかを通過してから大入賞口が開放されるときの制御状態をタイミングチャートを用いて説明する。図２１は、権利発生状態中において遊技球が第１特定ゲート６１、第２特定ゲート６２、および、第３特定ゲート６３のうちいずれかを通過してから大入賞口が開放されるときの制御状態を示すタイミングチャートである。
【０３２８】
権利発生状態となったときに、第１特定ゲートスイッチ６１ａ、第２特定ゲートスイッチ６２ａ、および、第３特定ゲートスイッチ６３ａのうちいずれかの特定ゲートスイッチにより、遊技球が第１特定ゲート６１、第２特定ゲート６２、および、第３特定ゲート６３のうちいずれかの特定ゲートに進入（通過）したことが検出されると、所定時間経過後に、大入賞口の開放が開始され、大入賞口の開放制御状態に制御される。具体的に、権利発生状態中において、遊技球が第１特定ゲート６１、第２特定ゲート６２、および、第３特定ゲート６３のうちいずれかに進入（通過）したことが第１特定ゲートスイッチ６１ａ、第２特定ゲートスイッチ６２ａ、および、第３特定ゲートスイッチ６３ａのいずれかにより検出されると、図１６の特別図柄停止処理において、Ｓ１３５でＹＥＳの判断がされて、大当りの種類に関わらず、Ｓ１４０により大入賞口制御タイマが、同じ開放開始前時間Ｔに設定される。そして、図１８の大入賞口開放前処理においてＳ４０２により大入賞口制御タイマが０になって開放開始前時間Ｔが経過したと判断されたときに、Ｓ４０４により大入賞口が開放される。
【０３２９】
これにより、図２１に示されるように、権利発生状態となったときに、遊技球が第１特定ゲート６１、第２特定ゲート６２、および、第３特定ゲート６３のうちいずれかに進入したときには、大当りの種類に関わらず、同じ時間Ｔが経過した後に、大入賞口の開放が開始されることととなる。したがって、大当りの種類によらず、特定領域に遊技媒体が進入してから一定時間経過後に大入賞口の開放が開始されるので、大入賞口の開放開始契機が明確になるため、遊技内容に関する知識に差がある遊技者間での公平性を担保することができる。たとえば、大入賞口が開放する前の期間に実行される大当り開始時演出等の期間の長さに起因して、大当り種別により大入賞口の開放開始契機が異なる場合には、そのような演出内容を知る遊技者と知らない遊技者との間で、当該期間中に無駄な遊技球を発射するか否かで遊技者が保持する持球数の多少に差異が生じる。これに対し、大当り種別によらず、第１特定ゲート６１、第２特定ゲート６２、および、第３特定ゲート６３のうちいずれかに遊技球が進入してから一定時間経過後に大入賞口の開放が開始するように制御されれば、特に遊技内容に関する知識がなくても、無駄な遊技球の発射を抑制できると思われるので、遊技者間での公平性を担保することができるのである。
【０３３０】
図２２は、タイマ割込処理のＳ３０Ａで実行される試験端子処理を示すフローチャートである。図２２においては、各種試験信号を出力するための処理のうち、「左打ち」および「右打ち」のような遊技球を打込むべき領域を特定する試験信号の出力に関連する処理が示されている。
【０３３１】
図２２の試験端子処理において、ＣＵＰ５６は、前述した権利発生フラグがセットされているか否かを確認することに基づいて、現在が権利発生状態であるか否かを判断する（Ｓ２７１）。権利発生状態であると判断したときは、特定ゲートへの遊技球の進入を狙って右打ちをすべき遊技状態であるので、右打ち信号を出力するための処理を行ない（Ｓ２７５）、後述するＳ２７６に進む。ここで、右打ち信号は、右打ちをすべき遊技状態であることを示す試験信号である。これにより、権利発生状態であるときには、右打ち信号が試験信号として出力されることとなる。
【０３３２】
一方、Ｓ２７１で権利発生状態ではないと判断したときは、前述した特別図柄プロセスフラグの値を確認することに基づいて、現在が大入賞口の開放制御状態であるか否かを判断する（Ｓ２７２）。
【０３３３】
Ｓ２７２で開放制御状態であると判断したときは、右領域７ｂに設けられた特別可変入賞球装置２０への入賞を狙って右打ちをすべき遊技状態であるので、右打ち信号を出力するための処理を行ない（Ｓ２７５）、後述するＳ２７６に進む。これにより、開放制御状態であるときには、右打ち信号が試験信号として出力されることとなる。一方、Ｓ２７２で開放制御状態ではないと判断したときは、時短フラグがセットされているか否かを確認することに基づいて、現在が高ベース状態（本実施の形態の場合は時短状態は高ベース状態が付随する）か否かを判断する（Ｓ２７３）。高ベース状態であると判断したときは、右領域７ｂに設けられた普図ゲート３２および第２始動入賞口１４への入賞を狙って右打ちをすべき遊技状態であるので、右打ち信号を出力するための処理を行ない（Ｓ２７５）、後述するＳ２７６に進む。一方、高ベース状態でないと判断したときは、右領域７ｂから入賞しやすい第１始動入賞口１３への入賞を狙って左打ちをすべき遊技状態であるので、左打ち信号を出力するための処理を行ない（Ｓ２７５）、後述するＳ２７６に進む。ここで、左打ち信号は、左打ちをすべき遊技状態であることを示す試験信号である。これにより、高ベース状態ではない低ベース状態であるときには、左打ち信号が試験信号として出力されることとなる。
【０３３４】
Ｓ２７６では、右打ち信号および左打ち信号以外の試験信号を出力するための処理が行なわれる。
【０３３５】
試験端子処理においては、権利発生状態であるとき、開放制御状態であるとき、および、高ベース状態であるときには、試験信号として右打ち信号が出力され、低ベース状態であるときには、試験信号として左打ち信号が出力されるので、変遷する遊技状態に応じて打込むべき領域を特定する信号を試験信号として出力することができる。
【０３３６】
なお、このような試験信号として、右打ち信号および左打ち信号を出力するときには、試験装置において、遊技機から外部出力された右打ち信号および左打ち信号に基づいて、試験対象の遊技機の打球操作ハンドルをアーム等で操作するこにより、右打ち信号および左打ち信号に応じて、自動的に打球操作ハンドルを操作することで、遊技状態に応じた打球発射試験を行なうようにしてもよい。このような試験信号に該当する信号を、情報出力回路１５９からターミナル基板１６０を介して、前述のホール管理コンピュータに出力する場合には、図２２と同様の処理をタイマ割込処理において実行すればよい。
【０３３７】
図２３は、遊技状態と左打ち信号および右打ち信号との関係を示すタイミングチャートである。図２３においては、（Ａ）権利発生状態、（Ｂ）開放制御状態、および、（Ｃ）ベース状態のような遊技状態と、（Ｄ）左打ち信号、および、（Ｅ）右打ち信号との関係が時間経過にしたがって示されている。
【０３３８】
図２３を参照して、低ベース状態においては、Ｓ２７３でＹと判断されることにより、Ｓ２７４により左打ち信号が出力される。その後、特別図柄および演出図柄の変動表示により大当り表示結果が停止表示されたことに基づいて権利発生状態となると、Ｓ２７１でＹと判断されることにより、Ｓ２７５により右打ち信号が出力される。そして、権利発生状態中に第１特定ゲート６１、第２特定ゲート６２、および、第３特定ゲート６３のうちいずれかへの遊技球の進入が検出されたことに基づいて権利発生状態が終了して開放制御状態（大当り遊技状態）が開始すると、Ｓ２７２でＹと判断されることにより、Ｓ２７５により右打ち信号の出力が継続される。その後、最終ラウンドが終了したことに基づいて開放制御状態（大当り遊技状態）が終了すると、高確高ベース状態または低確高ベース状態になるので、Ｓ２７３Ｙと判断されることにより、Ｓ２７５により右打ち信号の出力が継続される。
【０３３９】
このような制御が行なわれることにより、図３に示したようなコネクタ搭載部３１１に試験信号コネクタ３１０が搭載されたときに、パチンコ遊技機１外部の試験装置またはホール管理コンピュータ等の外部装置へ向けて試験信号を出力することが可能となる構成において、第１特定ゲート６１、第２特定ゲート６２、および、第３特定ゲート６３のうちいずれかに遊技球が進入したことに基づいて大入賞口の開放制御状態に制御されることの条件となる権利発生状態が成立したことに応じて、第１特定ゲート６１、第２特定ゲート６２、および、第３特定ゲート６３のうちいずれかに遊技球が進入する前のタイミングから、特別可変入賞球装置２０が設けられた右領域７ｂに遊技球を打込むことを特定する右打ち信号が作成されるので、遊技の進行させ方を、簡素なものとすることができ、遊技の進行状況に対応するとともに、遊技の進行させ方を容易にすることができる。さらに、試験時における遊技の進行させ方を、簡素なものとすることができ、遊技の進行状況に対応するとともに、遊技の進行させ方を容易にする信号を試験信号として出力することができる。
【０３４０】
また、このような制御が行なわれることにより、図３に示したようなコネクタ搭載部３１１に試験信号コネクタ３１０が搭載されたときに、パチンコ遊技機１外部の試験装置またはホール管理コンピュータ等の外部装置へ向けて試験信号を出力することが可能となる構成において、大当り遊技状態（開放制御状態）の終了後に、高ベース状態に制御されているときに、特別可変入賞球装置２０が設けられた右領域７ｂに遊技球を打込むことを特定する右打ち信号が作成されるので、高ベース状態に制御されているかどうかの遊技の進行状況に対応するとともに、遊技を迅速に進行させることができる。
【０３４１】
次に、普通図柄の表示結果を決定するために用いる普通図柄表示結果決定テーブルについて説明する。図２４は、普通図柄表示結果決定テーブルを示す説明図である。普通図柄表示結果決定テーブルは、ＲＯＭ５４に記憶されている。
【０３４２】
普通図柄表示結果決定テーブルにおいては、普通図柄当り判定用のランダム４（１〜２０１）の値（決定値）と、普通図柄の表示結果と、普通図柄の変動時間と、可変入賞球装置１５（第２始動入賞口１４）の開放時間および開放回数との関係が、通常遊技状態（電チューサポート制御がされていない遊技状態）と、電チューサポート制御状態とに分けて示されている。
【０３４３】
通常遊技状態のときにおいて、決定値が１〜２０のいずれかとなったときには、普通図柄の表示結果を当りとし、変動時間が１０秒間に設定されるとともに、開放時間が０．３秒間で１回開放することに設定される。一方、通常遊技状態のときにおいて、決定値が２１〜２０１のいずれかとなったときには、普通図柄の表示結果をはずれとし、変動時間が１０秒間に設定される。
【０３４４】
また、電チューサポート制御状態のときにおいて、決定値が１〜１８０のいずれかとなったときには、普通図柄の表示結果を当りとし、変動時間が１秒間に設定されるとともに、開放時間が１．５秒間で３回開放することに設定される。一方、電チューサポート制御状態のときにおいて、決定値が１８１〜２０１のいずれかとなったときには、普通図柄の表示結果をはずれとし、変動時間が１秒間に設定される。本実施の形態では、時短フラグがセットされているときに電チューサポート状態であると判断される。
【０３４５】
このように、普通図柄の制御に関し、電チューサポート制御状態のときには、通常遊技状態と比べて、決定値が当りとなる割合が高くなるように設定され、変動時間が短くなるように設定され、さらに、開放時間および開放回数が増加するように設定される。
【０３４６】
図２５は、図８のＳ２７において実行される普通図柄プロセス処理の一例を示すフローチャートである。この普通図柄プロセス処理において、ＣＰＵ５６は、まず、普図ゲート３２に設けられた普図ゲートスイッチ３２ａからの検出信号がオン状態であるか否かをチェックすることにより、普図ゲート３２を通過した遊技球が検出されたか否かの判定を行なう（Ｓ５０１）。Ｓ５０１では、遊技球が普図ゲート３２を通過して普図ゲートスイッチ３２ａからの検出信号が所定期間オン状態となった場合に、遊技球の普図ゲート通過（通過球）の検出があったものと判断して、ゲート通過時処理を実行する（Ｓ５０２）。
【０３４７】
Ｓ５０２において実行されるゲート通過時処理の一例として、以下のような処理が実行される。まず、ＲＡＭ５５の所定領域に設けられた普図保留記憶部に記憶されている普図保留記憶データの個数である普図保留記憶数が、所定の上限値（たとえば「４」）となっているか否かを判定する。普図保留記憶部は、普図ゲートスイッチ３２ａにより遊技球のゲート通過が検出されたときに抽出した普通図柄の表示結果決定用のランダム４の数値データを普図保留記憶データとして、最大限４つ保留記憶するデータ記憶領域を有する。この普図保留記憶部は、前述した第１保留記憶バッファおよび第２保留記憶バッファと同様に、普図保留記憶データを格納された順番を特定可能な状態で保存していき、順番にしたがって変動表示に使用された普図保留記憶データを消去し、残りの普図保留記憶データについてデータ記憶領域を１つずつシフトしていく構成となっている。
【０３４８】
Ｓ５０２において、普図保留記憶数が上限値未満であるときには、ＣＰＵ５６が、ランダム４を示す数値データを抽出する。そして、抽出したランダム４の数値データを普図保留記憶データとして、普図保留記憶部でデータが記憶されずに空いているデータ記憶領域のうち先頭順番の領域にセットする。一方、普図保留記憶部において、普図保留記憶数が上限値となっていれば、今回の遊技球の検出は無効として、ランダム４の数値データの新たな抽出および記憶は行なわない。
【０３４９】
ゲート通過時処理を実行した後、および、Ｓ５０１で普図ゲートスイッチ３２ａからの検出信号がオフ状態であると判定された後には、普通図柄プロセスフラグの値に応じて、以下のようなＳ５１０〜Ｓ５１４の各処理を実行する。
【０３５０】
Ｓ５１０の普通図柄通常処理は、普通図柄プロセスフラグの値が「０」のときに実行される。この普通図柄通常処理では、普図保留記憶部に格納された普図保留記憶データの有無等に基づいて、普通図柄表示器１０による普通図柄の変動表示を開始するか否かの判定が行なわれる。このとき、たとえば普図保留記憶部に格納された普図保留記憶データがある場合には、普通図柄プロセスフラグの値を「１」に更新する。
【０３５１】
Ｓ５１１の普通図柄判定処理は、普通図柄プロセスフラグの値が「１」のときに実行される。この普通図柄判定処理では、時短フラグがセットされているか否かに基づいて、電チューサポート制御状態であるか否かを認識し、普図保留記憶部の先頭順番に格納された普図保留記憶データ（普通図柄の表示結果決定用のランダム４を示す数値データ）に基づき、図２４に示す普通図柄表示結果決定テーブルを参照して、普通図柄の変動表示における表示結果を、「当り」とするか「はずれ」とするかの決定等が行なわれる。
【０３５２】
前述したように、普通図柄表示結果決定テーブルでは、時短状態に対応した電チューサポート制御状態である場合に、非電チューサポート制御状態である通常遊技状態である場合よりも普通図柄の表示結果を「当り」とする決定がなされる割合が高くなるように、ランダム４と比較される決定値が割振られている。これにより、電チューサポート制御状態では、Ｓ５１１の普通図柄判定処理において、通常遊技状態と比べて普通図柄の表示結果が「当り」と判定されやすくなることで、可変入賞球装置１５が形成する第２始動入賞口１４が開放状態となりやすく、遊技球が第２始動入賞口１４に進入（始動入賞）しやすくなる。
【０３５３】
また、普通図柄判定処理では、普通図柄表示結果決定テーブルを用いて、普通図柄の変動時間も決定される。前述したように、普通図柄表示結果決定テーブルでは、時短状態に対応した電チューサポート制御状態である場合に、非電チューサポート制御状態である通常遊技状態である場合よりも普通図柄の変動時間が短くなるように設定されている。これにより、電チューサポート制御状態では、Ｓ５１１の普通図柄判定処理において、時短フラグがセットされているときに電チューサポート制御状態であると認識し、通常遊技状態と比べて普通図柄の変動時間が短くなるように変動時間が決定される。電チューサポート制御状態では、普通図柄の変動表示結果が導出表示される間隔が短くなることで、「当り」の変動表示結果が導出表示される間隔も短くなり、可変入賞球装置１５が形成する第２始動入賞口１４が開放状態となりやすく、遊技球が第２始動入賞口１４に進入（始動入賞）しやすくなる。
【０３５４】
さらに、普通図柄判定処理では、普通図柄表示結果決定テーブルを用いて、可変入賞球装置１５（第２始動入賞口１４）の開放時間および開放回数も決定される。前述したように、普通図柄表示結果決定テーブルでは、時短フラグがセットされているときに電チューサポート制御状態であると認識し、電チューサポート制御状態である場合に、非電チューサポート制御状態である通常遊技状態である場合よりも、可変入賞球装置１５（第２始動入賞口１４）の開放時間が長くなり、かつ、開放回数が多くなるように設定されている。したがって、電チューサポート制御状態である場合に、非電チューサポート制御状態である通常遊技状態である場合よりも、可変入賞球装置１５（第２始動入賞口１４）の開放時間が長くなり、かつ、開放回数が多くなるような制御が行なわれる。これにより、電チューサポート制御状態では、開放時間が長くなり、かつ、開放回数が多くなることで、可変入賞球装置１５（第２始動入賞口１４）が開放状態となる時間および回数が増加し、遊技球が第２始動入賞口１４に進入（始動入賞）しやすくなる。
【０３５５】
普通図柄判定処理では、このような各種判定がされた後、普通図柄プロセスフラグの値を「２」に更新する。
【０３５６】
Ｓ５１２の普通図柄変動処理は、普通図柄プロセスフラグの値が「２」のときに実行される。この普通図柄変動処理では、普通図柄表示器１０による普通図柄の変動表示において普通図柄を変動させるための設定が行なわれる。こうした設定に基づいて変動表示する普通図柄は、Ｓ５１３の普通図柄停止処理が実行されることにより、その変動表示が停止して普通図柄の表示結果となる普通図柄の表示結果が表示される。普通図柄変動処理では、普通図柄が変動表示を開始してからの経過時間が計測される。このときには、計測された経過時間が、普通図柄判定処理で決定された変動時間に達したか否かの判定が行なわれる。そして、決定された変動時間に達したときには、普通図柄プロセスフラグの値を「３」に更新する。
【０３５７】
Ｓ５１３の普通図柄停止処理は、普通図柄プロセスフラグの値が「３」のときに実行される。この普通図柄停止処理では、普通図柄表示器１０において普通図柄の変動表示を停止して表示結果を導出表示させるための設定が行なわれる。なお、普通図柄の表示結果を導出表示させるための設定は、Ｓ５１２の普通図柄変動処理において、計測された経過時間が決定された変動時間に達したときに、普通図柄プロセスフラグの値を「３」に更新する以前に行なわれるようにしてもよい。また、普通図柄停止処理では、普通図柄判定処理で決定された普通図柄の表示結果が「当り」である場合に、普通図柄判定処理で決定された開放時間および開放回数で可変入賞球装置１５を開閉するようにソレノイド１６を駆動する作動パターンの設定を行なってから、普通図柄プロセスフラグの値が「４」に更新される。一方、普通図柄判定処理で決定された普通図柄の表示結果が「はずれ」である場合には、普通図柄プロセスフラグをクリアして、その値を「０」に更新する。
【０３５８】
Ｓ５１４の普通電動役物作動処理は、普通図柄プロセスフラグの値が「４」のときに実行される。この普通電動役物作動処理では、普通図柄の変動表示における表示結果が「当り」となったことに対応して、普通電動役物としての可変入賞球装置１５において可動片を開放状態に動作させることにより、第２始動入賞口１４を閉状態から開状態に変化させる制御が行なわれる。たとえば、普通電動役物作動処理では、Ｓ５１３の普通図柄停止処理においてセットされた作動パターンの設定に応じて、ソレノイド１６を駆動するための駆動制御信号を生成することにより、可変入賞球装置１５を、普通図柄判定処理で決定された開放時間および開放回数で開状態とする制御を行なう。これにより、図２５に示すような遊技状態および表示結果に応じた動作パターンで可変入賞球装置１５が開閉動作させられることとなる。そして、作動パターンの設定に応じたソレノイド１６の駆動が終了すると、普通図柄プロセスフラグをクリアして、その値を「０」に更新する。
【０３５９】
次に、演出制御用マイクロコンピュータ１００で実行される制御を説明する。図２６は、演出制御用マイクロコンピュータ１００が用いる乱数を示す説明図である。
【０３６０】
図２６には、一例として、演出図柄の左停止図柄決定用のＳＲ１−１、演出図柄の中停止図柄決定用のＳＲ１−２、演出図柄の右停止図柄決定用のＳＲ１−３、および、演出決定用のＳＲ２が示されている。
【０３６１】
ＳＲ１−１，ＳＲ１−２，ＳＲ１−３は、演出図柄の左，中，右の停止図柄（仮停止図柄を除く最終的な停止図柄）をランダムに決定するために用いられる。ＳＲ２は、保留記憶演出を行なうときの演出期間を決定するために用いられる。
【０３６２】
このような乱数ＳＲ１−１〜ＳＲ２のそれぞれは、ソフトウェアによりカウント値を更新するランダムカウンタのカウントにより生成されるものであり、図２７において対応付けられた範囲内でそれぞれ巡回更新され、それぞれについて定められたタイミングで抽出されることにより乱数として用いられる。
【０３６３】
図２７は、演出表示装置９における演出図柄（飾り図柄）の停止図柄の一例を示す説明図である。
【０３６４】
図２７に示す例では、演出制御用ＣＰＵ１０１は、受信した表示結果指定コマンドが、確変大当りを示している場合（受信した表示結果指定コマンドが表示結果２指定コマンドである場合）には、停止図柄として左，中，右の３図柄が１つの奇数図柄に揃った演出図柄の組合せ（確変大当り図柄の組合せ）を決定する。
【０３６５】
演出制御用ＣＰＵ１０１は、受信した表示結果指定コマンドが、通常大当りを示している場合（受信した表示結果指定コマンドが表示結果３指定コマンドである場合）には、停止図柄として左，中，右の３図柄が１つの偶数図柄に揃った演出図柄の組合せ（通常大当り図柄の組合せ）を決定する。そして、はずれの場合（受信した表示結果指定コマンドが表示結果１指定コマンドである場合）には、上記以外の演出図柄の組合せ（左右不一致、左右のみ一致等のはずれ図柄の組合せ）を決定する。ただし、リーチ演出を伴う場合には、左，右の２図柄が揃った演出図柄の組合せを決定する。
【０３６６】
次に、演出制御用マイクロコンピュータ１００の動作を説明する。図２８は、演出制御基板８０に搭載されている演出制御用マイクロコンピュータ１００（具体的には、演出制御用ＣＰＵ１０１）が実行する演出制御メイン処理を示すフローチャートである。
【０３６７】
演出制御用ＣＰＵ１０１は、電源が投入されると、演出制御メイン処理の実行を開始する。演出制御メイン処理では、まず、ＲＡＭ領域のクリアや各種初期値の設定、また演出制御の起動間隔（たとえば、２ｍｓ）を決めるためのタイマの初期設定等を行なうための初期化処理を行なう（Ｓ７０１）。その後、演出制御用ＣＰＵ１０１は、タイマ割込フラグの監視（Ｓ７０２）を行なうループ処理に移行する。タイマ割込が発生すると、演出制御用ＣＰＵ１０１は、タイマ割込処理においてタイマ割込フラグをセットする。演出制御メイン処理において、タイマ割込フラグがセットされていたら、演出制御用ＣＰＵ１０１は、そのフラグをクリアし（Ｓ７０３）、以下の演出制御処理を実行する。
【０３６８】
演出制御処理において、演出制御用ＣＰＵ１０１は、まず、受信した演出制御コマンドを解析し、受信した演出制御コマンドがどのようなことを指示するコマンドであるかを特定可能なフラグ等のデータをセットする処理等を行なう（コマンド解析処理：Ｓ７０４）。次いで、演出制御用ＣＰＵ１０１は、演出制御プロセス処理を行なう（Ｓ７０５）。演出制御プロセス処理では、Ｓ７０４で解析した演出制御コマンドの内容にしたがって演出表示装置９での演出図柄の変動表示等の各種演出を行なうために、制御状態に応じた各プロセスのうち、現在の制御状態（演出制御プロセスフラグ）に対応した処理を選択して演出制御を実行する。
【０３６９】
次いで、図２６に示すようなＳＲ１−１，ＳＲ１−２，ＳＲ１−３，ＳＲ２を含む各種乱数を生成するためのカウンタのカウント値を更新する乱数更新処理を実行する（Ｓ７０６）。また、合算保留記憶表示部１８ｃの表示状態の制御を行なう保留記憶表示制御処理を実行する（Ｓ７０７）。その後、Ｓ７０２に移行する。
【０３７０】
このような演出制御メイン処理が実行されることにより、演出制御用マイクロコンピュータ１００では、遊技制御用マイクロコンピュータ５６０から送信され、受信した演出制御コマンドに応じて、演出表示装置９、各種ランプ、および、スピーカ２７Ｌ，２７Ｒ等の演出装置を制御することにより、遊技状態に応じた各種の演出制御が行なわれる。
【０３７１】
図２９は、図２８に示された演出制御メイン処理における演出制御プロセス処理（Ｓ７０５）を示すフローチャートである。演出制御プロセス処理では、演出制御用ＣＰＵ１０１は、演出制御プロセスフラグの値に応じてＳ８００〜Ｓ８０７のうちのいずれかの処理を行なう。各処理において、以下のような処理を実行する。なお、演出制御プロセス処理では、演出表示装置９の表示状態が制御され、演出図柄の変動表示が実現されるが、第１特別図柄の変動に同期した演出図柄の変動表示に関する制御も、第２特別図柄の変動に同期した演出図柄の変動表示に関する制御も、一つの演出制御プロセス処理において実行される。
【０３７２】
変動パターンコマンド受信待ち処理（Ｓ８００）：遊技制御用マイクロコンピュータ５６０から変動パターンコマンドを受信しているか否か確認する。具体的には、コマンド解析処理でセットされる変動パターンコマンド受信フラグがセットされているか否か確認する。変動パターンコマンドを受信していれば、演出制御プロセスフラグの値を演出図柄変動開始処理（Ｓ８０１）に対応した値に変更する。
【０３７３】
演出図柄変動開始処理（Ｓ８０１）：演出図柄（飾り図柄）の変動表示が開始されるように制御する。また、演出図柄の停止図柄（表示結果）をＳＲ１−１〜ＳＲ１−３等に基づいて決定する。変動表示の開始時に、受信した変動パターンコマンドに対応して実行する変動表示の変動時間を計時する変動表示時間タイマの計時をスタートさせる。そして、演出制御プロセスフラグの値を演出図柄変動中処理（Ｓ８０２）に対応した値に更新する。
【０３７４】
演出図柄変動中処理（Ｓ８０２）：変動パターンを構成する各変動状態（変動速度）の切替えタイミング等を制御するとともに、変動表示時間タイマにより計時される変動時間が終了したか否かを監視する。そして、変動時間が終了したか、または、全図柄停止を指示する演出制御コマンド（図柄確定指定コマンド）を受信したことに基づいて、変動表示を終了させるために、演出制御プロセスフラグの値を演出図柄変動停止処理（Ｓ８０３）に対応した値に更新する。
【０３７５】
演出図柄変動停止処理（Ｓ８０３）：演出図柄（飾り図柄）の変動表示を停止し、変動表示の表示結果（停止図柄）を導出表示する制御を行なう。変動表示の表示結果がはずれ表示結果となったときは、演出制御プロセスフラグの値を変動パターンコマンド受信待ち処理（Ｓ８００）に対応した値に更新する。一方、変動表示の表示結果が大当り表示結果となったときは、権利発生状態に制御されたことに応じた権利発生状態時画像（図３０参照）を表示し、第１特定ゲート６１、第２特定ゲート６２、および、第３特定ゲート６３のいずれかに遊技球が通過（進入）したことに応じて、演出制御プロセスフラグの値を大当り表示処理（Ｓ８０４）に更新する。
【０３７６】
大当り表示処理（Ｓ８０４）：開放制御状態に制御されたことに応じて、演出表示装置９に大当りの発生を報知するための大当り表示等の演出としてのファンファーレ演出を行なう制御等の表示制御を行なう。そして、演出制御プロセスフラグの値を大当り遊技中処理（Ｓ８０５）に対応した値に更新する。
【０３７７】
ラウンド中処理（Ｓ８０５）：ラウンド中の表示制御を行なう。そして、ラウンド終了条件が成立したら、最終ラウンドが終了していなければ、演出制御プロセスフラグの値をラウンド後処理（Ｓ８０６）に対応した値に更新する。最終ラウンドが終了していれば、演出制御プロセスフラグの値を大当り終了演出処理（Ｓ８０７）に対応した値に更新する。
【０３７８】
ラウンド後処理（Ｓ８０６）：ラウンド間の表示制御を行なう。そして、ラウンド開始条件が成立したら、演出制御プロセスフラグの値をラウンド中処理（Ｓ８０５）に対応した値に更新する。
【０３７９】
大当り終了演出処理（Ｓ８０７）：演出表示装置９において、大当り遊技状態が終了したことを遊技者に報知する表示制御を行なう。そして、演出制御プロセスフラグの値を変動パターンコマンド受信待ち処理（Ｓ８００）に対応した値に更新する。
【０３８０】
演出制御用ＣＰＵ１０１は、たとえば、次のように演出図柄の停止図柄を決定する。たとえば、演出図柄変動開始処理において、演出図柄の停止図柄決定用の乱数ＳＲ１−１〜ＳＲ１−３を抽出し、これらと、演出図柄を示すデータと数値とが対応付けられている停止図柄決定テーブルとを用いて、演出図柄の停止図柄を決定する。すなわち、抽出した乱数に一致する数値に対応する演出図柄の組合せを示すデータを選択することによって停止図柄を決定する。そして、演出制御用ＣＰＵ１０１は、演出図柄の変動表示を停止するときに、このように決定された停止図柄で演出図柄を停止させる。演出図柄についても、大当りを想起させるような停止図柄を大当り図柄という。そして、はずれを想起させるような停止図柄をはずれ図柄という。
【０３８１】
具体的に、演出図柄の停止図柄は、たとえば、次のように決定する。非リーチはずれの図柄の組合せを決定する場合においては、所定のタイミングでＳＲ１−１〜ＳＲ１−３のそれぞれから数値データ（乱数）を抽出し、演出制御用マイクロコンピュータ１００のＲＯＭに記憶されたはずれ図柄決定用データテーブルを用い、抽出した乱数に対応する図柄がそれぞれ左，中，右の演出図柄の変動表示結果となる停止図柄の組合せとして決定される。このように非リーチはずれの図柄の組合せを決定する場合において、抽出された乱数に対応する停止図柄が偶然大当り図柄の組合せと一致する場合には、はずれ図柄の組合せとなるように補正（たとえば、右図柄を１図柄ずらす補正）して各停止図柄が決定される。また、抽出された乱数に対応する停止図柄が偶然リーチ図柄となってしまう場合には、非リーチはずれ図柄の組合せとなるように補正（たとえば、中図柄を１図柄ずらす補正）して各停止図柄が決定される。
【０３８２】
また、リーチはずれの図柄の組合せを決定する場合においては、所定のタイミングでＳＲ１−１〜ＳＲ１−３のそれぞれから数値データ（乱数）を抽出し、はずれ図柄決定用データテーブルを用い、ＳＲ１−１から抽出された乱数に対応する図柄がリーチ状態を形成する各演出図柄の停止図柄として決定され、ＳＲ１−２から抽出されたカウンタの値と合致する乱数に対応する図柄が最終停止図柄の停止図柄として決定される。
【０３８３】
大当りの図柄の組合せを決定する場合においては、大当りの種別に応じて大当り図柄の組合せを決定する。
【０３８４】
確変大当りにすることに決定されているときには、確変大当り図柄決定用テーブルを用いて、たとえば、左，中，右が「７，７，７」というようないずれかの奇数図柄が揃った確変大当り図柄の組合せを選択決定する。確変大当り図柄決定用テーブルは、予め定められた複数種類の奇数図柄のそれぞれに、ＳＲ１−１のそれぞれの数値データが対応付けられている。確変大当り図柄の組合せを決定するときには、所定のタイミングでＳＲ１−１から数値データ（乱数）を抽出し、確変大当り図柄決定用テーブルを用い、抽出した乱数に対応する図柄を、確変大当り図柄の組合せを構成する左，中，右の演出図柄の停止図柄の組合せとして決定する。このように決定された確変大当り図柄の組合せが変動表示結果である最終停止図柄として用いられる。
【０３８５】
また、通常大当りにすることに決定されているときには、通常大当り図柄決定用テーブルを用いて、たとえば、左，中，右が「２，２，２」というようないずれかの偶数図柄が揃った通常大当り図柄の組合せを選択決定する。通常大当り図柄決定用テーブルは、予め定められた複数種類の偶数図柄のそれぞれに、ＳＲ１−１のそれぞれの数値データが対応付けられている。通常大当り図柄の組合せを決定するときには、所定のタイミングでＳＲ１−１から数値データ（乱数）を抽出し、通常大当り図柄決定用テーブルを用い、抽出した乱数に対応する図柄を、通常大当り図柄の組合せを構成する左，中，右の演出図柄の停止図柄の組合せとして決定する。このように決定された通常大当り図柄の組合せが変動表示結果である最終停止図柄として用いられる。
【０３８６】
次に、演出図柄の変動表示の停止（表示結果の導出表示）後の権利発生状態において演出表示装置９で実行される演出表示としての打込領域報知と、ゲート別価値情報報知の表示例を説明する。図３０は、権利発生状態において演出表示装置９で行なわれる打込領域報知およびゲート別価値情報報知の表示例を示す表示画面図である。このように権利発生状態に制御されたときに表示される画像は、権利発生状態時画像と呼ばれる。
【０３８７】
打込領域報知は、権利発生状態において、遊技領域７における打込むべき領域を特定する報知をいう。また、ゲート別価値情報報知は、特定ゲートに遊技球が進入したときに得られる価値を特定可能な情報を特定する報知をいう。
【０３８８】
図３０（Ａ）のような演出図柄の変動表示の停止時において大当り表示結果が導出表示されると、権利発生状態に制御され、図３０（Ｂ）のような権利発生状態時画像が表示される。図３０（Ｂ）に示す権利発生状態時画像には、打込領域報知としての右打ち報知画像９５と、ゲート別価値情報報知としてのゲート別価値情報画像９６とが含まれる。
【０３８９】
右打ち報知画像９５は、「右打ち」を指示する情報を表示して「右打ち」を報知する画像である。ゲート別価値情報画像９６は、第１特定ゲート６１に遊技球が通過（進入）したときに選択される開放制御状態でのラウンド数を特定する第１特定ゲートラウンド数（図中「左：５Ｒ」）と、第２特定ゲート６２に遊技球が通過（進入）したときに選択される開放制御状態でのラウンド数を特定する第２特定ゲートラウンド数（図中「中：１０Ｒ」）と、第３特定ゲート６３に遊技球が通過（進入）したときに選択される開放制御状態でのラウンド数を特定する第３特定ゲートラウンド数（図中「中：１５Ｒ」）との情報を報知する画像である。このように、ゲート別価値情報画像９６により、特定ゲート別のラウンド数のような各特定ゲートに遊技球が進入したときに得られる価値を特定可能な情報が報知される。
【０３９０】
このような権利発生状態時画像の表示は、図３０の演出図柄変動停止処理（Ｓ８０３）により、大当り表示結果の導出表示時から、いずれかの特定ゲートへの遊技球の進入（通過）後に大当り表示が実行される前まで実行される。
【０３９１】
権利状態において、右打ち報知画像９５が表示されることにより、遊技者が、無駄な遊技球の消費を抑制することができ、かつ、遊技を有利に進行させることが容易になるようにすることができる。このような打込領域報知は、権利発生状態となったときに行なわれる報知であるため、大当り遊技状態の発生を示唆する報知でもある。ゲート別価値情報画像９６が表示されることにより、権利発生状態において、第１特定ゲート６１、第２特定ゲート６２、および、第３特定ゲート６３のそれぞれについて、遊技球が通過（進入）したときに得られる価値を特定可能な情報としてのラウンド数が報知されるので、遊技者の興味を、複数の特定ゲートのそれぞれに向けることができる。
【０３９２】
このような右打ち報知画像９５およびゲート別価値情報画像９６は、具体的に、次のように実現される。図２９に示す演出制御プロセス処理のＳ８０３において、演出表示装置９で大当り表示結果を停止表示させた後、確変大当りまたは通常大当りの開始指定コマンドを受信するまでの間、予め定められた右打ち報知画像９５、および、予め定められたゲート別価値情報画像９６を表示させる制御を行なう。なお、右打ち報知画像９５およびゲート別価値情報画像９６は、図１６の特別図柄停止処理において、Ｓ１３４により権利発生フラグがセットされて権利発生状態となったときに右打ち報知画像９５およびゲート別価値情報画像９６の表示開始を指定するコマンドを送信し、Ｓ１３５により第１特定ゲートスイッチ６１ａ、第２特定ゲートスイッチ６２ａ、および、第３特定ゲートスイッチ６３ａのいずれかがオン状態であることが判定されたときに右打ち報知画像９５およびゲート別価値情報画像９６の表示終了を指定するコマンドを送信することに基づいて、実行させるようにしてもよい。その場合には、演出制御用マイクロコンピュータ１００が、右打ち報知画像９５およびゲート別価値情報画像９６の表示開始を指定するコマンドを送信したときに、右打ち報知画像９５およびゲート別価値情報画像９６の表示を開始させ、右打ち報知画像９５およびゲート別価値情報画像９６の表示終了を指定するコマンドを送信したときに、右打ち報知画像９５およびゲート別価値情報画像９６の表示を終了させるようにすればよい。
【０３９３】
なお、権利発生状態においては、右打ち報知画像９５およびゲート別価値情報画像９６の少なくとも一方の報知を実行しないようにしてもよい。
【０３９４】
また、ゲート別価値情報画像９６として、本実施の形態では、複数種類の特定ゲートのそれぞれに入賞したときに付与される価値としてラウンド数を表示する例を示したが、前述したように、複数種類の特定ゲートのそれぞれに入賞したときに付与される価値として、ラウンド数、各ラウンドの開放時間、確変状態に制御するか否か、確変状態の継続を変動表示回数により制限するときの確変回数、時短状態に制御するか否か、および、変動パターンの変動時間の長短のうち、いずれか１つ、または、複数の組合せであるときにも、付与される価値を特定する画像を表示すればよい。
【０３９５】
また、ゲート別価値情報画像９６は、大当りの種別に関係なく、どのような種別の大当りが決定されたときでも表示されてよく、または、たとえば確変大当りのような特定の種別の大当りとなることが決定されたときにのみ表示されるようにしてもよい。また、ゲート別価値情報画像９６は、大当りとなるか否かに関わらず常に表示するようにしてもよい。
【０３９６】
また、ゲート別価値情報画像９６は、遊技者の遊技履歴を管理し（たとえば、遊技者所有の遊技用会員カードをパチンコ遊技機１に隣接したカードユニットに挿入して遊技を行なう場合において、当該遊技用会員カードの記録情報に基づいて遊技者個人を特定し、ホール管理コンピュータまたはパチンコ遊技機１等で遊技履歴を管理する等）、遊技者の遊技履歴に応じて表示されるようにしてもよい。たとえば、遊技者の遊技履歴を管理し、所定時間以上または所定発射数以上で遊技をしたにも関わらず、大当り遊技状態が発生していないことを条件として、不利益を受けた遊技者の救済策として、ゲート別価値情報画像９６を表示するようにしてもよい。また、遊技者の遊技履歴を管理し、遊技者が遊技者により所定のアイテムを獲得していたこと（たとえば、大当り発生回数の合計値が所定回数以上となったこと等、遊技履歴に応じてアイテムが獲得できる場合のアイテム））を条件として、ゲート別価値情報画像９６を表示するようにしてもよい。
【０３９７】
次に、第１実施形態の変形例として、確変大当りの大当り遊技状態の終了後と、通常大当りの大当り遊技状態の終了後とにおいて共通に実行される潜伏演出制御について説明する。確変大当りと通常大当りとは、大当り遊技状態の終了後に、高確率状態となるか否かの制御状態が異なるが、ともに、時短状態に制御され、電チューサポート制御が行なわれるので、確変大当りと通常大当りとで演出図柄の大当り表示結果を同じ表示結果とし、これら大当り遊技状態の終了後において高確率状態であるか否かを報知しなければ、通常大当り後の所定回数（１００回）の変動表示実行により時短状態（電チューサポート状態含む）が終了するまでは、動作状態の見た目だけでは、遊技状態が高確率状態であるか否かを遊技者が区別しにくい。
【０３９８】
これにより、このような制御状態は、確変状態であるか否かが認識できず、確変状態が潜伏しているような印象を与える状態であるので潜伏演出状態と呼ばれる。第１実施形態のパチンコ遊技機１において、潜伏演出制御を行なう場合には、図２７に示す確変大当り図柄と通常大当り図柄とを異ならせずに同じ大当り図柄の組合せとするとともに、確変大当りおよび通常大当りの遊技状態の終了後に、たとえば図３１に示すような共通の演出を実行することで確変状態と非確変状態とのどちらであるかを特定不可能とする潜伏演出制御を行なえばよい。
【０３９９】
図３１は、確変大当りの大当り遊技状態の終了後と、通常大当りの大当り遊技状態の終了後とにおいて共通に実行される潜伏演出の一例を示す演出表示装置９の表示画面図である。潜伏演出制御を行なう場合には、確変大当りにより生じる時短状態（電チューサポート状態含む）を通常大当りの場合と同じ所定回数（１００回）で終了するように制御し、確変大当りと通常大当りとで、時短状態（電チューサポート状態含む）の継続期間が同じ期間となるように制御すればよい。図３１においては、確変大当りの大当り遊技状態の終了後と、通常大当りの大当り遊技状態の終了後とにおいて、共通の演出として表示される共通の背景画像が示されている。たとえば、このような共通の背景画像は、所定回数（１００回）の変動表示が実行されるまで表示され、その後、大当り確率およびベースの状態に応じて、低確低ベース状態用の背景画像、または、低確低ベース状態用の背景画像に背景画像が切換え表示される。潜伏演出制御が行なわれていないときには、たとえば、低確状態時には、低確率状態用に予め定められた背景画像が表示され、高確率状態時に高確率状態用に予め定められた背景画像が表示される。これにより、潜伏演出制御状態以外の状態では、大当り確率に応じた背景画像が表示される。
【０４００】
このような共通の背景画像は、図２９の演出制御プロセス処理の大当り終了演出処理の実行終了時において、共通の背景画像を表示するための処理を実行することにより表示を開始し、その後、演出図柄変動停止処理において、所定の変動表示回数カウンタを用いて大当り状態終了後の変動回数を計数し、その計数した回数が所定回数（１００回）に達したとき、または、変動表示回数カウンタの計数回数が所定回数（１００回）に達するまでに大当りが発生したときに表示を終了する。確変大当りと通常大当りとにおいて、このような共通の演出を実行することにより、実際の遊技状態が確変状態であるか否かを煽れるため、遊技の興趣をより一層向上させることができる。なお、このような背景画像としては、後述する第４実施形態のように、複数種類のうちから、確変状態であるか否かに応じて異なる選択割合で選択される複数種類の背景画像を用いるようにしてもよい。また、このような共通の演出としては、同じキャラクタ画像を表示する等、背景画像を表示すること以外の報知を選択するようにしてもよい。
【０４０１】
このような潜伏演出制御を行なう場合には、電源投入時に前述した高確率報知が行なわれることに基づいて、電源投入時に遊技状態が復旧されたときに次のような効果を得ることができる。電源投入時に遊技状態が復旧されたときには、電力供給停止前に潜伏演出制御状態であったときに、遊技状態が復旧されても、動作状態の見た目だけでは、高確率状態であるか否かを区別しにくい。これに対し、本実施の形態では、電力供給停止前に確変状態であったときには、パチンコ遊技機１の電源投入時において、電源投入時以外の状態では行なわれない確変報知ＬＥＤ５３による高確率報知が行なわれることにより、当該報知に基づいて、電力供給停止前に確変状態であったことを知ることができる。したがって、不正なサービスを行なうために、遊技場の閉店後、高確率状態で潜伏演出制御が行なわれていた状態中において電源断状態にして翌日の電源投入時に遊技状態が復旧されたときであっても、電源投入時における高確率報知によってそのような不正なサービスが行なわれたことを認識できるので、そのような不正なサービスの提供を防ぐことができる。さらに、不正の意図なく高確率状態で潜伏演出制御状態中において電源断状態にされた場合において電源投入時に遊技状態を復旧せずに初期化しようとしたが初期化できていなったときであっても、電源投入時における高確率報知によって予期しない制御状態から営業を開始してしまう状況が発生するのを防ぐことができる。
【０４０２】
この実施の形態では、パチンコ遊技機１の制御状態を示す試験信号を、試験信号コネクタ３１０を介して試験装置に出力する例、および、当該試験信号に対応する信号を情報出力回路１５９からターミナル基板１６０を介して、前述のホール管理コンピュータに出力する例等、試験信号に関する出力制御について説明したが、このような試験信号は、たとえば前述のような潜伏演出の実行により高確率状態であるか否かが示されない等の演出上の制限とは関係なく、実際の制御状態（内部制御状態）に関する信号が出力される。
【０４０３】
［第２実施形態］
次に、第２実施形態を説明する。第２実施形態では、権利発生状態において第１特定ゲート６１、第２特定ゲート６２、または、第３特定ゲート６３に遊技球が進入したときに、前述したようなラウンド数選択決定と、確変大当りと通常大当りとのどちらの大当りとするかの確変選択決定とを同時に行なう例を説明する。
【０４０４】
図３２は、第２実施形態によるラウンド数・確変選択テーブルを表形式で示す図である。図３２のラウンド数・確変選択テーブルは、第１特定ゲート６１、第２特定ゲート６２、および、第３特定ゲート６３のそれぞれと、ラウンド数（上限値）および大当り確率との関係が示されたデータテーブルであり、ＲＯＭ５４に記憶されている。このラウンド数・確変選択テーブルは、第１特定ゲート６１、第２特定ゲート６２、および、第３特定ゲート６３のそれぞれについて、遊技球が進入したときに移行する大当り遊技状態（開放制御状態）でのラウンド数および大当り遊技状態後の大当り確率を選択決定するために用いられる。
【０４０５】
ラウンド数・確変選択テーブルは、通常大当りおよび確変大当りのそれぞれに共通に用いられる。ラウンド数・確変選択テーブルにおいては、通常大当りおよび確変大当りについて、第１特定ゲート６１、第２特定ゲート６２、および、第３特定ゲート６３のそれぞれと、ラウンド数の上限値および大当り遊技状態後の大当り確率（低確率、高確率）の組合せとの関係が設定されている。これにより、権利発生状態において、どの特定ゲートへの遊技球が進入したかに応じて、ラウンド数の上限値および大当り遊技状態後の大当り確率が同時に決定される。
【０４０６】
ラウンド数・確変選択テーブルでは、第１特定ゲート６１、第２特定ゲート６２、および、第３特定ゲート６３のそれぞれと、ラウンド数の上限値および大当り遊技状態後の大当り確率（低確率、高確率）の組合せとの関係は、遊技球が進入した特定ゲートにより異なるように、データが設定されている。このように、第２実施形態では、大当りとなるときに、権利発生状態においていずれの特定ゲートに遊技球が進入したかに応じて、開放制御状態におけるラウンド数の上限値および大当り遊技状態後の大当り確率が異なるように制御される。
【０４０７】
第２実施形態では、５Ｒ通常大当り、１０Ｒ通常大当り、および、１５Ｒ確変大当りという複数種類の大当りが選択され得ることとなる。
【０４０８】
この第２実施形態の場合、確変大当りとするか否かが特定ゲートへの遊技球の進入時に決定されるので、遊技制御用マイクロコンピュータ５６０は、図１５のＳ７２〜Ｓ７３の処理を実行しない。そして、変動表示結果の導出表示時には確変大当りとするか否かが決められていないので、遊技制御用マイクロコンピュータ５６０は、第１特別図柄および第２特別図柄を大当り図柄とするときには、大当り図柄として、確変大当りと通常大当りとで共通に予め定められた「７」を設定する。
【０４０９】
なお、図１５のＳ７２〜Ｓ７３の代わりに、大当り図柄を「２」と「７」とのような複数種類の大当り図柄のいずれにするかを選択決定する処理を行なって決定結果を特定するデータをＲＡＭ５５に記憶しておき、当該記憶データに基づいて、大当り図柄を選択決定するようにしてもよい。また、演出制御用マイクロコンピュータ１００では、図２９のＳ８０１において、表示結果として表示する大当り図柄の組合せを、確変大当りであるか否かに関係なく、複数種類の大当り図柄の組合せのうちからいずれかに選択決定する処理を行なう。
【０４１０】
大当り遊技状態におけるラウンド数および大当り確率の選択決定は、図１７のＳ４１２、Ｓ４１４、Ｓ４１５のそれぞれの処理の代わりに、図３２のラウンド数・確変選択テーブルのうちの遊技球が進入した特定ゲートに対応するデータを用いて、遊技球が進入した特定ゲートに対応するラウンド数の決定を行なうとともに、大当り確率の選択決定を行なう。たとえば、Ｓ４１１により第１特定ゲートスイッチがオンしたと判断されたときは、図３２のラウンド数・確変選択テーブルのうち第１特定ゲート６１に対応するデータを用いて、ラウンド数および大当り確率を選択決定する。Ｓ４１３により第２特定ゲートスイッチがオンしたと判断されたときは、図３２のラウンド数・確変選択テーブルのうち第２特定ゲート６２に対応するデータを用いて、ラウンド数および大当り確率を選択決定する。Ｓ４１３により第３特定ゲートスイッチがオンしたと判断されたときは、図３２のラウンド数・確変選択テーブルのうち第３特定ゲート６３に対応するデータを用いて、ラウンド数および大当り確率を選択決定する。
【０４１１】
このように、第２実施形態では、権利発生状態となった後、いずれかの特定ゲートに遊技球が進入したときに、大当り遊技状態におけるラウンド数および大当り確率が同時に選択決定される。第２実施形態の場合は、大当り表示結果により、通常大当りと確変大当りとのどちらであるかが特定されないので、権利発生状態から開放制御状態に移行した後の所定タイミングにおいて、確変大当りと通常大当りとのどちらであるかを報知する制御が行なわれる。
【０４１２】
第２実施形態において、図３０のようなゲート別価値情報画像９６としては、ラウンド数に加えて、確変状態となるか否かの情報も表示するようにすればよい。
【０４１３】
［第３実施形態］
次に、第３実施形態を説明する。第３実施形態では、権利発生状態において第１特定ゲート６１、第２特定ゲート６２、または、第３特定ゲート６３に遊技球が進入したときに、前述したようなラウンド数選択決定と、確変選択決定とを同時に行ない、大当り表示結果の種類によりラウンド数選択および確変選択の選択割合が異なる例を説明する。
【０４１４】
図３３は、第３実施形態によるラウンド数・確変選択テーブルを表形式で示す図である。図３３のラウンド数・確変選択テーブルは、（Ａ）に示す第１ラウンド数・確変選択テーブルと、（Ｂ）に示す第２ラウンド数・確変選択テーブルとに分けられている。図３３（Ａ）の第１ラウンド数・確変選択テーブルは、大当り表示結果が偶数図柄のときに使用される。図３３（Ｂ）の第２ラウンド数・確変選択テーブルは、大当り表示結果が奇数図柄のときに使用される。
【０４１５】
この第３実施形態の場合、遊技制御用マイクロコンピュータ５６０は、第１特別図柄および第２特別図柄について、「２」と「７」とのいずれかを大当り図柄として設定する。たとえば、図１５のＳ７２〜Ｓ７３の代わりに、大当り図柄を「２」と「７」とのいずれにするかを選択決定する処理を行なって決定結果を特定するデータをＲＡＭ５５に記憶しておき、当該記憶データに基づいて、Ｓ７５における特別図柄の停止図柄の決定処理時において、大当り図柄を偶数図柄（「２」）と奇数図柄（「７」）とのいずれかに決定する。
【０４１６】
そして、大当り図柄が奇数図柄に決定されたときには、図１２の変動パターン設定処理（Ｓ３０１）において、大当り図柄が偶数図柄に決定されたときには、図１１に示すような表示結果２指定コマンドを、奇数図柄大当りを指定するコマンドとして送信し、大当り図柄が偶数図柄に決定されたときには、図１１に示す表示結果３指定コマンドを、偶数図柄大当りを指定するコマンドとして送信する。
【０４１７】
そして、演出制御用マイクロコンピュータ１００では、表示結果２指定コマンドを受信したときに、前述したような処理を行なうことにより、大当り図柄の組合せとして奇数図柄の組合せを演出図柄の表示結果として導出表示する。そして、演出制御用マイクロコンピュータ１００では、表示結果３指定コマンドを受信したときに、前述したような処理を行なうことにより、大当り図柄の組合せとして偶数図柄の組合せを演出図柄の表示結果として導出表示する。
【０４１８】
このような処理が行なわれることにより、第１特別図柄または第２特別図柄により奇数の大当り表示結果が導出表示されるときには、演出図柄により奇数の大当り表示結果が導出表示される。また、第１特別図柄または第２特別図柄により偶数の大当り表示結果が導出表示されるときには、演出図柄により偶数の大当り表示結果が導出表示される。第３実施形態の場合は、大当り表示結果により、通常大当りと確変大当りとのどちらであるかが特定されないので、権利発生状態から開放制御状態に移行した後の所定タイミングにおいて、確変大当りと通常大当りとのどちらであるかを報知する制御が行なわれる。
【０４１９】
図３３（Ａ），（Ｂ）のそれぞれにおいては、特定ゲートの種別（第１特定ゲート６１、第２特定ゲート６２、第３特定ゲート６３）のそれぞれについて、ラウンド数および大当り確率決定用乱数としてのランダム６の抽出値と、ラウンド数および大当り確率との関係が示されている。ここで、ランダム６は、前述したランダム１〜５と同様に遊技制御用マイクロコンピュータ５６０により更新されるランダムカウンタであり、１〜９９の数値範囲内で更新される。
【０４２０】
たとえば、図３３（Ａ）の第１ラウンド数・確変選択テーブルを例にとれば、権利発生状態において第１特定ゲート６１に遊技球が進入したときには、ランダム６の値が、「１〜６０」のいずれかに該当すると、ラウンド数が５Ｒで大当り確率が低確率の大当り（５Ｒ通常大当り）となることが決定される。また、ランダム６の値が、「６１〜９０」のいずれかに該当すると、ラウンド数が１０Ｒで大当り確率が低確率の大当り（１０Ｒ通常大当り）となることが決定される。また、ランダム６の値が、「９１〜９９」のいずれかに該当すると、ラウンド数が１５Ｒで大当り確率が高確率の大当り（１５Ｒ確変大当り）となることが決定される。
【０４２１】
このように、第３実施形態においては、ランダム６の値が、５Ｒ通常大当り、１０Ｒ通常大当り、および、１５Ｒ確変大当りのそれぞれに割振られており、いずれかの大当りとすることが決定される。そして、第１特定ゲート６１については、１５Ｒ＜１０Ｒ＜５Ｒの選択割合となるように、ランダム６の値が設定されている。また、第２特定ゲート６２については、５Ｒ＜１５Ｒ＜１０Ｒの選択割合となるように、ランダム６の値が設定されている。また、第３特定ゲート６３については、５Ｒ＜１０Ｒ＜１５Ｒの選択割合となるように、ランダム６の値が設定されている。
【０４２２】
したがって、第１特定ゲート６１＜第２特定ゲート６２＜第３特定ゲート６３という大小関係で、より多いラウンド数が選択される割合が高い。また、第１特定ゲート６１＜第２特定ゲート６２＜第３特定ゲート６３という大小関係で、大当り確率が高確率の大当り（確変大当り）が選択される割合が高い。
【０４２３】
また、図３３（Ｂ）の第２ラウンド数・確変選択テーブルは、３３（Ａ）の第１ラウンド数・確変選択テーブルと比べて、第１特定ゲート、第２特定ゲート、および、第３特定ゲートのそれぞれについて、より多いラウンド数が選択される割合が高く、大当り確率が高確率の大当り（確変大当り）が選択される割合が高くなるようにデータが設定されている。
【０４２４】
このような図３３の第１ラウンド数・確変選択テーブルまたは第２ラウンド数・確変選択テーブルを用いたラウンド数および大当り確率の選択決定は、図１７のＳ４１２、Ｓ４１４、Ｓ４１５のそれぞれの処理の代わりに次のような処理を行なう。大当り図柄の決定結果（奇数図柄、偶数図柄）を示すデータに基づいて、第１ラウンド数・確変選択テーブルまたは第２ラウンド数・確変選択テーブルのうち、大当り表示結果の種類（奇数図柄、偶数図柄）に対応するテーブルを選択し、ランダム６の抽出値を取得し、選択したテーブルを用いて、ランダム６の抽出値からラウンド数および大当り確率の選択決定を行なう。
【０４２５】
このように、第２ラウンド数・確変選択テーブルでは、第１ラウンド数・確変選択テーブルと比べて、第１特定ゲート６１、第２特定ゲート６２、および、第３特定ゲート６３のそれぞれについて、より多いラウンド数が選択される割合が高く、大当り確率が高確率の大当り（確変大当り）が選択される割合が高くなるようにデータが設定されているので、大当り表示結果が奇数の表示結果となるときには、大当り表示結果が偶数の表示結果となるときと比べて、より多いラウンド数が選択される割合が高く、大当り確率が高確率の大当り（確変大当り）が選択される割合が高くなる。
【０４２６】
このように、第３実施形態においては、大当り表示結果の種類（奇数図柄、偶数図柄）に応じて、遊技球が進入した特定ゲートに対応して選択するラウンド数および大当り確率の選択割合が異なることとなる。これにより、遊技場側で釘調整等により、遊技者にとって有利なラウンド数および大当り確率になりやすい特定ゲートへの遊技球の振分け割合を極めて少なくする等、複数の特定ゲートのそれぞれに遊技球を振分ける割合を極端な割合に調整しても、各特定ゲートに関して、大当り表示結果の種類により、選択されるラウンド数および大当り確率が変化し得るので、遊技者の利益をある程度確保することができる。
【０４２７】
第３実施形態において、図３０のようなゲート別価値情報画像９６としては、ラウンド数に加えて、確変状態となるか否かの情報も表示するようにすればよい。
【０４２８】
［第４実施形態］
次に、第４実施形態を説明する。第４実施形態では、権利発生状態において第１特定ゲート６１、第２特定ゲート６２、または、第３特定ゲート６３に遊技球が進入したときに、前述したようなラウンド数選択決定と、確変選択決定とを同時に行ない、大当り表示結果の種類により、ラウンド数選択および確変選択の選択割合が異なるその他の例（第３実施形態以外の例）を説明する。第４実施形態については、前述した第３実施形態の構成との相違点を主に説明する。
【０４２９】
図３４は、第４実施形態によるラウンド数・確変選択テーブルを表形式で示す図である。図３４のラウンド数・確変選択テーブルは、図３３と同様に、（Ａ）に示す第１ラウンド数・確変選択テーブルと、（Ｂ）に示す第２ラウンド数・確変選択テーブルとに分けられている。
【０４３０】
第４実施形態が第３実施形態と異なるのは、大当り確率（低確率、高確率）の選択決定を、ラウンド数の選択決定とは別に独立的に行なう点である。
【０４３１】
図３４（Ａ），（Ｂ）のそれぞれにおいて、特定ゲートの種別（第１特定ゲート６１、第２特定ゲート６２、第３特定ゲート６３）のそれぞれと、ランダム６の抽出値と、ラウンド数との関係は、図３３（Ａ），（Ｂ）のそれぞれと同じである。
【０４３２】
図３４（Ａ），（Ｂ）のそれぞれにおいては、さらに、特定ゲートの種別（第１特定ゲート６１、第２特定ゲート６２、第３特定ゲート６３）のそれぞれについて、大当り確率決定用乱数としてのランダム７の抽出値と、大当り確率との関係が示されている。ここで、ランダム７は、前述したランダム１〜６と同様に遊技制御用マイクロコンピュータ５６０により更新されるランダムカウンタであり、１〜９の数値範囲内で更新される。
【０４３３】
たとえば、図３４（Ａ）の第１ラウンド数・確変選択テーブルを例にとれば、権利発生状態において第１特定ゲート６１に遊技球が進入したときには、ランダム７の値が、「１〜８」のいずれかに該当すると、大当り確率が低確率の大当り（通常大当り）となることが決定される。また、ランダム７の値が、「９」に該当すると大当り確率が高確率の大当り（確変大当り）となることが決定される。ここで、ランダム７は、前述したランダム１〜６と同様に遊技制御用マイクロコンピュータ５６０により更新されるランダムカウンタであり、１〜９の数値範囲内で更新される。
【０４３４】
このように、第４実施形態においては、ランダム６の値が、５Ｒ、１０Ｒ、および、１５Ｒのそれぞれに割振られ、かつ、ランダム７の値が、低確率の大当りと高確率の大当りとのそれぞれに割振られている。これにより、第４実施形態では、大当りとしては、５Ｒ通常大当り、１０Ｒ通常大当り、１５Ｒ通常大当り、５Ｒ確変大当り、１０Ｒ確変大当り、または、１５Ｒ確変大当りが選択される。そして、第１特定ゲート６１および第２特定ゲート６２については、低確率＞高確率の大小関係の選択割合となるように、ランダム７の値が設定されている。また、第３特定ゲート６３については、低確率＜高確率の大小関係の選択割合となるように、ランダム７の値が設定されている。そして、高確率の大当りとなる割合は、第１特定ゲート６１＜第２特定ゲート６２＜第３特定ゲート６３という大小関係となるように設定されている。
【０４３５】
したがって、第４実施形態では、第３実施形態のようなラウンド数の選択割合に加えて、第１特定ゲート６１＜第２特定ゲート６２＜第３特定ゲート６３という大小関係で、高確率の大当りが選択される割合が高い。
【０４３６】
また、図３４（Ｂ）の第２ラウンド数・確変選択テーブルは、３４（Ａ）の第１ラウンド数・確変選択テーブルと比べて、第１特定ゲート、第２特定ゲート、および、第３特定ゲートのそれぞれについて、より多いラウンド数が選択される割合が高く設定されており、かつ、大当り確率が高確率の大当り（確変大当り）が選択される割合が高くなるようにデータが設定されている。
【０４３７】
このような図３４の第１ラウンド数・確変選択テーブルまたは第２ラウンド数・確変選択テーブルを用いたラウンドおよび大当り確率の選択決定は、図１７のＳ４１２、Ｓ４１４、Ｓ４１５のそれぞれの処理の代わりに次のような処理を行なう。大当り図柄の決定結果（奇数図柄、偶数図柄）を示すデータに基づいて、第１ラウンド数・確変選択テーブルまたは第２ラウンド数・確変選択テーブルのうち、大当り表示結果の種類（奇数図柄、偶数図柄）に対応するテーブルを選択し、ランダム６，７のそれぞれの抽出値を取得し、選択したテーブルを用いて、ランダム６の抽出値からラウンド数の選択決定を行なうとともに、ランダム７の抽出値から大当り確率の選択決定を行なう。
【０４３８】
このように、大当り表示結果が奇数図柄の表示結果となるときには、大当り表示結果が偶数図柄の表示結果となるときと比べて、より多いラウンド数が選択される割合が高く、かつ、大当り確率が高確率の大当り（確変大当り）が選択される割合が高くなる。このように、第４実施形態においては、第３実施形態と同様に、大当り表示結果の種類（奇数図柄、偶数図柄）に応じて、遊技球が進入した特定ゲートに対応して選択するラウンド数および大当り確率のそれぞれの選択割合が異なることとなる。これにより、遊技場側で釘調整等により、遊技者にとって有利なラウンド数および大当り確率になりやすい特定ゲートへの遊技球の振分け割合を極めて少なくする等、複数の特定ゲートのそれぞれに遊技球を振分ける割合を極端な割合に調整しても、大当り表示結果の種類により、選択されるラウンド数および大当り確率が変化し得るので、遊技者の利益をある程度確保することができる。
【０４３９】
第４実施形態において、図３０のようなゲート別価値情報画像９６としては、ラウンド数に加えて、確変状態となるか否かの情報も表示するようにすればよい。
【０４４０】
［第５実施形態］
次に、第５実施形態を説明する。第５実施形態では、権利発生状態において第１特定ゲート６１、第２特定ゲート６２、または、第３特定ゲート６３に遊技球が進入したときに、前述したようなラウンド数選択決定と、確変選択決定とを同時に行ない、大当り表示結果の種類により、ラウンド数選択および確変選択の選択割合が異なるその他の例（第３，４実施形態以外の例）を説明する。第５実施形態については、前述した第３実施形態の構成との相違点を主に説明する。
【０４４１】
図３５は、第５実施形態によるラウンド数・確変選択テーブルを表形式で示す図である。図３５のラウンド数・確変選択テーブルは、図３３と同様に、（Ａ）に示す第１ラウンド数・確変選択テーブルと、（Ｂ）に示す第２ラウンド数・確変選択テーブルとに分けられている。
【０４４２】
第５実施形態が第３実施形態と異なるのは、第１特定ゲート６１、第２特定ゲート６２、および、第３特定ゲート６３に関して、大当り表示結果の種類により、ラウンド数選択および確変選択の選択割合について、遊技者にとって有利な大当りとなる割合が高い特定ゲートが異なるようにする制御が行なわれることである。
【０４４３】
図３５（Ａ），（Ｂ）のそれぞれのテーブルの構成は、図３３（Ａ），（Ｂ）のそれぞれと同様である。
【０４４４】
図３５（Ａ）の第１ラウンド数・確変選択テーブルでは、第１特定ゲート６１については、５Ｒ＜１０Ｒ＜１５Ｒという大小関係の選択割合となるように、ランダム６の値が設定されている。また、第２特定ゲート６２については、５Ｒ＜１５Ｒ＜１０Ｒという大小関係の選択割合となるように、ランダム６の値が設定されている。また、第３特定ゲート６３については、１５Ｒ＜１０Ｒ＜５Ｒという大小関係の選択割合となるように、ランダム６の値が設定されている。
【０４４５】
したがって、第１ラウンド数・確変選択テーブルでは、第１特定ゲート６１＞第２特定ゲート６２＞第３特定ゲート６３という大小関係で、より多いラウンド数が選択される割合が高い。また、第１特定ゲート６１＞第２特定ゲート６２＞第３特定ゲート６３という大小関係で、大当り確率が高確率の大当り（確変大当り）が選択される割合が高い。
【０４４６】
図３５（Ｂ）の第２ラウンド数・確変選択テーブルでは、第１特定ゲート６１については、１５Ｒ＜１０Ｒ＜５Ｒという大小関係の選択割合となるように、ランダム６の値が設定されている。また、第２特定ゲート６２については、５Ｒ＜１５Ｒ＜１０Ｒという大小関係の選択割合となるように、ランダム６の値が設定されている。また、第３特定ゲート６３については、５Ｒ＜１０Ｒ＜１５Ｒという大小関係の選択割合となるように、ランダム６の値が設定されている。
【０４４７】
したがって、第２ラウンド数・確変選択テーブルでは、第３特定ゲート６３＞第２特定ゲート６２＞第１特定ゲート６１という大小関係で、より多いラウンド数が選択される割合が高い。また、第３特定ゲート６３＞第２特定ゲート６２＞第１特定ゲート６１という大小関係で、大当り確率が高確率の大当り（確変大当り）が選択される割合が高い。
【０４４８】
これにより、大当り表示結果が偶数図柄の表示結果となったときには、たとえば、第３特定ゲート６３に遊技球が進入したときが、他の特定ゲートに遊技球が進入したときよりも、ラウンド数および大当り確率に関して遊技者にとって有利な制御が行なわれる大当り遊技状態となる割合が高い。一方、大当り表示結果が奇数図柄の表示結果となったときには、偶数図柄の表示結果となったときとは逆に、第３特定ゲート６３に遊技球が進入したときが、他の特定ゲートに遊技球が進入したときよりも、ラウンド数および大当り確率に関して遊技者にとって有利な制御が行なわれる大当り遊技状態となる割合が低い。
【０４４９】
このような図３５の第１ラウンド数・確変選択テーブルまたは第２ラウンド数・確変選択テーブルを用いたラウンドおよび大当り確率の選択決定は、図１７のＳ４１２、Ｓ４１４、Ｓ４１５のそれぞれの処理の代わりに次のような処理を行なうことにより実現される。大当り図柄の決定結果の種類（奇数図柄、偶数図柄）を示すデータに基づいて、第１ラウンド数・確変選択テーブルまたは第２ラウンド数・確変選択テーブルのうち、大当り表示結果の種類に対応するテーブルを選択し、ランダム６の抽出値を取得し、選択したテーブルを用いて、ランダム６の抽出値からラウンド数および大当り確率の選択決定を行なう。
【０４５０】
このように、第５実施形態では、大当り表示結果が偶数図柄の表示結果となったときと、大当り表示結果が奇数図柄の表示結果となったときとで、第１特定ゲート６１または第３特定ゲート６３のような一の特定ゲートに遊技球が進入したときに制御される大当り遊技状態が、他の特定ゲートに遊技球が進入したときに制御される大当り遊技状態より遊技者にとって有利な大当り遊技状態となる割合が異なるので、どのような大当り表示結果が成立するかについて遊技者が興味を持つようにすることができる。
【０４５１】
なお、第５実施形態では、第２特定ゲート６２についても、第１特定ゲート６１および第３特定ゲート６３と同様に、特定ゲートに遊技球が進入したときに制御される大当り遊技状態が、他の特定ゲートに遊技球が進入したときに制御される大当り遊技状態より遊技者にとって有利な大当り遊技状態となる割合が異なるようにしてもよい。
【０４５２】
第５実施形態において、図３０のようなゲート別価値情報画像９６としては、ラウンド数に加えて、確変状態となるか否かの情報も表示するようにすればよい。
【０４５３】
［第６実施形態］
次に、第６実施形態を説明する。第６実施形態では、第１特定ゲート６１、第２特定ゲート６２、および、第３特定ゲート６３の配置状態のその他の例を説明する。複数の特定ゲートは、以下に示すように、遊技領域７において、右領域７ｂのみに設ける場合のみならず、左領域７ａと右領域７ｂとの両方に設けてもよい。なお、複数の特定ゲートは、左領域７ａのみに設けてもよい。
【０４５４】
図３６は、第６実施形態によるパチンコ遊技機における第１特定ゲート６１、第２特定ゲート６２、および、第３特定ゲート６３の配置例を簡略化して示す遊技領域７の正面図である。
【０４５５】
図３６を参照して、遊技領域７において、左領域７ａに第２特定ゲート６２が設けられ、右領域７ｂに第１特定ゲート６１および第３特定ゲート６３が設けている。このように、第１特定ゲート６１、第２特定ゲート６２、および、第３特定ゲート６３のような複数種類の特定ゲートは、遊技領域７において、左領域７ａと、右領域７ｂとの両方に分散して配置するようにしてもよい。このように特定ゲートを配置すれば、権利発生状態において遊技者の注意を左領域７ａと、右領域７ｂとの両方に向けさせることができるので、遊技の興趣を向上させることができる。
【０４５６】
なお、遊技領域７において、左領域７ａに第１特定ゲート６１および第３特定ゲート６３を設け、右領域７ｂに第２特定ゲート６２を設けてもよい。また、遊技領域７において、左領域７ａに複数の特定ゲートを設け、右領域７ｂに複数の特定ゲートを設けてもよい。その場合には、左領域７ａと右領域７ｂとで、特定ゲートを同数設けてもよく、特定ゲートを異なる数設けてもよい。
【０４５７】
図３７は、第６実施形態によるラウンド数・確変選択テーブルを表形式で示す図である。図３７のラウンド数・確変選択テーブルは、図３２のラウンド数・確変選択テーブルで示した第１特定ゲート６１、第２特定ゲート６２、および、第３特定ゲート６３のそれぞれと、ラウンド数（上限値）との関係に加えて、各特定ゲートに対応して、大当り確率決定用乱数としてのランダム７の抽出値と大当り確率との関係が示されている。
【０４５８】
第６実施形態における大当り遊技状態の制御に関し、第２実施形態と異なるのは、大当り確率（低確率、高確率）の選択決定を、ラウンド数の選択決定とは別に行なう点である。第５実施形態において、ラウンド数の選択決定は、第２実施形態と同様に、遊技球が通過した特定ゲートに固定的に設定されたラウンド数が決定される。
【０４５９】
図３７において、特定ゲートの種別（第１特定ゲート６１、第２特定ゲート６２、第３特定ゲート６３）のそれぞれと、ラウンド数との関係は、図３２と同じである。これにより、右領域７ｂには、ラウンド数が５Ｒとなる第１特定ゲート６１と、ラウンド数が１５Ｒとなる第３特定ゲート６３とを設け、左領域７ａには、ラウンド数が１０Ｒとなる第２特定ゲート６２を設けたので、右打ちをすればラウンド数が５Ｒか１５Ｒかという有利度合いの格差が大きいラウンド数の選択となり、左打ちをずれば必ず１０Ｒとなるという安定したラウンド数の選択となるため、遊技の興趣をより一層向上させることができる。
【０４６０】
図３７においては、さらに、特定ゲートの種別（第１特定ゲート６１、第２特定ゲート６２、第３特定ゲート６３）のそれぞれについて、大当り確率決定用乱数としてのランダム７の抽出値と、大当り確率との関係が示されている。
【０４６１】
たとえば、権利発生状態において第１特定ゲート６１に遊技球が進入したときには、ランダム７の値が、「０，２」のいずれかに該当すると、大当り確率が低確率の大当り（通常大当り）となることが決定される。また、ランダム７の値が、「３〜９」のいずれかに該当すると大当り確率が高確率の大当り（確変大当り）となることが決定される。そして、高確率の大当りとなる割合は、第１特定ゲート６１＞第２特定ゲート６２＞第３特定ゲート６３という大小関係となるように設定されている。
【０４６２】
なお、第６実施形態については、第１実施形態〜第５実施形態のいずれかに示した選択決定方法を用いてラウンド数の選択決定および確変選択決定を行なうようにしてもよい。
【０４６３】
第６実施形態の場合、特別図柄の表示結果および演出図柄の表示結果は、第２実施形態と同様の処理を行なうことにより決定する。そして、ラウンド数および大当り確率の選択決定は、図１７のＳ４１２、Ｓ４１４、Ｓ４１５のそれぞれの処理の代わりに、次のような処理に基づいて行なわれる。まず、ランダム７の抽出値を取得し、図３７のラウンド数・確変選択テーブルのうちの遊技球が進入した特定ゲートに対応するデータを用いて、遊技球が進入した特定ゲートに対応するラウンド数の決定を行ない、ランダム７の抽出値に対応する大当り確率の選択決定を行なう。
【０４６４】
また、前述した実施の形態のうち第２，第３実施形態では、ラウンド数と大当り確率との関係について、５Ｒのときが低確率、１０Ｒのときが低確率、１５Ｒのときが高確率に設定されている場合を示した。しかし、第２，第３実施形態で示したラウンド数と大当り確率との関係は一例であり、ラウンド数が少ないときが高確率で、ラウンド数が多いときが低確率で設定されるようにしてもよく、ラウンド数の多少と大当り確率の高低との関係はどのような関係に設定されてもよい。
【０４６５】
次に、前述した実施の形態により得られる主な効果を説明する。
（１）  大当り表示結果が導出表示されて権利発生状態となった後、第１特定ゲート６１、第２特定ゲート６２、および、第３特定ゲート６３のような複数の特定ゲートのいずれかに遊技球が進入したときに、進入した特定ゲートに基づいて、前述したような複数種類の大当り遊技状態のうちいずれかに制御されるが、これら複数の特定ゲートの上流側に、球技球の流下方向を調整可能な流下方向調整手段としての釘８が設けられるので、所謂釘調整により流下方向を調整することで、複数の特定ゲートのそれぞれに遊技球を振分ける割合を容易に調整することが可能となり、大当り種別の選択割合の調整を容易に行なうことができる。
【０４６６】
（２）  第３実施形態において、大当り表示結果の種類に応じて、遊技球が進入した特定ゲートに対応して選択するラウンド数および大当り確率の選択割合が異なることる例を示した。これにより、遊技場側で釘調整等により、遊技者にとって有利なラウンド数および大当り確率になりやすい特定ゲートへの遊技球の振分け割合を極めて少なくする等、複数の特定ゲートのそれぞれに遊技球を振分ける割合を極端な割合に調整しても、大当り表示結果の種類により、選択されるラウンド数および大当り確率が変化し得るので、遊技者の利益をある程度確保することができる。
【０４６７】
（３）  第５実施形態において、大当り表示結果が偶数図柄の表示結果となったときと、大当り表示結果が奇数図柄の表示結果が成立した場合とで、第１特定ゲート６１または第３特定ゲート６３のような一の特定ゲートに遊技球が進入したときに制御される大当り遊技状態が、他の特定ゲートに遊技球が進入したときに制御される大当り遊技状態より遊技者にとって有利な大当り遊技状態となる割合が異なるので、どのような大当り表示結果が成立するかについて遊技者が興味を持つようにすることができる。一の種類の所定条件が成立した場合と、他の種類の所定条件が成立した場合とで、一の特定領域に遊技媒体が進入したときに制御される特定遊技状態が、他の特定領域に遊技媒体が進入したときに制御される特定遊技状態より遊技者にとって有利な特定遊技状態となる割合が異なるので、どのような種類の所定条件が成立するかについて遊技者が興味を持つようにすることができる。
【０４６８】
（４）  図３０に示したように、ゲート別価値情報画像９６が表示されることにより、権利発生状態において、第１特定ゲート６１、第２特定ゲート６２、第３特定ゲート６３のそれぞれについて、遊技球が通過（進入）したときに得られる価値を特定可能な情報としてのラウンド数が報知されるので、遊技者の興味を、複数の特定ゲートのそれぞれに向けることができる。
【０４６９】
（５）  大当り表示結果が導出表示されて図１６のＳ１３４で権利発生状態となったときから、図２２のＳ２７１，Ｓ２７５により、右打ち信号が出力される。このような制御が行なわれることにより、図３に示したようなコネクタ搭載部３１１に試験信号コネクタ３１０が搭載されたときに、パチンコ遊技機１外部の試験装置またはホール管理コンピュータ等の外部装置へ向けて試験信号を出力することが可能となる構成において、第１特定ゲート６１、第２特定ゲート６２、および、第３特定ゲート６３のうちいずれかに遊技球が進入したことに基づいて大入賞口の開放制御状態に制御されることの条件となる権利発生状態が成立したことに基づいて、第１特定ゲート６１、第２特定ゲート６２、および、第３特定ゲート６３のうちいずれかに遊技球が進入する前のタイミングから、特別可変入賞球装置２０が設けられた右領域７ｂに遊技球を打込むことを特定する右打ち信号が作成されるので、遊技の進行させ方を、簡素なものとすることができ、遊技の進行状況に対応するとともに、遊技の進行させ方を容易にすることができる。さらに、試験時における遊技の進行させ方を、簡素なものとすることができ、遊技の進行状況に対応するとともに、遊技の進行させ方を容易にする信号を試験信号として出力することができる。
【０４７０】
（６）  図７のＳ６〜Ｓ８，Ｓ４４，Ｓ４５に示されるように、電源断状態となる前にバックアップ記憶された制御データに基づいて、電源断状態となる前に権利発生状態であったときには、パチンコ遊技機１の起動時において権利発生報知が行なわれるので、当該報知に基づいて、電源断状態前に権利発生状態であったことを知ることができる。これにより、電源投入時に遊技状態が復旧されたときに、開放制御状態への移行に関連する制御状態に関して、その復旧された制御状態を正確に把握できるようにすることができる。
【０４７１】
（７）  図７のＳ４６，Ｓ４７に示すように、電源断状態となる前に確変状態（高確高ベース状態）であったときには、パチンコ遊技機１の起動時において高確率報知が行なわれるので、当該報知に基づいて、電源断状態となる前に確変状態（高確高ベース状態）であったことを知ることができる。したがって、電源投入時に遊技状態が復旧されたときに、その復旧された制御状態をより一層正確に把握できるようにすることができる。
【０４７２】
（８）  図２１に示されるように、権利発生状態となったときに、遊技球が第１特定ゲート６１、第２特定ゲート６２、および、第３特定ゲート６３のうちいずれかに進入したときには、大当りの種類に関わらず、同じ時間Ｔが経過した後に、大入賞口の開放が開始されることとなる。したがって、大当りの種類によらず、特定領域に遊技媒体が進入してから一定時間経過後に大入賞口の開放が開始されるので、大入賞口の開放開始契機が明確になるため、遊技内容に関する知識に差がある遊技者間での公平性を担保することができる。
【０４７３】
（９）  図１に示すように、遊技領域７における複数の領域（左領域７ａ、右領域７ｂ）のうちの特別可変入賞球装置２０が設けられた領域に、第１特定ゲート６１、第２特定ゲート６２、および、第３特定ゲート６３が設けられている。そして、打球操作ハンドル５の操作量に応じて打球発射装置の発射強度を変更することで、右打ちまたは左打ちする等、遊技者の選択により遊技球を打込む領域が変更できるので、遊技者が大入賞口の開放制御状態を開始させる意思を持ったときに開放制御状態を開始させることができるようになり、遊技者の意に反した時期に開放制御状態が開始されてしまうことを防ぐことができる。
【０４７４】
（１０）  第２実施形態に示したように、権利発生状態において、第１特定ゲート６１、第２特定ゲート６２、および、第３特定ゲート６３のうちいずれかに遊技球が進入しない期間が所定期間以上となったときに、消費電力を制限した省電力モードに移行させる制御が行なわれるので、無駄な電力の消費を低減することができる。
【０４７５】
（１１）  高確高ベース状態であるときは、図２２のＳ２７３，Ｓ２７５により、右打ち信号が出力される。このような制御が行なわれることにより、図３に示したようなコネクタ搭載部３１１に試験信号コネクタ３１０が搭載されたときに、パチンコ遊技機１外部の試験装置またはホール管理コンピュータ等の外部装置へ向けて試験信号を出力することが可能となる構成において、大当り遊技状態の終了後に、高ベース状態に制御されているときに、特別可変入賞球装置２０が設けられた右領域７ｂに遊技球を打込むことを特定する右打ち信号が作成されるので、高ベース状態に制御されているかどうかの遊技の進行状況に対応するとともに、遊技を迅速に進行させることができる。
【０４７６】
次に、以上に説明した実施の形態の変形例や特徴点等を以下に列挙する。
（１）  前述した実施の形態では、２つの特別図柄表示器である第１特別図柄表示器８ａおよび第２特別図柄表示器８ｂを設け、２つの特別図柄を変動表示する例を示した。しかし、これに限らず、２つの特別図柄表示器の代わりに、１つの特別図柄表示器を設け、１つの特別図柄を変動表示させる構成を採用してもよい。このような構成を採用する場合には、特別図柄表示器における特別図柄の変動表示が、第１始動入賞口１３の入賞、および、第２始動入賞口１４への入賞のそれぞれに応じて実行されるようにすればよい。つまり、第１始動入賞口１３の入賞に基づいて第１特別図柄表示器８ａで第１特別図柄を実行させるための各種制御と、第２始動入賞口１４の入賞に基づいて第２特別図柄表示器８ｂで第２特別図柄を実行させるための各種制御とをそれぞれ、１つの特別図柄表示器における特別図柄の変動表示について適用すればよい。
【０４７７】
（２）  前述の実施の形態では、演出装置を制御する回路が搭載された基板として、演出制御基板８０、音声出力基板７０およびランプドライバ基板３５が設けられているが、演出装置を制御する回路を１つの基板に搭載してもよい。さらに、演出表示装置９等を制御する回路が搭載された第１の演出制御基板（表示制御基板）と、その他の演出装置（ランプ、ＬＥＤ、スピーカ２７Ｒ，２７Ｌ等）を制御する回路が搭載された第２の演出制御基板との２つの基板を設けるようにしてもよい。
【０４７８】
（３）  前述の実施の形態では、遊技制御用マイクロコンピュータ５６０は、演出制御用マイクロコンピュータ１００に対して直接コマンドを送信していたが、遊技制御用マイクロコンピュータ５６０が他の基板（たとえば、図３に示す音声出力基板７０やランプドライバ基板３５等、または音声出力基板７０に搭載されている回路による機能とランプドライバ基板３５に搭載されている回路による機能とを備えた音／ランプ基板）に演出制御コマンドを送信し、他の基板を経由して演出制御基板８０における演出制御用マイクロコンピュータ１００に送信されるようにしてもよい。その場合、他の基板においてコマンドが単に通過するようにしてもよいし、音声出力基板７０、ランプドライバ基板３５、音／ランプ基板にマイクロコンピュータ等の制御手段を搭載し、制御手段がコマンドを受信したことに応じて音声制御やランプ制御に関わる制御を実行し、さらに、受信したコマンドを、そのまま、またはたとえば簡略化したコマンドに変更して、演出表示装置９を制御する演出制御用マイクロコンピュータ１００に送信するようにしてもよい。その場合でも、演出制御用マイクロコンピュータ１００は、上記の実施の形態における遊技制御用マイクロコンピュータ５６０から直接受信した演出制御コマンドに応じて表示制御を行なうのと同様に、音声出力基板７０、ランプドライバ基板３５または音／ランプ基板から受信したコマンドに応じて表示制御を行なうことができる。
【０４７９】
（４）  前述した実施の形態は、入賞球の検出に応答して所定数の賞球を払出す払出式遊技機に限定されるものではなく、遊技球を封入し入賞球の検出に応答して得点等を付与する封入式遊技機にも適用することができる。
【０４８０】
（５）  前述した実施の形態は、パチンコ遊技機１の動作をシミュレーションするゲーム機などの装置にも適用することができる。前述した実施の形態を実現するためのプログラム及びデータは、コンピュータ装置等に対して、着脱自在の記録媒体により配布・提供される形態に限定されるものではなく、予めコンピュータ装置等の有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。そして、ゲームの実施形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行なうことによりゲームを実行するような形態とすることもできる。
【０４８１】
（６）  前述した実施の形態では、複数種類の大当り種別のすべてについて、権利発生状態において第１特定ゲート６１、第２特定ゲート６２、および、第３特定ゲート６３のうちいずれかに遊技球が進入したことに基づいて、大入賞口の開放制御状態に制御される例を示した。しかし、複数種類の大当り種別の一部について、第１特定ゲート６１、第２特定ゲート６２、および、第３特定ゲート６３のうちいずれかに遊技球が進入しないでも、大入賞口の開放制御状態に制御されるようにしてもよい。つまり、変動表示において大当り表示結果が表示されたときに、そのまま大入賞口の開放制御状態に制御される大当りの種別が選択される場合があるようにしてもよい。たとえば、前述した通常大当りおよび確変大当りに加えて、突確大当りの種別を加えた場合において、突確大当りについては、変動表示において大当り表示結果が表示されたときに、そのまま大入賞口の開放制御状態に制御されるようにしてもよい。
【０４８２】
（７）  前述した実施の形態では、大当りとなったときの開放制御状態として、複数回のラウンドにおいて大入賞口を開放する制御を行なう例を示した。しかし、これに限らず、大当りとなったときの開放制御状態としては、たとえば、１回だけ大入賞口を開放して、大入賞口に入賞した遊技球を計数し、所定個数（たとえば、２０００発）の遊技球が大入賞口に入賞したときに、大入賞口開放状態を終了させる制御を行なうようにしてもよい。
【０４８３】
（８）  前述した実施の形態では、遊技球の流下方向を調整可能な流下方向調整手段として釘８を説明した。その他の流下方向調整手段としては、たとえば、釘以外の構造物が設けられてもよい。釘以外の構造物としては、たとえば、遊技盤に形成された溝部内を移動することで設置位置が変更可能となる凸部等の設置位置が変更可能な構造物が含まれる。
【０４８４】
（９）  前述した実施の形態では、遊技球の流下方向を調整可能な流下方向調整手段として釘８を説明した。その他の流下方向調整手段としては、たとえば、釘以外の構造物が設けられてもよい。釘以外の構造物としては、たとえば、遊技盤に形成された溝部内を移動することで設置位置が変更可能となる凸部等の設置位置が変更可能な構造物が含まれる。
【０４８５】
（１０）  なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【符号の説明】
【０４８６】
７  遊技領域、６１  第１特定ゲート、６２  第２特定ゲート、６３  第３特定ゲート、１  パチンコ遊技機、８  釘、５６０  遊技制御用マイクロコンピュータ、９  演出表示装置、１００  演出制御用マイクロコンピュータ、５５  ＲＡＭ。
【図１】
0005502816.tif 000002
【図２】
0005502816.tif 000003
【図３】
0005502816.tif 000004
【図４】
0005502816.tif 000005
【図５】
0005502816.tif 000006
【図６】
0005502816.tif 000007
【図７】
0005502816.tif 000008
【図８】
0005502816.tif 000009
【図９】
0005502816.tif 000010
【図１０】
0005502816.tif 000011
【図１１】
0005502816.tif 000012
【図１２】
0005502816.tif 000013
【図１３】
0005502816.tif 000014
【図１４】
0005502816.tif 000015
【図１５】
0005502816.tif 000016
【図１６】
0005502816.tif 000017
【図１７】
0005502816.tif 000018
【図１８】
0005502816.tif 000019
【図１９】
0005502816.tif 000020
【図２０】
0005502816.tif 000021
【図２１】
0005502816.tif 000022
【図２２】
0005502816.tif 000023
【図２３】
0005502816.tif 000024
【図２４】
0005502816.tif 000025
【図２５】
0005502816.tif 000026
【図２６】
0005502816.tif 000027
【図２７】
0005502816.tif 000028
【図２８】
0005502816.tif 000029
【図２９】
0005502816.tif 000030
【図３０】
0005502816.tif 000031
【図３１】
0005502816.tif 000032
【図３２】
0005502816.tif 000033
【図３３】
0005502816.tif 000034
【図３４】
0005502816.tif 000035
【図３５】
0005502816.tif 000036
【図３６】
0005502816.tif 000037
【図３７】
0005502816.tif 000038